(57)【要約】 【課題】  電力設備更新時の仕様検討や電力系統の事故解析等の情報処理を簡単に実行できるようにする共に、電力系統の諸量計算やその保護設備の検討等を簡単に実施できるようにする。【解決手段】  電力設備情報Ｄ０を記憶するデータベース２０と、このデータベース２０に登録された電力設備情報Ｄ０を更新管理する更新管理手段１０と、電力設備情報Ｄ０の配信要求を受信し、かつ、受信した配信要求の電力設備情報をデータベースから読み出して配信する通信モデム３０とを備えるものである。この構成によって、データベース２０に登録された複数の電力設備情報Ｄ０を情報利用者の間で共用できるので、電力設備更新時の仕様検討や電力系統の事故解析等の色々なシミュレーションを含む情報処理を実行できるようになる。【選択図】    図１
2007195318.tif 000002
【特許請求の範囲】
【請求項１】
電力系統に関する電力設備情報を処理する情報管理通信装置であって、 
前記電力設備情報を記憶するデータベースと、
前記データベースに登録された前記電力設備情報を更新管理する更新管理手段と、
前記電力設備情報の配信要求を受信し、かつ、受信した前記配信要求の電力設備情報を前記データベースから読み出して配信する情報配信手段とを備えることを特徴とする情報管理通信装置。
【請求項２】
前記データベースには、電力系統の技術計算用のプログラム、電力系統図データ及び送配電線データが格納されることを特徴とする請求項１に記載の情報管理通信装置。
【請求項３】
データベースに登録された電力系統に関する電力設備情報を受信して処理する情報通信処理装置であって、 
前記データベースから配信される前記電力設備情報を受信する情報通信手段と、
前記情報通信手段によって受信された前記電力設備情報を処理する情報処理手段とを備え、
前記情報処理手段は、
技術計算用のプログラムに基づいて前記電力系統に関する計算処理を実行することを特徴とする情報通信処理装置。
【請求項４】
前記情報処理手段は、
前記技術計算用のプログラムに基づいて前記電力系統の線路定数、短絡容量及び零相循環電流に関する計算処理を実行することを特徴とする請求項３に記載の情報通信処理装置。
【請求項５】
電力系統に関する電力設備情報を処理するシステムであって、 
前記電力設備情報をデータベースに登録し、当該データベースに登録された前記電力設備情報を更新管理すると共に、前記電力設備情報の配信要求を受信し、かつ、受信した前記配信要求の電力設備情報を前記データベースから読み出して配信する情報管理通信装置と、
前記情報管理通信装置から配信された前記電力設備情報を受信して処理する情報通信処理装置と、
前記情報管理通信装置と情報通信処理装置とを接続する通信手段とを備えることを特徴とする電力備情報処理システム。
【請求項６】
前記電力設備情報には、電力系統の技術計算用のプログラム、電力系統図データ及び送配電線データが含まれることを特徴とする請求項５に記載の電力備情報処理システム。
【請求項７】
前記情報管理通信装置は、
前記電力系統の技術計算用のプログラムを情報配信要求先の前記情報処理装置に配信することを特徴とする請求項５に記載の電力備情報処理システム。
【請求項８】
前記電力系統の技術計算用のプログラムには、線路定数計算、短絡容量計算及び零相循環電流計算に関するデータが含まれることを特徴とする請求項７に記載の電力備情報処理システム。
【請求項９】
電力系統に関する電力設備情報を処理する方法であって、 
前記電力設備情報をデータベースに登録するステップと、
前記データベースに登録された前記電力設備情報を更新管理するステップと、
前記電力設備情報の配信要求を受信するステップと、
受信した前記配信要求の電力設備情報を前記データベースから読み出して配信するステップと、
配信された前記電力設備情報を受信して処理するステップとを有することを特徴とする情報処理方法。
【発明の詳細な説明】
【技術分野】
【０００１】
本発明は、電力系統の線路定数、短絡容量及び零相循環電流等の計算処理を支援する対話型の電力系統管理用のコンピュータや、それを応用した電力系統簡易シミュレーションシステムに適用して好適な情報管理通信装置、情報通信処理装置、電力設備情報処理システム及び情報処理方法に関する。
【０００２】
詳しくは、データベースの電力設備情報を更新管理する情報管理通信装置と情報利用者の情報通信処理装置とを通信手段を介して接続し、情報利用者の電力設備情報をデータベースに登録する共に、データベースに登録された複数の電力設備情報を情報利用者の間で共用して、電力設備更新時の仕様検討や電力系統の事故解析等の色々なシミュレーションを含む情報処理を実行できるようにする共に、難易度の高い電力系統の線路定数計算や、短絡容量計算、零相循環電流計算、保護継電器の検討処理等を簡単に実施できるようにしたものである。
【背景技術】
【０００３】
近年、電力供給分野では電力系統の規模が増大し、一地方における電力供給管内での系統連系が複雑になってきている。電力系統には、発電機、変圧器、鉄塔、しゃ断器等の電力設備機器や、架空送電線路、地中ケーブル送電線路等が利用されている。需要家に対し安定して電力を供給するため、万が一、短絡事故や地絡事故等が発生した場合に、故障箇所を迅速に除去して、電力設備機器への損傷を軽微に止めると共に、故障部分を可能な限り抑えて、他の健全部分への事故波及を防止する対策が採られている。この対策の一つとして、例えば、保護継電器が利用される場合が多い。
【０００４】
保護継電器は、平常時と異なった電気要素、例えば、送電系統の故障によって生ずる電流の増大や、電力の逆流、電圧降下、電力の不平衡、逆相電流、零相循環電流等を検出して故障状態を認識し、故障区間を迅速に選択して回路をしゃ断するようになされる。この回路選択しゃ断によって、他の健全部分への事故波及を極力狭い範囲に止めるようにできる。保護継電器は、シミュレーション（模擬）装置を使用して正常動作か否かを確認される場合が多い。
【０００５】
また、模擬事故点を設定して復旧方法を訓練するためのシミュレーション装置が使用され、事故復旧作業者のスキルアップに貢献している。この種のシミュレーション装置に関連して、特許文献１には、模擬送電線・母線装置が開示されている。この模擬送電線・母線装置によれば、保護リレーの動作試験をする場合に、リアクトル及び変圧器を有する電源部と、模擬送電線及び複数の模擬しゃ断器を有する回路部とを接続して、各種の故障を人為的に設定してその保護リレーの動作を検証するようになされる。このように装置を構成すると、一種類で多回線系統を模擬することができ、互いに連系が取られた電源系統も模擬することができるというものである。
【０００６】
更に、特許文献２には、コンピュータを使用した電力系統模擬装置が開示されている。この電力系統模擬装置によれば、電力系統で実際に事故が発生した場合に、その電力系統の状態変化情報（状変情報）を設備特定コードと共に保存し、この状変情報及び設備特定コードに基づいて、当該電力系統と同一の構成を有する他の電力系統における実事故を模擬するための訓練シナリオを作成するようになされる。このように装置を構成すると、実際に発生した事故状変に基づいてバリエーションに富む訓練シナリオを作成できるというものである。
【０００７】
【特許文献１】実開平０７−０３０５４９号公報（第２頁  図１）
【特許文献２】特開平１０−３２２９０８号公報（第３頁  図１）
【発明の開示】
【発明が解決しようとする課題】
【０００８】
ところで、従来例に係る電力系統のシミュレーション装置によれば、以下のような問題がある。
【０００９】
ｉ．近年、電力系統の規模が増大する電力供給分野において、一地方における電力供給管内での系統連系が益々複雑になる中で、当該電力供給管内に自家用電気工作物を所持する者が、例えば、電力設備更新時に、その仕様検討や電力系統の事故解析等をシミュレーションしようとした場合、特許文献１に見られるような模擬送電線・母線装置を利用した方法を採ろうとすると、発電機、変圧器、鉄塔、しゃ断器等の電力設備機器に関する膨大な量のデータを揃えなければならない。
【００１０】
ii．また、特許文献２に見られるような事故復旧作業者のスキルアップに開発された訓練シナリオ作成用の電力系統模擬装置によれば、現実の電力設備機器に関するデータを電力系統に取り入れ、一歩踏み込んだシミュレーションができていないのが現状である。従って、特許文献２は、電力系統で実際に事故が発生した後、模擬事故点を設定して復旧方法を訓練することができても、実際に事故が発生する以前に、電力供給管内における電気事業者用の電気工作物や自家用電気工作物等における万一の事故に対応するシミュレーションを行うことが困難となる。
【００１１】
そこで、この発明はこのような従来の課題を解決したものであって、電力設備更新時の仕様検討や電力系統の事故解析等の情報処理を簡単に実行できるようにする共に、電力系統の諸量計算やその保護設備の検討等を簡単に実施できるようにした情報管理通信装置、情報通信処理装置、電力設備情報処理システム及び情報処理方法を提供することを目的とする。
【課題を解決するための手段】
【００１２】
上述した課題を解決する本発明に係る情報管理通信装置は、電力系統に関する電力設備情報を処理する情報管理通信装置であって、電力設備情報を記憶するデータベースと、このデータベースに登録された電力設備情報を更新管理する更新管理手段と、電力設備情報の配信要求を受信し、かつ、受信した配信要求の電力設備情報をデータベースから読み出して配信する情報配信手段とを備えることを特徴とするものである。
【００１３】
本発明に係る情報管理通信装置によれば、電力系統に関する電力設備情報を処理する場合に、データベースには、電力設備情報が記憶される。例えば、データベースには、電力系統の技術計算用のプログラム、データ保守用のプログラム、電力系統図データ及び送配電線データが格納される。更新管理装置は、データベースに登録された上述の電力設備情報を更新管理するようになされる。これを前提にして、情報配信装置は、電力設備情報の配信要求を受信し、かつ、受信した配信要求の電力設備情報をデータベースから読み出して配信するようになる。従って、データベースに登録された複数の電力設備情報を情報利用者の間で共用できるので、電力設備更新時の仕様検討や電力系統の事故解析等の色々なシミュレーションを含む情報処理を実行できるようになる。
【００１４】
本発明に係る情報通信処理装置は、データベースに登録された電力系統に関する電力設備情報を受信して処理する情報通信処理装置であって、データベースから配信される電力設備情報を受信する情報通信手段と、この情報通信手段によって受信された電力設備情報を処理する情報処理手段とを備え、情報処理手段は、技術計算用のプログラムに基づいて電力系統に関する計算処理を実行することを特徴とするものである。
【００１５】
本発明に係る情報通信処理装置によれば、データベースに登録された電力系統に関する電力設備情報を受信して処理する場合に、情報通信手段は、データベースから配信される電力設備情報を受信する。情報処理手段は、情報通信手段によって受信された電力設備情報を処理する。これを前提にして、情報処理手段は、技術計算用のプログラムに基づいて電力系統に関する計算処理を実行するようになる。例えば、情報処理手段は、技術計算用のプログラムに基づいて電力系統の線路定数、短絡容量及び零相循環電流に関する計算処理を実行する。従って、データベースに登録された複数の電力設備情報を情報利用者の間で共用できるので、電力設備更新時の仕様検討や電力系統の事故解析等の色々なシミュレーションを含む情報処理を実行できるようになる。
【００１６】
本発明に係る電力備情報処理システムは、電力系統に関する電力設備情報を処理するシステムであって、電力設備情報をデータベースに登録し、当該データベースに登録された電力設備情報を更新管理すると共に、電力設備情報の配信要求を受信し、かつ、受信した配信要求の電力設備情報をデータベースから読み出して配信する情報管理通信装置と、この情報管理通信装置から配信された電力設備情報を受信して処理する情報通信処理装置と、この情報通信処理装置と情報管理通信装置とを接続する通信手段とを備えることを特徴とするものである。
【００１７】
本発明に係る電力備情報処理システムによれば、電力系統に関する電力設備情報を処理する場合に、情報管理通信装置と情報通信処理装置とが通信手段を介して接続される。情報管理通信装置では、電力設備情報がデータベースに登録され、当該データベースに登録された電力設備情報が更新管理されると共に、電力設備情報の配信要求が受信される。情報管理通信装置は、受信した配信要求の電力設備情報をデータベースから読み出して情報通信処理装置へ配信する。これを前提にして、情報通信処理装置は、情報管理通信装置から配信された電力設備情報を受信して処理するようになされる。従って、データベースに登録された複数の電力設備情報を情報利用者の間で共用できるので、電力設備更新時の仕様検討や電力系統の事故解析等の色々なシミュレーションを含む情報処理を実行できるようになる。これにより、難易度の高い電力系統の線路定数や、短絡容量、零相循環電流の計算、保護継電器の検討処理等を実施可能な電力系統簡易シミュレーションシステム等を構築できるようになる。
【００１８】
本発明に係る情報処理方法は、電力系統に関する電力設備情報を処理する方法であって、 電力設備情報をデータベースに登録するステップと、データベースに登録された電力設備情報を更新管理するステップと、電力設備情報の配信要求を受信するステップと、受信した配信要求の電力設備情報をデータベースから読み出して配信するステップと、配信された電力設備情報を受信して処理するステップとを有することを特徴とするものである  本発明に係る情報処理方法によれば、電力系統に関する電力設備情報を処理する際に、データベースに登録された複数の電力設備情報を情報利用者の間で共用できるので、電力設備更新時の仕様検討や電力系統の事故解析等の色々なシミュレーションを含む情報処理を実行できるようになる。これにより、難易度の高い電力系統の線路定数や、短絡容量、零相循環電流の計算、保護継電器の検討処理等を実施可能な電力系統簡易シミュレーションシステム等を構築できるようになる。
【発明の効果】
【００１９】
本発明に係る情報管理通信装置によれば、電力系統に関する電力設備情報を処理する場合に、データベースに登録され、更新管理される電力設備情報の配信要求を受信し、かつ、受信した配信要求の電力設備情報をデータベースから読み出して配信する情報配信手段を備えるものである。
【００２０】
この構成によって、データベースに登録された複数の電力設備情報を情報利用者の間で共用できるので、電力設備更新時の仕様検討や電力系統の事故解析等の色々なシミュレーションを含む情報処理を実行できるようになる。従って、難易度の高い電力系統の線路定数や、短絡容量、零相循環電流の計算、保護継電器の検討処理等を実施可能な電力系統簡易シミュレーションシステム等を構築できるようになる。
【００２１】
本発明に係る情報通信処理装置によれば、データベースに登録された電力系統に関する電力設備情報を受信して処理する情報処理手段を備え、この情報処理手段は、技術計算用のプログラムに基づいて電力系統に関する計算処理を実行するものである。
【００２２】
この構成によって、データベースに登録された複数の電力設備情報を情報利用者の間で共用できるので、電力設備更新時の仕様検討や電力系統の事故解析等の色々なシミュレーションを含む情報処理を実行できるようになる。従って、難易度の高い電力系統の線路定数や、短絡容量、零相循環電流の計算、保護継電器の検討処理等を実施可能な電力系統簡易シミュレーションシステム等を構築できるようになる。
【００２３】
本発明に係る電力備情報処理システムによれば、本発明に係る情報管理通信装置と情報通信処理装置とが通信手段を介して接続され、情報通信処理装置では、データベースに登録され更新管理される電力設備情報を情報管理通信装置から受信して処理するようになされる。
【００２４】
この構成によって、データベースに登録された複数の電力設備情報を情報利用者の間で共用できるので、電力設備更新時の仕様検討や電力系統の事故解析等の色々なシミュレーションを含む情報処理を実行できるようになる。従って、難易度の高い電力系統の線路定数や、短絡容量、零相循環電流の計算、保護継電器の検討処理等を実施可能な電力系統簡易シミュレーションシステム等を構築できるようになる。
【００２５】
本発明に係る情報処理方法によれば、データベースに登録され更新管理される電力設備情報を当該データベースから読み出して配信するようになされる。
【００２６】
この構成によって、データベースに登録された複数の電力設備情報を情報利用者の間で共用できるので、電力設備更新時の仕様検討や電力系統の事故解析等の色々なシミュレーションを含む情報処理を実行できるようになる。従って、難易度の高い電力系統の線路定数や、短絡容量、零相循環電流の計算、保護継電器の検討処理等を実施可能な電力系統簡易シミュレーションシステム等を構築できるようになる。
【発明を実施するための最良の形態】
【００２７】
続いて、この発明に係る情報管理通信装置、情報通信処理装置、電力設備情報処理システム及び情報処理方法について、図面を参照しながら説明をする。
【００２８】
図１は、本発明に係る実施形態としての電力系統簡易シミュレーションシステム＃１の構成例を示す概念図である。
【００２９】
図１に示す電力系統簡易シミュレーションシステム＃１は、電力設備情報処理システムの一例を構成し、電力系統に関する電力設備情報Ｄ０を処理して、例えば、電力系統簡易シミュレーションを提供したり、発電機器や、変電機器、配電機器等の電力設備やその保護機器の新製品を照会するシステムである。
【００３０】
この例では、情報利用者が自社の電力設備に関する情報を通信手段７０を通じて情報管理通信装置１００に登録することで、電力設備更新時の仕様検討や事故解析等の色々なシミュレーションを含む情報処理を実行できるようになる。これにより、他の情報利用者が登録した電力設備情報Ｄ０を利用して自社の電力設備を設計できるようになる。
【００３１】
電力系統簡易シミュレーションシステム＃１には、情報管理通信装置１００と複数の情報通信処理装置ＰＣｉ（ｉ＝１〜Ｎ）とが備えられる。情報管理通信装置１００は、情報収集管理配信元となる、例えば、電力供給会社１０１側に配置される。情報管理通信装置１００は、更新管理手段１０、データベース２０及び通信モデム３０を有しており、電力系統に関する電力設備情報Ｄ０をデータベース２０に登録し、当該データベース２０に登録された電力設備情報Ｄ０を更新管理すると共に、電力設備情報Ｄ０の配信要求を受信し、かつ、受信した配信要求の電力設備情報Ｄ０をデータベース２０から読み出して配信するように使用される。情報管理通信装置１００にはデスクトップ型又はノート型のパーソナルコンピュータが使用される。
【００３２】
電力設備情報Ｄ０には、電力系統の技術計算用のプログラム（以下系統故障計算用のプログラムという）ＰＤ１、データ保守用のプログラムＰＤ２、電力系統図データＤ１及び送配電線データＤ２が含まれる。このような電力設備情報Ｄ０をデータベース２０で取り扱うと、難易度の高い電力系統の短絡容量計算や保護継電器の検討処理等を容易に実行できるようになる。
【００３３】
情報管理通信装置１００は、系統故障計算プログラムＰＤ１を情報配信要求先の情報処理装置に配信するようになされる。この系統故障計算プログラムＰＤ１には、線路定数計算、短絡容量計算及び零相循環電流計算に関するデータが含まれる。これらのデータを例えば、線路定数データＤ１１、短絡容量データＤ１２及び零相循環電流データＤ１３とする。情報配信要求先には、発電所や変電所等の電気事業者、工場やデパート等の自家用電気工作物を取り扱う電力需要家が含まれる。
【００３４】
また、情報管理通信装置１００は、電力系統のデータ保守用のプログラムＰＤ２を情報配信要求先の情報通信処理装置に配信するようになされる。これは、情報管理通信装置１００から情報通信処理装置にインストールした系統故障計算プログラムＰＤ１等のデータを保守する際に使用するためである。情報管理通信装置１００は通信手段７０に接続して使用される。通信手段７０には、公衆電話回線網やインターネット、専用のマイクロ波通信回線、光通信回線等が使用される。通信手段７０には、電気通信事業者の接続装置を含むものである。
【００３５】
上述の通信手段７０には、複数の情報通信処理装置ＰＣｉ（ｉ＝１〜Ｎ）が接続される。情報通信処理装置ＰＣｉは、情報利用者となる、例えば、電気機器製造業者（機械装置メーカー）側や、自家用電気工作物の設置者側等に配置される。これらの情報利用者は、当該システム＃１に参入するに当たり、自社（所）の受電設備や発変電設備（自家用電気工作物）等を情報収集管理配信元に登録するようになされる。情報通信処理装置ＰＣｉには、デスクトップ型又はノート型のパーソナルコンピュータが使用される。情報通信処理装置ＰＣｉは、キーボード４１、マウス４２及びモニタ４９や図示しない制御システムを有して構成される。
【００３６】
例えば、各機械装置メーカーは、情報通信処理装置ＰＣｉを使用し、キーボード４１や、マウス４２を操作し、通信手段７０を通じて、自社製造機器や機器装置データＤ３等を会話形式により情報収集管理配信元の情報管理通信装置１００へ登録する。機器装置データＤ３には、母線や、変圧器、ケーブル、変流器、変成器、保護継電器等のデータが含まれる。通信手段７０のインターネット上では、例えば、容量１０ＭＶＡの変圧器を損失の少ない順に並べて表示するとか、メンテナンスコストの少ない順に並べて表示して、情報利用者に閲覧してもらったり、機器分類（サイト）規定値以上の装置に対してその機器名の横に認定証（信頼されている第三者認定など）を合わせて表示する等の優遇処理を与えて広告するようになされる。
【００３７】
このように、新製品やその割引等をニーズのある顧客に直ぐに公開できるようになる。これにより、ホームページ上で自社製品を販売宣伝広告を実行できるようになり、自社製品の位置づけが性能的にどのような位置（ランク）にあるか、そのアクセスランキング等の人気がどのような位置にあるかが良くわかり、販売戦略を建て易くなる。
【００３８】
また、自家用電気工作物の設置者側等に配置された情報通信処理装置ＰＣｉでは、受電設備や発変電設備等を会話形式により情報収集管理配信元の情報管理通信装置１００へ登録するようになされる。そして、情報管理通信装置１００から配信されてくる電力設備情報Ｄ０を受信して情報処理をするように使用される。
【００３９】
このように電力系統簡易シミュレーションシステム＃１を構成すると、情報利用者側では、自分の受電設備をインターネットを通じて登録することで、設備更新時の仕様検討や事故解析等に、いろいろなシミュレーションが受けられるようになる。情報利用者に対する宣伝効果を向上できるようになる。例えば、自家用電気工作物設置者の情報通信処理装置ＰＣ１では、電力設備検討時に、予め各機械装置メーカーによって情報収集管理配信元に登録されている母線、変圧器、ケーブル、変流器、変成器、保護継電器等のデータを参照し、現状の電力設備保守時や、電力設備増強時、電力機器取り換え時等を想定して、電力系統簡易シミュレーションを実行する。
【００４０】
この電力系統簡易シミュレーションシステム＃１では、系統故障計算プログラムの計算処理から、通常運転時の電圧降下や損失電力などが電力系統簡易シミュレーションできる。更に、情報通信処理装置ＰＣｉに対して、負荷設備や、発電量等の時系列データを入力し、故障点を設定すると、故障電流や短絡容量をシミュレーションすることができる。これにより、情報利用者は、電力設備更新時の仕様検討や事故解析等、色々なシミュレーションを受けられるようになる。
【００４１】
続いて、本発明に係る情報処理方法について説明する。図２は、実施形態としての電力系統簡易シミュレーションシステム＃１における全体処理例を示すフローチャートである。
【００４２】
この実施形態では、電力系統に関する電力設備情報Ｄ０を処理して、電力系統簡易シミュレーションを提供したり、発電機器や、変電機器、配電機器等の電力設備やその保護機器の新製品を照会する場合を前提とする。
【００４３】
これらを処理条件にして、図２に示すフローチャートのステップＡ１で、情報利用者は情報通信処理装置ＰＣｉを操作して電力設備情報Ｄ０を情報収集管理配信元のデータベース２０に登録する。このとき、各機械装置メーカーは、情報通信処理装置ＰＣｉを使用し、通信手段７０を通じて、自社製品機器や機器装置データＤ３等を会話形式により情報収集管理配信元の情報管理通信装置１００へ登録する。機器装置データＤ３には、母線や、変圧器、ケーブル、変流器、変成器、しゃ断器、保護継電器等のデータが含まれる。
【００４４】
例えば、変圧器メーカーのＡ社は、新に製作した変圧器に係る変圧器データをデータベース２０に登録する。また、しゃ断器部門で知名度のあるＢ社が変圧器も取り扱っている場合、自社製品に係る変圧器データを登録する。このとき、Ｂ社のホームページアドレスも登録してアピールをするようになされる。更に、工場やデパート等の自家用電気工作物の受電系統に、Ｃ社の継電器が適用が好ましい場合に、Ｃ社は、継電器データをデータベース２０に登録するようになされる。また、Ｄ社が新たに開発した電力機器に係る新製品が他社にはない機能が充実している場合、新規メーカーであるＤ社は、当該システム＃１に参入するべく、例えば、メーカー名と機器名を情報管理通信装置１００へ登録するようになされる。
【００４５】
また、自家用電気工作物の設置者側等に配置され情報通信処理装置ＰＣｉでは、受電設備や発変電設備等を会話形式により情報収集管理配信元の情報管理通信装置１００へ電力設備情報を登録するようになされる。このとき、自社の自家用電気工作物の受電回路系統図を示す電力系統図データＤ１を情報収集管理配信元に登録するようになされる。
【００４６】
次に、ステップＡ２に移行して、情報収集管理配信元ではデータベース２０に登録された電力設備情報Ｄ０を更新管理する。例えば、情報管理通信装置１００では、情報利用者（顧客）から登録された電力系統図が更新登録された場合に、電力系統図データＤ１に基づいてデータベース２０を書き換えるようになされる。電力系統図データＤ１は、受電回路系統図面を表示する際や、当該図面をプリントアウトする際に使用可能な情報である。
【００４７】
機械装置メーカーから登録された機器装置データＤ３には、変圧器データや、計器用変成器データ、しゃ断器データ、その他機器データ等がメーカー別に編集される。例えば、変圧器データに関して、トランス（Ｔｒ）メーカーＡ社に対応してトランスの諸元○○○○○○や、Ｂ社〜Ｄ社に対応して各々のトランスの諸元○○○○○○が記述される。同様にして、計器用変成器データに関して、変成器メーカーＡ社に対して変成器の諸元○○○○○○や、Ｂ社〜Ｅ社に対して各々の変成器の諸元○○○○○○が記述される。
【００４８】
更に、しゃ断器データに関して、しゃ断器メーカーＡ社に対してしゃ断器の諸元○○○○○○や、Ｂ社〜Ｇ社に対して各々のしゃ断器の諸元○○○○○○が記述される。その他機器データに関して、各保護継電器メーカーＡ社に対して継電器の諸元○○○○○○や、Ｂ社〜Ｄ社に対して各々の継電器の諸元○○○○○○が記述される。
【００４９】
また、ステップＡ３で、情報収集管理配信元は、電力設備情報Ｄ０の配信要求を受信する。このとき、情報管理通信装置１００は原則、情報利用者からの受信可能となされ、常時、受信待機状態となされる。メンテナンス期間中は、例外的に受信が拒否される。ここで、情報利用者は、例えば、電力系統の故障計算に必要な電力設備情報Ｄ０をデータベース２０から読み出すように配信要求する。このとき、情報利用者は、自社の受電回路の短絡容量を計算したい場合は、系統故障計算プログラムＰＤ１や送配電線データＤ２を要求する。
【００５０】
そして、ステップＡ４に移行して、情報収集管理配信元は、先に受信した情報利用者からの配信要求があった電力設備情報Ｄ０＝ＰＤ１＋Ｄ２等をデータベース２０から読み出して配信する。系統故障計算プログラムＰＤ１には、線路定数計算、短絡容量計算及び零相循環電流計算に関する線路定数データＤ１１、短絡容量データＤ１２及び零相循環電流データＤ１３が含まれる。
【００５１】
次に、ステップＡ５に移行して、情報利用者側では、情報管理配信装置１００から配信されてくる電力設備情報Ｄ０＝ＰＤ１＋Ｄ２を受信して情報処理する。例えば、情報通信処理装置ＰＣ１では、図１に示したキーボード４１やマウス４２を使用して、負荷設備や、発電量等の時系列データが入力され、送配電線データＤ２に基づく電力系統図内に故障点が設定されると、系統故障計算プログラムＰＤ１に基づいて故障電流や短絡容量がシミュレーションから求められる。電力系統図は、例えば、情報通信処理装置ＰＣ１のモニタ４９に表示される。これにより、情報利用者は、電力設備更新時の仕様検討や事故解析等、色々なシミュレーションを受けられるようになる。この系統故障計算プログラムＰＤ１に基づくシミュレーションで、通常運転時の電圧降下や損失電力などを求めることができる。
【００５２】
また、情報利用者が機械装置メーカーのホームページの閲覧を操作すると、そのモニタ上には、例えば、新製品の容量１０ＭＶＡの変圧器が損失の少ない順に並べて表示され、更に、メンテナンスコストの少ない順に並べて表示される。これにより、モニタ４９に表示された新製品の変圧器を閲覧したり、機器分類（サイト）規定値以上の装置名に表示された認定証を合わせて確認できるようになる。
【００５３】
このように、本発明に係る実施形態としての電力系統簡易シミュレーションシステム及び情報処理方法によれば、電力系統に関する電力設備情報Ｄ０を処理する場合に、情報収集管理配信元の情報管理通信装置１００と情報利用者の情報通信処理装置ＰＣｉとがインターネット等の通信手段７０を介して接続される。情報管理通信装置１００では、電力設備情報Ｄ０がデータベース２０に登録され、当該データベース２０に登録された電力設備情報Ｄ０が更新管理されると共に、電力設備情報Ｄ０の配信要求が受信される。情報管理通信装置１００は、受信した配信要求の電力設備情報Ｄ０をデータベース２０から読み出して情報通信処理装置ＰＣｉへ配信する。これを前提にして、情報通信処理装置ＰＣｉは、情報管理通信装置１００から配信された電力設備情報Ｄ０を受信して処理するようになされる。
【００５４】
従って、データベース２０に登録された複数の電力設備情報Ｄ０を情報利用者の間で共用できるので、電力設備更新時の仕様検討や電力系統の事故解析等の色々なシミュレーションを含む情報処理を実行できるようになる。これにより、各機器装置メーカー（他の情報利用者）の電力設備情報Ｄ０を受けて、難易度の高い電力系統の線路定数や、短絡容量、零相循環電流の計算、保護継電器の検討処理等の電力系統簡易シミュレーションを実行できるようになる。
【００５５】
例えば、デパート等の自家用電気工作物の設置者は、電力系統簡易シミュレーションを実行して構内事故が発生した場合の影響を確認するようになされる。このシミュレーションの結果、例えば、デパート全体が停電することが明確になったような場合、そのような事故に備えて、所内発電機の点検や、所内電力供給システムの切替手順をマニュアル化する等の対処を採ることができる。
【００５６】
また、工場等の自家用電気工作物の設置者（情報利用者）は、自社の変圧器の取換時期が到来し、しかも、負荷設備が増加し、受電容量を１０ＭＶＡから１５ＭＶＡに変更するような場合に、電力系統簡易シミュレーションを実行する。その結果、情報利用者は、機械装置メーカーのホームページに表示されたＢ社の変圧器が性能価格ともに申し分ない旨等を確認できるようになる。
【００５７】
更に、電力系統簡易シミュレーションシステム＃１では、電力系統における保護継電器の保護協調図が作成され、その点検結果（現在の整定）を入力するようになされ、保護継電器の整定確認ができるようになっている。例えば、受電設備の保護継電器の協調性が、他の保護継電器に比べて、あまり良くない場合に、各社の保護継電器を選んで、電力系統簡易シミュレーションに適用し、その協調性を確認するようになされる。
【００５８】
このシミュレーションの結果、例えば、Ｂ社及びＥ社の保護継電器が他の保護継電器と協調性が良い場合に、早速、Ｂ社及びＥ社に価格の見積もりを依頼する等の処理に移行することができる。なお、情報利用者がどのような電力設備を使用して、どのような内容の電力系統簡易シミュレーションを実行したかは一切公開されない。更に、情報管理通信装置１００で、電力設備情報Ｄ０や保護継電器の整定データ等を保管したり、情報利用者の受電設備の健全性を診断することもできる。その他、機械装置及び当該機器装置に対する特性や、信頼性、メンテナンス等のデータを情報利用者の情報通信処理装置へ提供するようにしてもよい。
【実施例１】
【００５９】
図３は、第１の実施例としての情報管理通信装置１００の構成例を示すブロック図である。この実施例で、情報収集管理配信元には、情報管理通信装置１００が配置される。  
図３に示す情報管理通信装置１００は、更新管理手段１０、データベース２０及び通信モデム３０を有しており、電力設備情報Ｄ０をデータベース２０に登録し、当該データベース２０に登録された電力設備情報Ｄ０を更新管理すると共に、電力設備情報Ｄ０の配信要求を受信し、かつ、受信した配信要求の電力設備情報Ｄ０をデータベース２０から読み出して配信するように使用される。
【００６０】
更新管理手段１０は、データベース２０に登録された電力設備情報Ｄ０を更新管理するものである。更新管理手段１０には、デスクトップ型又はノート型のパーソナルコンピュータが使用される。更新管理手段１０は、例えば、キーボード１１、マウス１２、ＲＯＭ（Read Only Memory）１３、ＲＡＭ（Random Access Memory）１４、ＣＰＵ（Central Processing Unit；中央処理ユニット）１５、ＥＥＰＲＯＭ（Electrically  Erasable  Read Only Memory）１６、Ｉ／Ｏインターフェース１７、システムバス１８、モニタ１９及びハードディスク（ＨＤＤ）２１を有して構成される。
【００６１】
システムバス１８には、ＲＯＭ１３、ワーク用のＲＡＭ１４、ＣＰＵ１５、ＥＥＰＲＯＭ１６、ＨＤＤ２１が接続される。ＲＯＭ１３には当該更新管理装置全体を制御するためのシステムプログラムデータＰＤ０が格納される。ＲＡＭ１４には、システムプログラムデータＰＤ０や、各種制御コマンド等を一時記憶するようになされる。ＣＰＵ１５は電源がオンされると、ＲＯＭ１３からシステムプログラムデータＰＤ０をＲＡＭ１４に読み出してシステムを起動し、当該更新管理手段全体を制御するようになされる。
【００６２】
ＣＰＵ１５には入出力（Ｉ／Ｏ）インターフェース１７が接続される。Ｉ／Ｏインターフェース１７には、キーボード１１及びマウス１２が通信ケーブルで接続される。もちろん、キーボード１１及びマウス１２は、無線方式のインターフェースを備えるものでもよい。キーボード１１やマウス１２等は、情報利用者の情報通信処理装置ＰＣｉからの登録要求や、配信要求を自動受信する際の初期設定操作に使用される。
【００６３】
キーボード１１は、初期設定操作に関して入力された登録要求や配信要求等の受信条件を操作データＤ１１としてインターフェース１７を介してＣＰＵ１５に出力する。マウス１２は、初期設定操作に関して入力された登録要求や配信要求等の受信条件を操作データＤ１２として同様にＣＰＵ１５に出力する。ＥＥＰＲＯＭ１６には、例えば、情報利用者の登録番号やパスワードデータＤｐ等が格納される。ＥＥＰＲＯＭ１６は、情報が電気的に消去可能で、その書込みが可能な読出し専用メモリである。
【００６４】
システムバス１８に接続されたＨＤＤ２１は内部実装型のデータベースを構成し、各機器装置メーカー等の情報利用者の情報通信処理装置ＰＣｉから転送されてくる電力設備情報Ｄ０を記憶するものである。機器装置データ用のＨＤＤ２１の内容は日々更新され、各機器装置メーカーからの装置機器データ（製品情報）Ｄ３を新規登録することにより、ＨＤＤ２１の充実化が図れるようになる。このように電力設備情報Ｄ０をデータベース化すると、地絡事故時の零相循環電流計算や、三相短絡時の短絡容量計算等に必要な機械装置データＤ３及び短絡容量をインターネット等で公表できるようになる。
【００６５】
インターフェース１７には、外部取付け型のデータベース２０が接続される。データベース２０には大容量の光磁気記憶装置等が使用され、例えば、ＨＤＤ２１のバックアップ又はメインデータベースとして取り扱われ、情報収集管理配信元から情報利用者へ配信するための、系統故障計算用のプログラムＰＤ１、データ保守用のプログラムＰＤ２、電力系統図データＤ１、送配電線データＤ２及び機器装置データＤ３が格納される。電力系統図データＤ１は、例えば、電力系統を登録した者（顧客）の受電回路系統図を成す情報である。送配電線データＤ２は、短絡容量を提供する情報である。機器装置データＤ３は、新製品等の仕様諸元を示す情報である。系統故障計算プログラムＰＤ１やデータ保守用のプログラムＰＤ２は、情報収集管理配信元で予め準備される。機械装置メーカーは、新規メーカーとしての登録や新製品等の機器装置データＤ３をデータベース２０に登録する。
【００６６】
データベース２０には機器装置データＤ３を構成する変圧器データとして、例えば、
Ｔｒメーカー              Ｔｒ諸元
Ａ社                 ○○○○○○○○
Ｂ社                 ○○○○○○○○
Ｃ社                 ○○○○○○○○
Ｄ社                 ○○○○○○○○
が記述される。
【００６７】
また、データベース２０には計器用変成器データとして、
変成器メーカー            変成器諸元
Ａ社                 ○○○○○○○○
Ｂ社                 ○○○○○○○○
Ｃ社                 ○○○○○○○○
Ｄ社                 ○○○○○○○○
Ｅ社                 ○○○○○○○○
が記述される。
【００６８】
更に、データベース２０にはしゃ断器データとして、
しゃ断器メーカー            しゃ断器諸元
Ａ社                 ○○○○○○○○
Ｂ社                 ○○○○○○○○
Ｃ社                 ○○○○○○○○
Ｄ社                 ○○○○○○○○
が記述される。
【００６９】
更にまた、データベース２０にはその他機器データ（各機器保護継電器データ）として、
継電器メーカー            継電器諸元
Ａ社                 ○○○○○○○○
Ｂ社                 ○○○○○○○○
Ｃ社                 ○○○○○○○○
Ｄ社                 ○○○○○○○○
Ｆ社                 ○○○○○○○○
Ｇ社                 ○○○○○○○○
が各々記述される。
【００７０】
また、Ｉ／Ｏインターフェース１７には、キーボード１１及びマウス１２の他に、モニタ１９が接続される。モニタ１９は、ＨＤＤ２１又はデータベース２０から読み出された電力系統図データＤ１、送配電線データＤ２及び機器装置データＤ３を、例えば、既存の編集プログラムに基づいて編集する際に表示するようになされる。編集作業は、例えば、情報収集管理配信元のオペレータがモニタ１９を見ながら編集するようになされる。モニタ１９には液晶表示パネルや、ＰＤＰ表示パネル、ＣＲＴ等が使用される。
【００７１】
なお、Ｉ／Ｏインターフェース１７には、キーボード１１、マウス１２及びモニタ１９の他に、通信モデム３０が接続され、インターネット等の通信手段７０に接続される。通信モデム３０は、情報利用者からの電力設備情報Ｄ０の登録要求や、配信要求等を受信し、かつ、受信した登録要求や配信要求等の電力設備情報Ｄ０をＣＰＵ１５の制御を受けて、データベース２０へ登録したり、当該データベース２０から電力設備情報Ｄ０を読み出して配信するものである。通信モデム３０は、例えば、系統故障計算プログラムＰＤ１を情報配信要求先の情報受信処理装置ＰＣ１に配信するようになされる。
【００７２】
このように、第１の実施例としての情報管理通信装置１００によれば、電力系統に関する電力設備情報Ｄ０を処理する場合に、ＨＤＤ２１やデータベース２０等には、情報利用者からの電力設備情報Ｄ０が記憶される。データベース２０等には、系統故障計算プログラムＰＤ１、データ保守用のプログラムＰＤ２、電力系統図データＤ１、送配電線データＤ２及び機器装置データＤ３が格納される。更新管理手段１０は、データベース２０等に登録された上述の電力設備情報Ｄ０を更新管理するようになされる。これを前提にして、通信モデム３０は、情報利用者の情報通信処理装置ＰＣ１からの電力設備情報Ｄ０の配信要求を受信し、かつ、受信した配信要求の電力設備情報Ｄ０をデータベース２０から読み出して配信するようになる。
【００７３】
従って、データベース２０に登録された複数の電力設備情報Ｄ０を当該システム＃１へ加入している情報利用者の間で共用できるので、電力設備更新時の仕様検討や電力系統の事故解析等の色々なシミュレーションを含む情報処理を実行できるようになる。機械装置メーカーは、新製品等の機器装置データＤ３をデータベース２０に登録することができる。これにより、難易度の高い電力系統の線路定数や、短絡容量、零相循環電流の計算、保護継電器の検討処理等を実施可能な電力系統簡易シミュレーションシステム（ビジネスモデル）１を構築できるようになる。しかも、電力設備情報Ｄ０を含んだシミュレーションをリアルタイムに実行できるようになる。
【実施例２】
【００７４】
図４は、第２の実施例としての情報通信処理装置ＰＣｉの構成例を示すブロック図である。この実施例で、情報利用者側には、情報通信処理装置ＰＣｉが配置され、情報利用者は、例えば、新規バンク設計時に、必要とされる電力系統設備の候補を出力したり、機械装置メーカーをピックアップしたり、電力系統簡易シミュレーションを実行する。
【００７５】
図４に示す情報通信処理装置ＰＣｉは、情報収集管理配信元のデータベース２０に登録された電力系統に関する電力設備情報Ｄ０を受信して処理する装置である。情報通信処理装置ＰＣｉは、ハードディスク内蔵のコンピュータ４０及び通信モデム６０を有して構成される。
【００７６】
通信モデム６０は、情報通信手段の一例を構成し、情報収集管理配信元のデータベース２０から配信される電力設備情報Ｄ０を受信するものである。通信モデム６０は、一方は通信手段７０に接続され、他方はコンピュータ４０に接続され、当該システム＃１へ参入する際に、情報収集管理配信元のデータベース２０へ電力設備情報Ｄ０を登録するように使用される。通信モデム６０は、例えば、情報配信要求先の情報受信処理装置ＰＣ１から系統故障計算プログラムＰＤ１をダウンロードするようになされる。
【００７７】
通信モデム６０に接続されたコンピュータ４０は、情報処理手段の一例を構成し、当該通信モデム６０によって受信された電力設備情報Ｄ０を処理するものであり、例えば、系統故障計算プログラムＰＤ１に基づいて電力系統に関する計算処理を実行する。コンピュータ４０は、例えば、系統故障計算プログラムＰＤ１に基づいて電力系統の線路定数、短絡容量及び零相循環電流に関する計算処理を実行する。
【００７８】
コンピュータ４０は、例えば、キーボード４１、マウス４２、ＲＯＭ４３、ＲＡＭ４４、ＣＰＵ（中央演算処理装置）４５、ＥＥＰＲＯＭ４６、Ｉ／Ｏインターフェース４７、システムバス４８、モニタ４９及びハードディスク（ＨＤＤ）５０を有して構成される。
【００７９】
システムバス４８には、ＲＯＭ４３、ワーク用のＲＡＭ４４、ＣＰＵ４５、ＥＥＰＲＯＭ４６、ＨＤＤ５０が接続される。ＲＯＭ４３には当該コンピュータ全体を制御するためのシステムプログラムデータＰＤ０が格納される。ＲＡＭ４４には、システムプログラムデータＰＤ０や、系統故障計算用のプログラムＰＤ１、データ保守用のプログラムＰＤ２、各種制御コマンド等を一時記憶するようになされる。ＣＰＵ４５は電源がオンされると、ＲＯＭ４３からシステムプログラムデータＰＤ０をＲＡＭ４４に読み出してシステムを起動し、当該コンピュータ全体を制御するようになされる。
【００８０】
ＥＥＰＲＯＭ４６には、例えば、情報利用者の登録番号やパスワードデータＤｐ等が格納される。ＥＥＰＲＯＭ４６は、情報が電気的に消去可能で、その書込みが可能な読出し専用メモリである。システムバス４８に接続されたＨＤＤ５０はデータベースを構成し、情報配信者の情報管理通信装置ＰＣｉから転送されてくる電力設備情報Ｄ０を記憶するものである。
【００８１】
ＣＰＵ４５には入出力（Ｉ／Ｏ）インターフェース４７が接続される。Ｉ／Ｏインターフェース４７には、キーボード４１及びマウス４２が通信ケーブルで接続される。もちろん、キーボード４１及びマウス４２は、無線方式のインターフェースを備えるものでもよい。キーボード４１やマウス４２等は、系統故障計算用のプログラムＰＤ１に対して計算条件を入力するように操作される。例えば、メニュー画面Ｐ１で、マスターデータ登録や、線路定数計算、短絡容量計算、データ集計、零相循環電流計算等の項目を選択するように操作される。
【００８２】
キーボード４１は、同プログラムＰＤ１に対して入力された計算条件や数値を操作データＤ４１としてインターフェース５３を介してＣＰＵ４５に出力する。マウス４２は、系統故障計算用のプログラムＰＤ１に対するクリック入力や、又は指定された計算条件の中から、チェック入力する際に使用され、その際のマウス入力は、操作データＤ４２としてＣＰＵ４５に出力される。
【００８３】
更に、コンピュータ４０は、情報管理通信装置１００からインストールしたデータ保守用のプログラムＰＤ２に基づいて系統故障計算プログラムＰＤ１等のデータを保守するようになされる。これは、系統故障計算プログラムＰＤ１等の更新時に各種データを円滑に書き換えるようにするためである。
【００８４】
上述のシステムバス４８に接続されたハードディスク５０は、情報収集管理配信元のデータベース２０からダウンロードした電力設備情報Ｄ０を記憶するものである。ハードディスク５０には、例えば、系統故障計算用のプログラムＰＤ１、データ保守用のプログラムＰＤ２、電力系統図データＤ１、送配電線データＤ２及び機器装置データＤ３が格納される。
【００８５】
また、Ｉ／Ｏインターフェース４７には、キーボード４１及びマウス４２の他に、モニタ４９が接続される。モニタ４９は、ハードディスク５０から読み出された系統故障計算用のプログラムＰＤ１に基づいてメニュー画面を表示し、系統故障計算処理等の手順を表示するようになされる。モニタ４９には液晶表示パネルや、ＰＤＰ表示パネル、ＣＲＴ等が使用される。
【００８６】
モニタ４９は、例えば、系統故障計算用のプログラムＰＤ１からデコードした表示データＤ２９に基づいて、メニュー画面Ｐ１やデータ編集・計算実行画面Ｐ２等を表示するようになされる。メニュー画面Ｐ１は、マスターデータ登録や、線路定数計算、短絡容量計算、データ集計、零相循環電流計算等の選択項目が表示される。マスターデータ登録時は、データ編集・計算実行画面Ｐ２の下位階層として電線マスターデータ登録画面Ｐ１１や、単心ケーブルマスターデータ登録画面Ｐ１２、３心ケーブルマスターデータ登録画面Ｐ１３等がモニタ４９に表示される。
【００８７】
また、線路定数計算時には、データ編集・計算実行画面Ｐ２の下位階層として線路定数（架空系）データ入力画面Ｐ２１や、ルート入力画面Ｐ２２、線路定数入力画面Ｐ２３、Ｐ２４、架空地線入力画面Ｐ２５、計算結果出力画面Ｐ２６、レポート表示画面Ｐ２７等がモニタ４９に表示される。データ集計時には、データ編集・計算実行画面Ｐ２の下位階層として集計対象区間設定画面Ｐ３１、計算結果出力画面Ｐ３２、レポート表示画面Ｐ３３等がモニタ４９に表示される。
【００８８】
短絡容量計算時には、データ編集・計算実行画面Ｐ４の下位階層として短絡容量データ入力画面Ｐ４１や、ブランチデータ入力画面Ｐ４２、電源データ入力画面Ｐ４３、負荷データ入力画面Ｐ４４、データエラー確認画面Ｐ４５、計算結果出力画面Ｐ４６、レポート表示画面Ｐ４７等がモニタ４９に表示される。
【００８９】
零相循環電流計算時には、データ編集・計算実行画面Ｐ５の下位階層として零相循環電流データ入力画面Ｐ５１や、サブ区間（架空系）データ編集画面Ｐ５２、サブ区間（ケーブル系）データ編集画面Ｐ５３、起誘導回線電流入力画面Ｐ５４、計算結果出力画面Ｐ５５、レポート表示画面Ｐ５６等がモニタ４９に表示される。上述のＣＰＵ４５は、例えば、メニュー画面Ｐ１で「マスターデータ登録」のボタンが選択されると、モニタ４９にデータ編集・計算実行画面Ｐ２を表示するように制御される。
【００９０】
また、Ｉ／Ｏインターフェース４７には、プリンタ８０が接続され、電力系統簡易シミュレーション時等における印刷データＤ８０に基づいて結果記録紙８１を出力するようになされる。結果記録紙８１には、電力系統図面や、計算結果出力表、入力データ表等をプリントアウトするようになされる。印刷データＤ８０はＣＰＵ４５によって、例えば、ＲＡＭ４４で操作データＤ４１やＤ４２に基づいて電力系統図データＤ１をシステムプログラムデータＰＤ０に基づいて編集されたものが利用される。
【００９１】
このように、第２の実施例としての情報通信処理装置ＰＣｉによれば、ハードディスク５０に登録された電力系統に関する電力設備情報Ｄ０を受信して処理する場合に、通信モデム６０は、ハードディスク５０から配信される電力設備情報Ｄ０を受信する。コンピュータ４０は、通信モデム６０によって受信された電力設備情報Ｄ０を処理する。これを前提にして、コンピュータ４０は、系統故障計算プログラムＰＤ１に基づいて電力系統に関する計算処理を実行するようになる。例えば、コンピュータ４０は、系統故障計算プログラムＰＤ１に基づいて電力系統の線路定数、短絡容量及び零相循環電流に関する計算処理を実行する。
【００９２】
従って、ハードディスク５０に登録された複数の電力設備情報Ｄ０を情報利用者の間で共用できるので、電力設備更新時の仕様検討や電力系統の事故解析等の色々なシミュレーションを含む情報処理を実行できるようになる。これにより、難易度の高い電力系統の線路定数や、短絡容量、零相循環電流の計算、保護継電器の検討処理等を実施可能な電力系統簡易シミュレーションシステム等を構築できるようになる。実際に事故が発生する以前に、電力供給管内における電気事業者用の電気工作物や自家用電気工作物等における万一の事故に対応するシミュレーションを行うことができる。
【実施例３】
【００９３】
続いて、電力系統簡易シミュレーションシステム＃１を応用した情報処理方法について説明する。図５は、第３の実施例としてのシステム起動時のメニュー画面Ｐ１の表示例を示す図である。この実施例では、系統故障計算用のプログラムＰＤ１の他に各保護支援データ、機器諸元により故障計算等を実行するようになる。
【００９４】
図５に示すメニュー画面Ｐ１は、電力系統簡易シミュレーションシステム＃１の起動によってモニタ４９に表示するようになされる。メニュー画面Ｐ１には、「技術計算プログラム  Ｖｅｒ．○○」のタイトルが表示される。このタイトルの下方領域には、「マスターデータ登録」及び「線路定数計算」、「短絡容量計算」及び「零相循環電流計算」の選択項目が表示される。マスターデータ登録の項目欄には、電線種類のボタンＢＴ１、単心ケーブルのボタンＢＴ２及び３心ケーブルのボタンＢＴ３が配置され、マウス４２でクリック選択（操作）可能となされている。
【００９５】
線路定数計算の項目欄は、「架空系」及び「ケーブル系」に分かれており、架空系の項目欄には編集のボタンＢＴ４及び集計のボタンＢＴ５が配置されている。ケーブル系の項目欄にも編集のボタンＢＴ６及び集計のボタンＢＴ７が各々配置され、マウス４２で各々クリック操作可能となされている。
【００９６】
短絡容量計算の項目欄には編集のボタンＢＴ８が配置され、零相循環電流計算の項目欄にも編集のボタンＢＴ９が各々配置されている。マウス４２でこれらのボタンＢＴ１〜ボタンＢＴ９をオンするようにクリック操作すると、これらのスイッチオンが操作データＤ４２となってＣＰＵ４５に出力され、ＣＰＵ４５では、操作データＤ４２に基づいてモニタ４９を表示制御するようになされる。なお、メニュー画面Ｐ１の右上方には終了のボタンＢＴ１８が配置され、このボタンＢＴ１８は当該システム終了時にクリックされる。
【００９７】
図６は、電線マスターデータ登録画面Ｐ１１の表示例を示す図である。図６に示す電線マスターデータ登録画面Ｐ１１は、図５に示した「マスターデータ登録」の項目欄で、「電線種類」のボタンＢＴ１をクリック（オン）することにより、モニタ４９に表示される。この登録画面Ｐ１１には、「電線マスターデータ登録」のタイトルが表示される。このタイトルの右隣り領域には、「削除」のボタンＢＴ１０、「新規作成」のボタンＢＴ１１及び「戻る」のボタンＢＴ１２が配置される。削除ボタンＢＴ１０は、既に登録されている電線データを削除する際にクリックされる。新規登録ボタンＢＴ１１は、電線データを新規に登録する場合にクリックされる。戻るボタンＢＴ１２は、元の画面に戻る場合にクリック（ボタン押下）される。
【００９８】
これらの表示領域及びボタン配置領域の下方には、明細入力領域ｗ１が設定されている。明細入力領域ｗ１には、電線種類、公称断面積（ｍｍ2［＝ｓｑｒ］）、実断面積（ｍｍ2）及び導体抵抗（Ω／ｋｍ）の登録項目欄が設定されている。電線種類の登録欄ｗ１１には、例えば、電線の種類として「５８ＴＡＣＳＲ」が入力される。「５８ＴＡＣＳＲ」は、キーボード４１を使用して文字入力される。これらの文字入力情報は、操作データＤ４１となってＣＰＵ４５に出力され、ＣＰＵ４５では、操作データＤ４１に基づいてモニタ４９に対して登録欄ｗ１１に「５８ＴＡＣＳＲ」を表示するように制御される。図中の三角印は、現在選択されているデータを示している。下方には登録する分の全データが入力される。
【００９９】
また、公称断面積の登録欄ｗ１２には、例えば、電線の公称断面積として「５８．０００」が入力される。以下、「８０．０００」や、「９５．０００」、「１２０．０００」（ｍｍ2）等がキーボード４１を使用して文字入力される。これらの文字入力情報は、操作データＤ４１となってＣＰＵ４５に出力され、ＣＰＵ４５では、操作データＤ４１に基づいてモニタ４９に対して登録欄ｗ１２に「５８．０００」、「８０．０００」、「９５．０００」及び「１２０．０００」を表示するように制御される。
【０１００】
更に、実断面積の登録欄ｗ１３には、例えば、電線の実断面積として「６７．６５００」が入力される。以下、「９６．９５００」や、「１１１．３００」、「１５３．８００」（ｍｍ2）等がキーボード４１を使用して文字入力される。これらの文字入力情報は、操作データＤ４１となってＣＰＵ４５に出力され、ＣＰＵ４５では、操作データＤ４１に基づいてモニタ４９に対して登録欄ｗ１３に「６７．６５００」や、「９６．９５００」、「１１１．３００」及び「１５３．８００」を表示するように制御される。
【０１０１】
また、導体抵抗（Ω／ｋｍ）の登録欄ｗ１４には、電線の導体抵抗として「０．５２２０」や、「０．３６３０」、「０．３１６０」、「０．２４５０」（Ω／ｋｍ）等がキーボード４１を使用して文字入力される。これらの文字入力情報は、操作データＤ４１となってＣＰＵ４５に出力され、ＣＰＵ４５では、操作データＤ４１に基づいてモニタ４９に対して登録欄ｗ１４に「０．５２２０」、「０．３６３０」、「０．３１６０」及び「０．２４５０」を表示するように制御される。これらの操作データＤ４１は、電線データとなる。
【０１０２】
［登録手順］
まず、「戻る」、「削除」又は「新規登録」のいずれかのボタンＢＴ１０〜ＢＴ１２を選択する。例えば、既に登録された電線データを削除する場合は、削除したい電線データを選択し、削除ボタンＢＴ１０をクリックするようになされる。電線データを新たに登録する場合は、新規登録ボタンＢＴ１１を押して、明細入力領域ｗ１に現れた空白の登録欄（入力エリア）ｗ１１〜ｗ１４に各々のデータを入力するようになされる。なお、電線登録データを変更する場合は、変更したい箇所にカーソルを移動してデータを書き換えるようになされる。
【０１０３】
上述の明細入力領域ｗ１の下方には、「表形式出力」のボタンＢＴ１３が配置されている。このボタンＢＴ１３をスイッチオンすると、電線種類、公称断面積（ｍｍ2）、実断面積（ｍｍ2）及び導体抵抗（Ω／ｋｍ）の登録項目を表形式に変換するようになされる。この電線登録データの表形式変換にはＥＸＣＥＬ（登録商標）機能が使用される。これにより、データベース２０に電線マスターデータを登録することができる。
【０１０４】
図７は、単心ケーブルマスターデータ登録画面Ｐ１２の表示例を示す図である。図７に示す単心ケーブルマスターデータ登録画面Ｐ１２は、図５に示した「マスターデータ登録」の項目欄で、「単心ケーブル種類」のボタンＢＴ２をクリック（オン）することにより、モニタ４９に表示される。
【０１０５】
この登録画面Ｐ１２には、「単心ケーブルマスターデータ登録」のタイトルが表示される。このタイトルの右隣り領域には、「削除」のボタンＢＴ１４、「新規作成」のボタンＢＴ１５及び「戻る」のボタンＢＴ１６が配置される。削除ボタンＢＴ１４は、単心ケーブル登録データを削除する際にクリックされる。新規登録ボタンＢＴ１５は、単心ケーブル登録データを新規に登録する場合にクリックされる。戻るボタンＢＴ１６は、元の画面に戻る場合にクリック（ボタン押下）される。
【０１０６】
これらの表示領域及びボタン配置領域の下方には、明細入力領域ｗ１が設定されている。明細入力領域ｗ１には、単心ケーブル種類、公称断面積（ｍｍ2）、電圧階級（ｋＶ、導体径（ｍｍ）、シース内径（ｍｍ）、シース外径（ｍｍ）、導体抵抗（Ω／ｋｍ）及び静電容量（μＦ／ｋｍ）の登録項目欄が設定されている。単心ケーブル種類の登録欄ｗ１１’には、例えば、単心ケーブルの種類として「ＣＡＺＶ」が入力される。「ＣＡＺＶ」は、キーボード４１を使用して文字入力される。これらの文字入力情報は、操作データＤ４１となってＣＰＵ４５に出力され、ＣＰＵ４５では、操作データＤ４１に基づいてモニタ４９に対して登録欄ｗ１１’に「ＣＡＺＶ」を表示するように制御される。図中の三角印は、現在選択されているデータを示している。下方には登録する分の全データが入力される。
【０１０７】
また、公称断面積の登録欄ｗ１２には、例えば、単心ケーブルの公称断面積として「６００」が入力される。以下、「８００」や、「１０００」、「１２００」（ｍｍ2）等がキーボード４１を使用して文字入力される。これらの文字入力情報は、操作データＤ４１となってＣＰＵ４５に出力され、ＣＰＵ４５では、操作データＤ４１に基づいてモニタ４９に対して登録欄ｗ１２に「６００」、「８００」、「１０００」及び「１２００」を表示するように制御される。
【０１０８】
更に、電圧階級（ｋＶ）の登録欄ｗ１５には、例えば、単心ケーブルの電圧階級として「２２０」が入力される。電圧階級はキーボード４１を使用して文字入力される。この文字入力情報は、操作データＤ４１となってＣＰＵ４５に出力され、ＣＰＵ４５では、操作データＤ４１に基づいてモニタ４９に対して登録欄ｗ１５に登録する分のデータに「２２０」を表示するように制御される。
【０１０９】
導体径（ｍｍ）の登録欄ｗ１６には、例えば、単心ケーブルの導体径として「２９．５」が入力される。以下、「３４．０」や、「３８．０」、「４１．７」（ｍｍ）等がキーボード４１を使用して文字入力される。これらの文字入力情報は、操作データＤ４１となってＣＰＵ４５に出力され、ＣＰＵ４５では、操作データＤ４１に基づいてモニタ４９に対して登録欄ｗ１６に登録する分のデータに「２９．５」、「３４．０」、「３８．０」及び「４１．７」を表示するように制御される。
【０１１０】
シース内径（ｍｍ）の登録欄ｗ１７には、例えば、単心ケーブルのシース内径として「８５．５」が入力される。以下、「９２．０」や、「９６．０」、「９９．７」（ｍｍ）等がキーボード４１を使用して文字入力される。これらの文字入力情報は、操作データＤ４１となってＣＰＵ４５に出力され、ＣＰＵ４５では、操作データＤ４１に基づいてモニタ４９に対して登録欄ｗ１７に登録する分のデータに「８５．５」、「９２．０」、「９６．０」及び「９９．７」を表示するように制御される。
【０１１１】
更に、シース外径（ｍｍ）の登録欄ｗ１８には、例えば、単心ケーブルのシース外径として「９０．３」が入力される。以下、「９６．８」や、「１０１．０」、「１０４．７」（ｍｍ）等がキーボード４１を使用して文字入力される。これらの文字入力情報は、操作データＤ４１となってＣＰＵ４５に出力され、ＣＰＵ４５では、操作データＤ４１に基づいてモニタ４９に対して登録欄ｗ１８に登録する分のデータに「９０．３」、「９６．８」、「１０１．０」及び「１０４．７」を表示するように制御される。
【０１１２】
導体抵抗（Ω／ｋｍ）の登録欄ｗ１４には、単心ケーブルの導体抵抗として「０．０３０８」や、「０．０２３１」、「０．０１８７」、「０．０１５６」（Ω／ｋｍ）等がキーボード４１を使用して文字入力される。これらの文字入力情報は、操作データＤ４１となってＣＰＵ４５に出力され、ＣＰＵ４５では、操作データＤ４１に基づいてモニタ４９に対して登録欄ｗ１４に「０．０３０８」、「０．０２３１」、「０．０１８７」及び「０．０１５６」を表示するように制御される。
【０１１３】
静電容量（μＦ／ｋｍ）の登録欄ｗ１９には、単心ケーブルの導体抵抗として「０．１７」や、「０．１９」、「０．２０」、「０．２２」（μＦ／ｋｍ）等がキーボード４１を使用して文字入力される。これらの文字入力情報は、操作データＤ４１となってＣＰＵ４５に出力され、ＣＰＵ４５では、操作データＤ４１に基づいてモニタ４９に対して登録欄ｗ１９に「０．１７」、「０．１９」、「０．２０」及び「０．２２」を表示するように制御される。これらの操作データＤ４１は、単心ケーブル登録データとなる。
【０１１４】
［登録手順］
まず、「削除」、「新規登録」又は「戻る」のいずれかのボタンＢＴ１４〜ＢＴ１６を選択する。例えば、単心ケーブル登録データを削除する場合は、削除したいデータを選択して削除ボタンＢＴ１４をクリックするようになされる。単心ケーブルデータを新たに登録する場合は、新規登録ボタンＢＴ１５を押して、明細入力領域ｗ１に現れた空白の登録欄（入力エリア）ｗ１１’ｗ１２〜ｗ１９に各々のデータを入力するようになされる。なお、単心ケーブル登録データを変更する場合は、変更したい箇所にカーソルを移動してデータを書き換えるようになされる。
【０１１５】
上述の明細入力領域ｗ１の下方には、「表形式出力」のボタンＢＴ１７が配置されている。このボタンＢＴ１７をスイッチオンすると、単心ケーブル種類、公称断面積（ｍｍ2）、電圧階級（ｋＶ）、導体径（ｍｍ）、シース内径（ｍｍ）、シース外径（ｍｍ）、導体抵抗（Ω／ｋｍ）及び静電容量（μＦ／ｋｍ）の登録項目を表形式に変換するようになされる。これにより、データベース２０に単心ケーブルマスターデータを登録することができる。
【０１１６】
図８は、３心ケーブルマスターデータ登録画面Ｐ１３の表示例を示す図である。図８に示す３心ケーブルマスターデータ登録画面Ｐ１３は、図５に示した「マスターデータ登録」の項目欄で、「３心ケーブル種類」のボタンＢＴ３をクリック（オン）することにより、モニタ４９に表示される。
【０１１７】
この登録画面Ｐ１３には、「３心ケーブルマスターデータ登録」のタイトルが表示される。このタイトルの右隣り領域には、「削除」のボタンＢＴ１４、「新規作成」のボタンＢＴ１５及び「戻る」のボタンＢＴ１６が配置される。削除ボタンＢＴ１４は、３心ケーブル登録データを削除する際にクリックされる。新規登録ボタンＢＴ１５は、３心ケーブル登録データを新規に登録する場合にクリックされる。戻るボタンＢＴ１６は、元の画面に戻る場合にクリック（ボタン押下）される。
【０１１８】
これらの表示領域及びボタン配置領域の下方には、明細入力領域ｗ１が設定されている。明細入力領域ｗ１には、３心ケーブル種類、公称断面積（ｍｍ2）、電圧階級（ｋＶ、導体径（ｍｍ）、シース内径（ｍｍ）、シース外径（ｍｍ）、導体抵抗（Ω／ｋｍ）及び静電容量（μＦ／ｋｍ）の登録項目欄が表示される。３心ケーブル種類の登録欄ｗ１１’には、例えば、３心ケーブルの種類として「ＣＶ」が入力される。「ＣＶ」は、キーボード４１を使用して文字入力される。これらの文字入力情報は、操作データＤ４１となってＣＰＵ４５に出力され、ＣＰＵ４５では、操作データＤ４１に基づいてモニタ４９に対して登録欄ｗ１１’に「ＣＶ」を表示するように制御される。図中の三角印は、現在選択されているデータを示している。下方には登録する分の全データが入力される。
【０１１９】
また、公称断面積の登録欄ｗ１２には、例えば、３心ケーブルの公称断面積として「３８」が入力される。以下、「６０」や、「１００」、「１５０」（ｍｍ2）等がキーボード４１を使用して文字入力される。これらの文字入力情報は、操作データＤ４１となってＣＰＵ４５に出力され、ＣＰＵ４５では、操作データＤ４１に基づいてモニタ４９に対して登録欄ｗ１２に「３８」、「６０」、「１００」及び「１５０」を表示するように制御される。
【０１２０】
更に、電圧階級（ｋＶ）の登録欄ｗ１５には、例えば、３心ケーブルの電圧階級として「２２」が入力される。電圧階級はキーボード４１を使用して文字入力される。この文字入力情報は、操作データＤ４１となってＣＰＵ４５に出力され、ＣＰＵ４５では、操作データＤ４１に基づいてモニタ４９に対して登録欄ｗ１５に登録する分のデータに「２２」を表示するように制御される。
【０１２１】
導体径（ｍｍ）の登録欄ｗ１６には、例えば、３心ケーブルの導体径として「７．３」が入力される。以下、「９．３」や、「１２．０」、「１４．７」（ｍｍ）等がキーボード４１を使用して文字入力される。これらの文字入力情報は、操作データＤ４１となってＣＰＵ４５に出力され、ＣＰＵ４５では、操作データＤ４１に基づいてモニタ４９に対して登録欄ｗ１６に登録する分のデータに「７．３」、「９．３」、「１２．０」及び「１４．７」を表示するように制御される。
【０１２２】
シース内径（ｍｍ）の登録欄ｗ１７には、例えば、３心ケーブルのシース内径として「２１．３」が入力される。以下、「２３．３」や、「２６．０」、「２８．７」（ｍｍ）等がキーボード４１を使用して文字入力される。これらの文字入力情報は、操作データＤ４１となってＣＰＵ４５に出力され、ＣＰＵ４５では、操作データＤ４１に基づいてモニタ４９に対して登録欄ｗ１７に登録する分のデータに「２１．３」、「２３．３」、「２６．０」及び「２８．７」を表示するように制御される。
【０１２３】
更に、シース外径（ｍｍ）の登録欄ｗ１８には、例えば、３心ケーブルのシース外径として「２７．７」が入力される。以下、「３０．１」や、「３３．２」、「３６．５」（ｍｍ）等がキーボード４１を使用して文字入力される。これらの文字入力情報は、操作データＤ４１となってＣＰＵ４５に出力され、ＣＰＵ４５では、操作データＤ４１に基づいてモニタ４９に対して登録欄ｗ１８に登録する分のデータに「２７．７」、「３０．１」、「３３．２」、「３６．５」を表示するように制御される。
【０１２４】
導体抵抗（Ω／ｋｍ）の登録欄ｗ１４には、３心ケーブルの導体抵抗として「０．０３０８」や、「０．０２３１」、「０．０１８７」、「０．０１５６」（Ω／ｋｍ）等がキーボード４１を使用して文字入力される。これらの文字入力情報は、操作データＤ４１となってＣＰＵ４５に出力され、ＣＰＵ４５では、操作データＤ４１に基づいてモニタ４９に対して登録欄ｗ１４に「０．０３０８」、「０．０２３１」、「０．０１８７」及び「０．０１５６」を表示するように制御される。
【０１２５】
静電容量（μＦ／ｋｍ）の登録欄ｗ１９には、３心ケーブルの導体抵抗として「０．１９」や、「０．２１」、「０．２５」、「０．２９」（μＦ／ｋｍ）等がキーボード４１を使用して文字入力される。これらの文字入力情報は、操作データＤ４１となってＣＰＵ４５に出力され、ＣＰＵ４５では、操作データＤ４１に基づいてモニタ４９に対して登録欄ｗ１９に「０．１９」、「０．２１」、「０．２５」及び「０．２９」を表示するように制御される。これらの操作データＤ４１は、３心ケーブル登録データとなる。
【０１２６】
［登録手順］
まず、「削除」、「新規登録」又は「戻る」のいずれかのボタンＢＴ１４〜ＢＴ１６を選択する。例えば、３心ケーブル登録データを削除する場合は、削除したいデータを選択して削除ボタンＢＴ１４をクリックするようになされる。３心ケーブルデータを新たに登録する場合は、新規登録ボタンＢＴ１５を押して、明細入力領域ｗ１に現れた空白の登録欄（入力エリア）ｗ１１’ｗ１２〜ｗ１９に各々のデータを入力するようになされる。なお、３心ケーブル登録データを変更する場合は、変更したい箇所にカーソルを移動してデータを書き換えるようになされる。
【０１２７】
上述の明細入力領域ｗ１の下方には、「表形式出力」のボタンＢＴ１７が配置されている。このボタンＢＴ１７をスイッチオンすると、３心ケーブル種類、公称断面積（ｍｍ2）、電圧階級（ｋＶ）、導体径（ｍｍ）、シース内径（ｍｍ）、シース外径（ｍｍ）、導体抵抗（Ω／ｋｍ）及び静電容量（μＦ／ｋｍ）の登録項目を表形式に変換するようになされる。これにより、データベース２０に３心ケーブルマスターデータを登録することができる。
【０１２８】
図９は、マスターデータの登録例を示すフローチャートである。この例では、メニュー画面Ｐ１で電線、単心ケーブル又は３心ケーブルの３つを順に選択してマスターデータを各々を登録する場合を例に挙げる。これを登録条件にして、電源がオンされると、ＣＰＵ４５はＲＯＭ４３からシステムプログラムデータＰＤ０をＲＡＭ４４に読み出してシステムを起動し、当該コンピュータ全体を制御するようになされる。例えば、図示しないタスクバーより「メニュー画面」をクリックすると、図９に示すフローチャートのステップＢ１でメニュー画面Ｐ１を表示する。このとき、ＣＰＵ４５はモニタ４９に表示データＤ４９を出力して画面表示制御を実行する。
【０１２９】
次に、ステップＢ２に移行してマスターデータ登録項目の中から電線、単心ケーブル又は３心ケーブルのいずれかの選択を示す操作データＤ４１又はＤ４２を入力する。このとき、ユーザ（情報利用者）は、マウス４２を使用して、例えば、「電線」をクリック操作するようになされる。マウス４２は、「電線」が選択された旨の操作データＤ４２をＣＰＵ４５に出力する。電線のマスターデータ登録が終わると、単心ケーブル及び３心ケーブルの順に１つずつ、クリック操作しては、マスターデータ登録に移行するようになされる。
【０１３０】
そして、ステップＢ３に移行してＣＰＵ４５は、電線又はケーブルの選択によって制御を分岐する。電線のボタンＢＴ１がクリック操作（選択）された場合は、ステップＢ４に移行して電線データ登録画面Ｐ１１をモニタ４９に表示する。この電線データ登録画面Ｐ１１で、ユーザは、戻る、削除又は新規登録のいずれかのボタンＢＴ１０〜ＢＴ１２を選択する。
【０１３１】
例えば、既に登録されている電線データを削除する場合は、削除したいデータを選択して削除のボタンＢＴ１０をクリックするようになされる。電線データを新たに登録する場合は、新規登録ボタンＢＴ１１を押して、図６に示したような明細入力領域ｗ１に現れた空白の登録欄（入力エリア）ｗ１１〜ｗ１４に、各々の電線データを入力する。電線データはキーボード４１を使用して文字情報を入力することで、操作データＤ４１がＣＰＵ４５に出力される。なお、電線データを変更する場合は、変更したい箇所にカーソルを移動してデータを書き換えるようになされる。
【０１３２】
電線データ登録画面Ｐ１１の明細入力領域ｗ１の下方には、表形式出力ボタンＢＴ１３が配置されているので、このボタンＢＴ１３をスイッチオンすると、電線種類、公称断面積（ｍｍ2）、実断面積（ｍｍ2）及び導体抵抗（Ω／ｋｍ）の登録項目を表形式で表示できるようになる。これにより、データベース２０に電線マスターデータを登録することができる。
【０１３３】
上述のマスターデータ登録で単心、３心ケーブルのボタンＢＴ２又はＢＴ３が選択された場合は、ステップＢ５に移行してこれらの選択によって制御を分岐する。単心ケーブルのボタンＢＴ２が選択された場合は、ステップＢ６に移行して単心ケーブルデータ登録画面Ｐ１２をモニタ４９に表示する。このとき、ユーザは、単心ケーブルデータ登録画面Ｐ１２で、「削除」、「新規登録」又は「戻る」のいずれかのボタンＢＴ１４〜ＢＴ１６を選択する。例えば、既に登録されている単心ケーブルデータを削除する場合は、削除したい単心ケーブルデータを選択して削除ボタンＢＴ１４をクリックするようになされる。
【０１３４】
単心ケーブルデータを新たに登録する場合は、新規登録ボタンＢＴ１５を押して、図７に示したような明細入力領域ｗ１に現れた空白の登録欄（入力エリア）ｗ１１’，ｗ１２〜ｗ１９に各々の単心ケーブルデータを入力する。単心ケーブルデータはキーボード４１を使用して文字情報を入力することで、操作データＤ４１がＣＰＵ４５に出力される。なお、既に登録されている単心ケーブルデータを変更する場合は、変更したい箇所にカーソルを移動してデータを書き換えるようになされる。
【０１３５】
また、上述の明細入力領域ｗ１の下方には、表形式出力ボタンＢＴ１７が配置されている。このボタンＢＴ１７をスイッチオンすると、単心ケーブル種類、公称断面積（ｍｍ2）、電圧階級（ｋＶ）、導体径（ｍｍ）、シース内径（ｍｍ）、シース外径（ｍｍ）、導体抵抗（Ω／ｋｍ）及び静電容量（μＦ／ｋｍ）の登録項目を表形式に変換するようになされる。これにより、データベース２０に単心ケーブルマスターデータを登録することができる。
【０１３６】
上述のステップＢ２で３心ケーブルが選択されている場合は、ステップＢ７に移行して、３心ケーブルデータ登録画面Ｐ１３を表示する。このとき、ユーザは、３心ケーブルデータ登録画面Ｐ１３で、「削除」、「新規登録」又は「戻る」のいずれかのボタンＢＴ１４〜ＢＴ１６を選択する。例えば、既に登録されている３心ケーブルデータを削除する場合は、削除したいデータを選択して削除ボタンＢＴ１４をクリックするようになされる。
【０１３７】
３心ケーブルデータを新たに登録する場合は、新規登録ボタンＢＴ１５を押して、図８に示したような明細入力領域ｗ１に現れた空白の登録欄（入力エリア）ｗ１１’，ｗ１２〜ｗ１９に各々の３心ケーブルデータを入力する。３心ケーブルデータはキーボード４１を使用して文字情報を入力することで、操作データＤ４１がＣＰＵ４５に出力される。なお、既に登録されている３心ケーブルデータを変更する場合は、変更したい箇所にカーソルを移動してデータを書き換えるようになされる。
【０１３８】
また、上述の明細入力領域ｗ１の下方には、表形式出力ボタンＢＴ１７が配置されている。このボタンＢＴ１７をスイッチオンすると、３心ケーブル種類、公称断面積（ｍｍ2）、電圧階級（ｋＶ）、導体径（ｍｍ）、シース内径（ｍｍ）、シース外径（ｍｍ）、導体抵抗（Ω／ｋｍ）及び静電容量（μＦ／ｋｍ）の登録項目を表形式に変換するようになされる。これにより、データベース２０に３心ケーブルマスターデータを登録することができる。
【０１３９】
このように、電力系統簡易シミュレーションシステム＃１を応用した第３の実施例としての情報処理方法によれば、データベース２０に登録された複数の電力設備情報Ｄ０を共用して、システム起動時のメニュー画面Ｐ１から編集項目を選択して、電線、単心及び３心ケーブルのマスターデータを登録したり、系統故障計算用のプログラムＰＤ１の他に各保護支援データ、機器諸元により故障計算等を実行できるようになる。
【実施例４】
【０１４０】
続いて、電力系統簡易シミュレーションシステム＃１を応用した線路定数計算例について説明する。図１０は、第４の実施例としての線路定数計算時の送電線路例（架空系）を示す図である。
【０１４１】
この例では、電力系統簡易シミュレーションシステム＃１を応用して架空系の線路定数を計算する場合に、図１０に示す送電側の端子６１とその受電側の端子６２や他の受電側の端子６３との間が送電用の電線６０で接続された送電線系統を対象となされる。
【０１４２】
この例で、送電系統は区間１及び区間２を有して構成される。区間１は、図示しない鉄塔に２つのルートＮｏ．１、Ｎｏ．２の電線が併架される区間である。ルートＮｏ．１は○○連絡線であり、その電圧階級は例えば、２２０ｋＶである。ルートＮｏ．２は××連絡線であり、その電圧階級が例えば、１１０ｋＶである。この例で、線路定数計算時に、区間１には、例えば、２．０７０（ｋｍ）が入力される。また、区間２は図示しない鉄塔に、ルート毎の電線が懸架される区間である。区間２は、例えば、５．０６０（ｋｍ）が入力される。
【０１４３】
図１１は、複数ルート併架用の鉄塔６４における電線の配置例を示す装柱図である。図１１に示す鉄塔６４には、例えば、図１０に示した送電系統で区間１の２つのルートＮｏ．１、Ｎｏ．２の電線が併架され、最上部には黒丸印で示した架空地線が配置される。
【０１４４】
この例で、ルートＮｏ．１の○相の電線は、地上高ｈ１６（ｍ）であって、鉄塔６４の中心から左側水平方向へ離隔距離（水平距離という）Ｓ１６（ｍ）を有して取付けられる。同様にして、その□相の電線は、地上高ｈ１６（ｍ）であって、鉄塔６４の中心から右側へ水平距離Ｓ１６（ｍ）を有して取付けられる。
【０１４５】
ルートＮｏ．１の△相の電線は、地上高ｈ１５（ｍ）であって、鉄塔６４の中心から左側へ水平距離Ｓ１５（ｍ）を有して取付けられる。同様にして、その△相の電線は、地上高ｈ１５（ｍ）であって、鉄塔６４の中心から右側へ水平距離Ｓ１５（ｍ）を有して取付けられる。
【０１４６】
ルートＮｏ．１の□相の電線は、地上高ｈ１４（ｍ）であって、鉄塔６４の中心から左側へ水平距離Ｓ１４を有して取付けられる。同様にして、その○相の電線は、地上高ｈ１４（ｍ）であって、鉄塔６４の中心から右側へ水平距離Ｓ１４（ｍ）を有して取付けられる（左１Ｌ及び右２Ｌ回線）。
【０１４７】
また、ルートＮｏ．２の○相の電線は、地上高ｈ１３（ｍ）であって、鉄塔６４の中心から左側水平方向へ離隔距離（水平距離という）Ｓ１３（ｍ）を有して取付けられる。同様にして、その□相の電線は、地上高ｈ１３（ｍ）であって、鉄塔６４の中心から右側へ水平距離Ｓ１３（ｍ）を有して取付けられる。
【０１４８】
ルートＮｏ．２の△相の電線は、地上高ｈ１２（ｍ）であって、鉄塔６４の中心から左側へ水平距離Ｓ１２（ｍ）を有して取付けられる。同様にして、その△相の電線は、地上高ｈ１２（ｍ）であって、鉄塔６４の中心から右側へ水平距離Ｓ１２（ｍ）を有して取付けられる。
【０１４９】
ルートＮｏ．２の□相の電線は、地上高ｈ１１（ｍ）であって、鉄塔６４の中心から左側へ水平距離Ｓ１１（ｍ）を有して取付けられる。同様にして、その○相の電線は、地上高ｈ１１（ｍ）であって、鉄塔６４の中心から右側へ水平距離Ｓ１１（ｍ）を有して取付けられる（左１Ｌ及び右２Ｌ回線）。
【０１５０】
なお、架空地線は、地上高ｈ１７（ｍ）であって、鉄塔６４の中心から左側及び右側へいずれも水平距離Ｓ１７（ｍ）を有して取付けられる。上述の○相、△相及び□相は三相電線路を示す赤相、白相及び青相に対応している。線路定数計算時には、水平距離や地上高の他に、電線の本線（上：ルートＮｏ．１、下：ルートＮｏ．２）の弛度や架空地線の弛度が入力される。更に、電線や架空地線の種類（以下線種という）が入力される。単位キロメート当たりの抵抗Ｒや、リアクタンスＸ等（線路定数）を算出するためである。
【０１５１】
区間１の各相電線の地上高は、例えば、ｈ１１＝３４（ｍ）、ｈ１２＝３８．８（ｍ）、ｈ１３＝４３．６（ｍ）、ｈ１４＝５２．２（ｍ）、ｈ１５＝５９．２（ｍ）、ｈ１６＝６６．２（ｍ）、ｈ１７＝７３．４（ｍ）である。また、各相の電線の水平距離は、例えば、Ｓ１１＝６．３（ｍ）、Ｓ１２＝６．０５（ｍ）、Ｓ１３＝５．８（ｍ）、Ｓ１４＝６．３（ｍ）、Ｓ１５＝６．０５（ｍ）、Ｓ１６＝５．８（ｍ）、Ｓ１７＝６．３（ｍ）である。
【０１５２】
上述の○相、△相及び□相は赤相、白相及び青相に対応している。線路定数計算時には、水平距離や地上高の他に、電線の本線の弛度や架空地線の弛度が入力される。区間１の本線（上）の弛度は、例えば、８．５８（ｍ）であり、本線（下）の弛度は、８．１７（ｍ）である。架空地線（ＧＷ）の弛度は６．５７（ｍ）である。
【０１５３】
更に、電線や架空地線の線種が入力される。区間１の本線（上）の線種は、例えば、ＡＣＳＲ６１０2×２（実断面積＝６９１．７８ｍｍ2，Ｒ＝０．０４７４［ｍ］）であり、本線（下）の線種は、ＴＡＣＳＲ３３０2×１（実断面積＝３７９．６４ｍｍ2，Ｒ＝０．０９０４［ｍ］）である。架空地線（ＧＷ）の線種はＡＷ（実断面積＝１５２．８ｍｍ2，Ｒ＝０．５６６［ｍ］）である。
【０１５４】
図１２は、単独ルート懸架用の鉄塔６５における電線の配置例を示す装柱図である。図１２に示す鉄塔６５には、例えば、図１０に示した送電系統で１つのルートＮｏ．１又はＮｏ．２の電線が懸架され、最上部には黒丸印で示した架空地線が配置される。
【０１５５】
この例で、ルートＮｏ．１の○相の電線は、地上高ｈ２３（ｍ）であって、鉄塔６５の中心から左側水平方向へ離隔距離（水平距離という）Ｓ２３（ｍ）を有して取付けられる。同様にして、その□相の電線は、地上高ｈ２３（ｍ）であって、鉄塔６５の中心から右側へ水平距離Ｓ２３（ｍ）を有して取付けられる。
【０１５６】
ルートＮｏ．１の△相の電線は、地上高ｈ２２（ｍ）であって、鉄塔６５の中心から左側へ水平距離Ｓ２２（ｍ）を有して取付けられる。同様にして、その△相の電線は、地上高ｈ２２（ｍ）であって、鉄塔６５の中心から右側へ水平距離Ｓ２２（ｍ）を有して取付けられる。
【０１５７】
ルートＮｏ．１の□相の電線は、地上高ｈ２１（ｍ）であって、鉄塔６５の中心から左側へ水平距離Ｓ２１（ｍ）を有して取付けられる。同様にして、その○相の電線は、地上高ｈ２１（ｍ）であって、鉄塔６５の中心から右側へ水平距離Ｓ２１（ｍ）を有して取付けられる（左１Ｌ及び右２Ｌ回線）。
【０１５８】
なお、架空地線は、地上高ｈ２４（ｍ）であって、鉄塔６５の中心から左側及び右側へいずれも水平距離Ｓ２４（ｍ）を有して取付けられる。区間２の各相電線の地上高は、例えば、ｈ２１＝３５．３（ｍ）、ｈ２２＝４２．５（ｍ）、ｈ２３＝４９．７（ｍ）、ｈ２４＝５６．９（ｍ）である。また、各相の電線の水平距離は、例えば、Ｓ２１＝６．０（ｍ）、Ｓ２２＝５．８（ｍ）、Ｓ２３＝５．６（ｍ）、Ｓ２４＝５．０（ｍ）である。
【０１５９】
上述の○相、△相及び□相は赤相、白相及び青相に対応している。線路定数計算時には、水平距離や地上高の他に、電線の本線の弛度や架空地線の弛度が入力される。区間２の本線の弛度は、例えば、８．５８（ｍ）であり、架空地線（ＧＷ）の弛度は６．５７（ｍ）である。更に、電線や架空地線の線種が入力される。区間２の本線の線種は、例えば、ＡＣＳＲ６１０2×２（実断面積＝６９１．７８ｍｍ2，Ｒ＝０．０４７４［ｍ］）であり、架空地線（ＧＷ）の線種はＡＷ（実断面積＝１５２．８ｍｍ2，Ｒ＝０．５６６［ｍ］）である。これらの区間１、２や地上高、水平距離、弛度、線種等が線路定数計算時に、キーボード４１やマウス４２を使用して入力される。
【０１６０】
図１３は、データ編集・計算実行画面Ｐ２の表示例を示す図である。図１３に示すデータ編集・計算実行画面Ｐ２は、図５に示した例えば、「線路定数計算」の項目欄で、架空系の「編集」ボタンＢＴ４をクリック（オン）することにより、モニタ４９に表示される。
【０１６１】
この計算実行画面Ｐ２には、「データ編集・計算実行画面（線路定数計算・架空系）」のタイトルが表示される。タイトル表示領域の下方には、データ検索領域ｗ０が設けられている。データ検索領域ｗ０には、検索データ名、検索区間及び検索コメントを表示する領域が設定されている。この表示領域の右側には、「昇順」のボタンＢＴ２１、「降順」のボタンＢＴ２２、「再表示」のボタンＢＴ２３が各々表示される。これらのボタンＢＴ２１〜ＢＴ２３は、選択中データについて各種処理を実行する際に、いずれもマウス４２でクリックされ、容易にデータを検索できるようになされている。
【０１６２】
このデータ検索表示領域の下方には、明細入力領域ｗ１が設定され、この明細入力領域ｗ１には、選択中データを示す表示領域が設定されている。選択中データの表示領域の隣には、５つのボタンＢＴ２４〜ＢＴ２８が配置されている。「複写」のボタンＢＴ２１は、選択中データを複写する場合にクリックされる。「編集」のボタンＢＴ２２は、選択中データを編集する場合にクリックされる。「計算実行」のボタンＢＴ２３は、選択中データで線路定数を計算させる場合にクリックされる。「削除」のボタンＢＴ２４は、確認後、データを削除する場合にクリックされる。「新規作成」のボタンＢＴ２５は、新規にデータを作成する場合にクリックされる。
【０１６３】
これらのボタン領域の下方には、明細入力領域ｗ１が表示される。明細入力領域ｗ１には、データ名、コメント、区間、ルート当たり回線数、ルート数、左１Ｌ回線、右２Ｌ回線、架空地線、区間の長さ（ｋｍ）等の編集項目が表示される。この例では、データ名の記述欄には、ＣＡＳＥ−１、ＣＡＳＥ２−１、ＣＡＳＥ２−２等が入力される。コメントの記述欄には、線路定数ＣＡＳＥ１、線路定数ＣＡＳＥ２、線路定数ＣＡＳＥ３等が入力される。区間の記述欄には、「１」，「１」，「２」等が入力される。ルート当たり線路数には、「２」，「２」，「２」等が入力される。ルート数には、「２」，「２」，「１」等が入力される。左１Ｌ回線には、１，２，１等が入力される。右２Ｌ回線には、「１」，「２」，「１」等が入力される。架空地線には、３，２，２等が入力される。区間の長さには、「１．０００」、「２．０７０」、 「５．０６０」（ｋｍ）等が入力される。
【０１６４】
図１４は、線路定数（架空系）データ入力画面Ｐ２１の表示例を示す図である。図１４に示す線路定数（架空系）データ入力画面Ｐ２１は、図１３に示した新規作成ボタンＢＴ２８をクリック（オン）することにより、モニタ４９に表示される。
【０１６５】
このデータ入力画面Ｐ２１には、「線路定数計算（架空系）データ入力画面」のタイトルが表示される。タイトル表示領域の下方には、データ検索領域ｗ０が設けられている。この例で、データ検索領域ｗ０において、検索データ名に「ＣＡＳＥ１」が表示され、コメント欄には、「線路定数ＣＡＳＥ１」が表示され、区間番号には「１」が表示される。
【０１６６】
また、データ検索領域ｗ０には、ルート当たりの回線数、ルート数、左１Ｌ回線、右２Ｌ回線、架空地線の定数、区間の長さ、大地帰路抵抗分の指定等の各表示欄が設けられている。この例で、線路定数計算における適用範囲は、ルート当たりの回線数が１区間につき、３ルート併架３回線、８導体、架空地線＝３条となっている。
【０１６７】
ルート当たりの回線数表示欄には、下向き三角ボタンＢＴ３１が配置されており、回線数を入力できるようになされている。この例では、ルート当たりの回線数として「２」が入力される。ルート数表示欄には、下向き三角ボタンＢＴ３２が配置されており、ルート数を入力できるようになされている。ルート数としては「１」が入力される。左１Ｌ回線表示欄には、下向き三角ボタンＢＴ３３が配置されており、左１Ｌ回線数を入力できるようになされている。この左１Ｌ回線には、「１」が入力される。右２Ｌ回線表示欄には、下向き三角ボタンＢＴ３４が配置されており、右２Ｌ回線数を入力できるようになされている。右２Ｌ回線には「１」が入力される。
【０１６８】
更に、架空地線表示欄には、下向き三角ボタンＢＴ３４が配置されており、架空地線の条数が入力できるようになされている。この架空地線の条数には「３」が入力される。区間の長さの欄には、表示領域が設定され、例えば、「１．０００」（ｋｍ）が入力される。大地帰路抵抗分の欄には、表示領域が設定され、例えば、実測平均値が入力される。この例で、大地帰路抵抗分の指定は二者択一となされている。実測平均値は０．１１［Ω／ｋｍ］であり、その理論値は、０．０６［Ω／ｋｍ］である。
【０１６９】
データ検索領域ｗ０の右下方には、「確定」のボタンＢＴ３７が設けられている。確定ボタンＢＴ３７をマウス４２でクリックすると、ルート当たりの回線数、ルート数、左１Ｌ回線、右２Ｌ回線、架空地線の条数、区間の長さ、大地帰路抵抗分等の基本データが確定され、確定後の線路定数データは保存される。なお、右上の「終了」は、前画面に戻る時にクリックするようになされる。
【０１７０】
図１５は、ルート入力画面Ｐ２２の表示例を示す図である。図１５に示すルート入力画面Ｐ２２は、例えば、図１４に示した確定ボタンＢＴ３７をクリック（オン）することにより、モニタ４９に表示される。
【０１７１】
このルート入力画面Ｐ２２には、「線路定数計算（架空系）データ入力画面」のタイトルが表示される。この例で、タイトル表示領域の下方のデータ検索領域ｗ０の内容は、反転表示となされる。データ検索領域ｗ０の下方には明細入力領域ｗ１が表示される。明細入力領域ｗ１には、「ルート入力画面」、「線路定数入力画面１」、「線路定数入力画面２」、「架空地線入力画面」の４つの編集項目に加えて「戻る」の各ボタンＢＴ４１〜ＢＴ４５が表示される。
【０１７２】
「ルート入力画面」のボタンＢＴ４１をクリックした場合は、明細入力領域ｗ１に編集項目欄が表示される。編集項目欄には、「区間番号」、「線路名」及び「ルートを構成する回線番号」が設定されている。この例では、区間番号欄には「Ｎｏ．１」が入力され、線路名欄には、「Ａ−ＲＯＵＴＥ」が入力され、その横の回線番号欄には「１」，「２」が入力される。線路名「Ａ−ＲＯＵＴＥ」は、線路定数の編集データ集計時に検索キーとして使用される。編集データを集計対象とする場合は、同一の線路名を入力するようになされる。
【０１７３】
なお、上述の４つの編集項目において、「線路定数入力画面１」のボタンＢＴ４２をマウス４２でクリックすると、図１６に示す線路定数入力画面Ｐ２３がモニタ４９に表示される。「線路定数入力画面２」のボタンＢＴ４３を同様にしてクリックすると、図１７に示す線路定数入力画面Ｐ２４がモニタ４９に表示される。更に、「架空地線入力画面」のボタンＢＴ４４をクリックすると、図１８に示す架空地線入力画面Ｐ２５がモニタ４９に表示される。
【０１７４】
図１６は、線路定数入力画面Ｐ２３の表示例を示す図である。図１６に示す線路定数入力画面Ｐ２３は、例えば、図１５に示した「線路定数入力画面１」のボタンＢＴ４２をクリック（オン）することにより、モニタ４９に表示される。
【０１７５】
この線路定数入力画面Ｐ２３にも、「線路定数計算（架空系）データ入力画面」のタイトルが表示される。この例でも、タイトル表示領域の下方のデータ検索領域ｗ０の内容は、反転表示となされる。データ検索領域ｗ０の下方の明細入力領域ｗ１には、「ルート入力画面」、「線路定数入力画面１」、「線路定数入力画面２」、「架空地線入力画面」の４つの編集項目に加えて「戻る」の各ボタンＢＴ４１〜ＢＴ４５が表示される。
【０１７６】
このボタン表示領域の下方には、電気的諸元を入力するための区間番号、回線電圧（ｋＶ）、導体数、導体間距離（ｍ）、比透磁率、電線ＤＩＰ  ａｔ２０°（ｍ）、電線種類及び公称断面積（ｍｍ2）の編集項目欄が各々設けられている。
【０１７７】
この例で、区間番号欄には、Ｎｏ．０１回線やＮｏ．０２回線、架空地線等が入力される。回線電圧欄には、Ｎｏ．０１回線やＮｏ．０２回線等に対して、例えば、電圧階級５００（ｋＶ）が入力され、架空地線に対して、０．０（ｋＶ）が入力される。導体数欄には、Ｎｏ．０１回線やＮｏ．０２回線等に対して、「４」が入力され、架空地線に対して、「０」が入力される。導体間距離欄には、Ｎｏ．０１回線やＮｏ．０２回線等に対して、「０．４００」（ｍ）が入力され、架空地線に対して、「０．０００」が入力される。
【０１７８】
比透磁率欄には、いずれも「１．０００」が入力される。電線ＤＩＰには、Ｎｏ．０１回線やＮｏ．０２回線等に対して、「１９．３００」ａｔ２０°（ｍ）が入力され、架空地線に対して、「１８．３７０」ａｔ２０°（ｍ）が入力される。電線種類欄にはＮｏ．０１回線やＮｏ．０２回線等に対して、「６０ＴＡＣＳＲ」が入力され、架空地線に対して、「ＡＣ１５０」が入力される。公称断面積欄にはＮｏ．０１回線やＮｏ．０２回線等に対して、「６１０．０００」（ｍｍ2）が入力され、架空地線に対して、「１５０．０００」（ｍｍ2）が各々入力される。
【０１７９】
図１７は、線路定数入力画面Ｐ２４の表示例を示す図である。図１７に示す線路定数入力画面Ｐ２４は、例えば、図１５に示した「線路定数入力画面２」のボタンＢＴ４３をクリック（オン）することにより、モニタ４９に表示される。
【０１８０】
この線路定数入力画面Ｐ２４にも、「線路定数計算（架空系）データ入力画面」のタイトルが表示される。この例でも、タイトル表示領域の下方のデータ検索領域ｗ０の内容は、反転表示となされる。データ検索領域ｗ０の下方の明細入力領域ｗ１には、「ルート入力画面」、「線路定数入力画面１」、「線路定数入力画面２」、「架空地線入力画面」の４つの編集項目に加えて「戻る」の各ボタンＢＴ４１〜ＢＴ４５が表示される。
【０１８１】
このボタン表示領域の下方には、電線のサブ項目として、鉄塔における電線配置を入力するための「区間番号」や、三相電線路を示す「赤相」、「白相」、「青相」等の編集項目欄が各々設けられている。この例では、各相に対応して、電線の地上高及び水平距離を入力する編集欄が設けられている。この例では、白相を基準となされる。
【０１８２】
この例で、区間番号欄には、Ｎｏ．０１回線やＮｏ．０２回線等が入力される。Ｎｏ．０１回線における鉄塔の赤相の地上高は、例えば、７１．９５００（ｍ）が入力され、その水平距離には、１０．３４００（ｍ）が入力される。ここに、地上高とは、地表から電線中心までの垂直距離をいう。水平距離とは、鉄塔中心から電線中心までの水平方向の距離をいう。同様にして、Ｎｏ．０２回線の鉄塔における赤相の地上高は、４４．１３００（ｍ）が入力され、その水平距離には、１１．１３００（ｍ）が入力される。
【０１８３】
Ｎｏ．０１回線の白相の地上高は、例えば、５７．８４００（ｍ）が入力され、その水平距離には、１２．５４００（ｍ）が入力される。同様にして、Ｎｏ．０２回線の白相の地上高は、５７．８４００（ｍ）が入力され、その水平距離には、１２．５４００（ｍ）が入力される。Ｎｏ．０１回線の青相の地上高は、４４．１３００（ｍ）が入力され、その水平距離には、１１．１３００（ｍ）が入力される。Ｎｏ．０２回線の青相の地上高は、７１．９５００（ｍ）が入力され、その水平距離には、１０．３４００（ｍ）が入力される。
【０１８４】
図１８は、架空地線入力画面Ｐ２５の表示例を示す図である。図１８に示す架空地線入力画面Ｐ２５は、例えば、図１５に示した「架空地線数入力画面」のボタンＢＴ４４をクリック（オン）することにより、モニタ４９に表示される。
【０１８５】
この架空地線入力画面Ｐ２５にも、「線路定数計算（架空系）データ入力画面」のタイトルが表示される。この例でも、タイトル表示領域の下方のデータ検索領域ｗ０の内容は、反転表示となされる。データ検索領域ｗ０の下方の明細入力領域ｗ１には、「ルート入力画面」、「線路定数入力画面１」、「線路定数入力画面２」、「架空地線入力画面」の４つの編集項目に加えて「戻る」の各ボタンＢＴ４１〜ＢＴ４５が表示される。
【０１８６】
このボタン表示領域の下方には、架空地線のサブ項目として、鉄塔における地線に関する編集データを入力するための「地線左側」や、「地線中央」、「地線右側」等の編集項目欄が各々設けられている。編集項目欄は、図１４に示した架空地線数入力画面Ｐ２のデータ検索領域ｗ０で架空地線の条数欄に「０」以外を入力していると、明細入力領域ｗ１に表示される。なお、架空地線の条数に「０」の値を入力していると、編集項目欄は表示されない。この例では、架空地線に対応して、架空地線の地上高及び水平距離を入力する編集欄が設けられている。
【０１８７】
図１９は、計算結果出力画面Ｐ２６の表示例を示す図である。図１９に示す計算結果出力画面Ｐ２６は、例えば、図１３に示したデータ編集・計算実行画面Ｐ２で計算実行ボタンＢＴ２６をクリック（オン）することにより、ＣＰＵ４５が線路定数計算を実行した後にモニタ４９に表示される。
【０１８８】
この計算結果出力画面Ｐ２６には、「計算結果出力画面」のタイトルが表示される。この例で、タイトル表示領域には、データ名、例えば、「ＣＡＳＥ１（線路定数計算・架空系）」表示される。タイトル表示領域の右上には、「戻る」のボタンＢＴ５９が設けられている。
【０１８９】
タイトル表示領域の下方にはデータチェック表示領域ｗ３が設けられ、「完全撚架線路定数」が表示されると共に、５つのチェックボタンＢＴ５１〜ＢＴ５５が配置されている。チェック項目として、「入力データ」、「３相平均値」、「線路定数表１」、「線路定数表２」、「線路定数表３」が表示される。例えば、マウス４２で出力したい項目にチェック（レ点）を入力するようになされる。チェックが入力された項目が出力対象となされる。
【０１９０】
この例で、区間１の計算結果出力画面Ｐ２６で「入力データ」のボタンＢＴ５１をチェックすると、図１０に示した線路定数計算例（架空系）で入力された、区間１の入力データが出力される。表１は、「線路定数計算（架空系）入力データ」を示している。表１で、データ名欄には、ＣＡＳＥ２−１が記述され、区間欄には「１」が記述され、コメント欄には、線路定数ＣＡＳＥ２が記述され、左１Ｌ回線数欄には、「２」が記述され、右２Ｌ回線数欄には「２」が記述され、架空地線数欄には「２」が記述され、ルート当たり回線数欄には、「２」が記述され、ルート数欄には、「２」が記述され、区間の長さには、「２．０７０」（ｋｍ）が記述されている。
【０１９１】
また、「３相平均値」のボタンＢＴ５２をチェックすると、表２に示す線路定数計算（架空系）完全撚架線路定数（３相平均値）が出力される。更に、「線路定数表１」のボタンＢＴ５３をチェックすると、表３に示す「線路定数計算（架空系）完全撚架線路定数  線路定数表１  正逆相回路」が出力される。また、「線路定数表２」のボタンＢＴ５４をチェックすると、表４に示す「線路定数計算（架空系）完全撚架線路定数  線路定数表２  零相回路（一回線定数）」が出力される。更に、「線路定数表３」のボタンＢＴ５５をチェックすると、表５に示す「線路定数計算（架空系）完全撚架線路定数  線路定数表３  零相回路（二回線定数）」が出力される。なお、区間１の非撚架線路定数に関しては、表６に示す「線路定数計算（架空系）非撚架線路定数（一回線定数）（各相値）」が出力され、更に、表７に示す「線路定数計算（架空系）非撚架線路定数（３相平均値）」が出力される。表２〜５及び表７において、「％」は、基準容量を１０ＭＶＡとした場合の％インピーダンスである。
【０１９２】
【表１】
2007195318.tif 000003
【０１９３】
【表２】
2007195318.tif 000004
【０１９４】
【表３】
2007195318.tif 000005
【０１９５】
【表４】
2007195318.tif 000006
【０１９６】
【表５】
2007195318.tif 000007
【０１９７】
【表６】
2007195318.tif 000008
【０１９８】
【表７】
2007195318.tif 000009
また、区間２の計算結果出力画面Ｐ２６で「入力データ」のボタンＢＴ５１をチェックすると、図１０に示した線路定数計算例（架空系）で入力された、区間２の入力データが出力される。表８は、「線路定数計算（架空系）入力データ」を示している。表８で、データ名欄には、ＣＡＳＥ２−２が記述され、区間欄には「２」が記述され、コメント欄には、線路定数ＣＡＳＥ２が記述され、左１Ｌ回線数欄には、「１」が記述され、右２Ｌ回線数欄には「１」が記述され、架空地線数欄には「２」が記述され、ルート当たり回線数欄には、「２」が記述され、ルート数欄には、「１」が記述され、区間の長さには、「５．０６０」（ｋｍ）が記述されている。
【０１９９】
また、「３相平均値」のボタンＢＴ５２をチェックすると、表９に示す線路定数計算（架空系）完全撚架線路定数（３相平均値）が出力される。更に、「線路定数表１」のボタンＢＴ５３をチェックすると、表１０に示す「線路定数計算（架空系）完全撚架線路定数  線路定数表１  正逆相回路」が出力される。また、「線路定数表２」のボタンＢＴ５４をチェックすると、表１１に示す「線路定数計算（架空系）完全撚架線路定数  線路定数表２  零相回路（一回線定数）」が出力される。更に、「線路定数表３」のボタンＢＴ５５をチェックすると、表１２に示す「線路定数計算（架空系）完全撚架線路定数  線路定数表３  零相回路（二回線定数）」が出力される。
【０２００】
なお、区間２の非撚架線路定数に関しては、表１３に示す「線路定数計算（架空系）非撚架線路定数（一回線定数）（各相値）」が出力され、更に、表１４に示す「線路定数計算（架空系）非撚架線路定数（３相平均値）」が出力される。表９〜１２及び表１４において、「％」は、基準容量を１０ＭＶＡとした場合の％インピーダンスである。
【０２０１】
【表８】
2007195318.tif 000010
【０２０２】
【表９】
2007195318.tif 000011
【０２０３】
【表１０】
2007195318.tif 000012
【０２０４】
【表１１】
2007195318.tif 000013
【０２０５】
【表１２】
2007195318.tif 000014
【０２０６】
【表１３】
2007195318.tif 000015
【０２０７】
【表１４】
2007195318.tif 000016
この例では、データチェック表示領域ｗ３の下方には「表示」、「表形式出力」及び「印刷」のボタンＢＴ５６〜ＢＴ５８が配置されている。例えば、「入力データ」のボタンＢＴ５１をチェックして「印刷」のボタンＢＴ５８をクリックすると、表１に示した区間１の入力データ一覧表をプリントアウトできるようになる。同様にして、表８に示した区間２の入力データ一覧表をプリントアウトできるようになる。
【０２０８】
図２０は、レポート表示画面Ｐ２７の表示例を示す図である。図２０に示すレポート表示画面Ｐ２７は、図１９に示した計算結果出力画面Ｐ２６で「表示」のボタンＢＴ５６をクリック（オン）することにより、例えば、データ編集計算実行画面Ｐ２上にポップアップ表示される。
【０２０９】
このレポート表示画面Ｐ２７では、下層位置に表示されているデータ編集計算実行画面Ｐ２の下方に、レポート選択領域が表示される。レポート選択領域には、例えば、３つの「レポート１〜３」のボタンＢＴ７１〜ＢＴ７３が表示される。この例で、「レポート１〜３」は、既に編集し計算された３つの計算結果ファイルであり、ボタンＢＴ７１〜ＢＴ７３は、これらの計算結果ファイルを読み出す際に使用される。
【０２１０】
これにより、プレビュー画面で参照したいレポートを選択できるようになされる。なお、選択出力項目に関しては、電線路が１回線のみの場合は、２回線定数は出力されない。また、完全撚架線路定数の場合は、入力データ、３相平均値、線路定数表１、線路定数表２、線路定数表３が選択できるようになされ、非撚架線路定数の場合は、入力データ、各相値、３相平均値が選択できるようになされている。
【０２１１】
続いて、電力系統簡易シミュレーションシステム＃１を応用した架空系における線路定数計算例について説明する。図２１及び図２２は、架空系の線路定数計算例（その１、２）を示すフローチャートである。この例では、データ編集・計算実行画面Ｐ２で計算実行ボタンＢＴ２６がクリックされると、完全ねん架又は非ねん架の選択後に、定数計算が実行される。その後、「計算結果出力画面」に遷移するようになされる。
【０２１２】
これを計算処理条件にして、まず、図２１に示すフローチャートのステップＣ１でメニュー画面Ｐ１を表示する。メニュー画面Ｐ１は、ＣＰＵ４５からモニタ４９へ表示データＤ４９を出力され、この表示データＤ４９に基づいて「技術計算プログラム」等が表示される。ユーザは、このメニュー画面Ｐ１から、各編集項目を選択するようになされる。ここでは、「線路定数計算」が選択される。
【０２１３】
この例では、ステップＣ２に移行してＣＰＵ４５は「終了」をチェックする。図５に示したメニュー画面Ｐ１で終了ボタンＢＴ１８が押下されない場合は、線路定数計算処理を継続するようになされる。従って、メニュー画面Ｐ１で終了ボタンＢＴ１８が押されることなく、線路定数計算に係る編集ボタンＢＴ４が押下された場合は、ステップＣ３に移行して、データ編集・計算実行画面Ｐ２を表示する。モニタ４９は、表示データＤ４９に基づいてデータ編集・計算実行画面Ｐ２を表示する。このとき、ユーザは、データ編集・計算実行画面Ｐ２において、検索データの絞り込みを実行する。
【０２１４】
例えば、ユーザは、各検索項目を入力し、昇順又は降順ボタンＢＴ２１、ＢＴ２２を決めて再表示ボタンＢＴ２３をマウス４２でクリックする。この例で、検索データの内容が編集リストに反映されるので、検索条件を入力したら、必ず再表示のボタンＢＴ２３をクリックするようになされる。次に、マウス４２で選択中データの欄を選択してクリックする。例えば、編集ボタンＢＴ２５又は新規作成ボタンＢＴ２８を選択する。この選択によって、図１４に示した線路定数計算（架空系）入力画面Ｐ２１に遷移するようになされる。
【０２１５】
なお、削除ボタンＢＴ２７がクリックされると、確認後、編集データを削除するようになされる。また、複写ボタンＢＴ２４がクリックされると、新しいデータ名を入力した後に、複写が実行される。上述したタイトルの右隣り領域には、メニューに「戻る」のボタンＢＴ２９が表示される。
【０２１６】
この例で、計算実行ボタンＢＴ２６のクリックに対応して、ＣＰＵ４５は、ステップＣ４に移行して計算実行か否かを判別する。ＣＰＵ４５は、計算実行ボタンＢＴ２６がオンされた場合は、計算実行と判断し、計算実行ボタンＢＴ２６がオンされない場合は、ステップＣ５に移行してメニューに戻るボタンＢＴ２９又は編集ボタンＢＴ２５の操作に基づいて制御を分岐する。編集ボタンＢＴ２５がオンされた場合は、ステップＣ６に移行して、線路定数計算（架空系）データ入力画面Ｐ２１を表示する。このとき、モニタ４９は、表示データＤ４９に基づいて線路定数計算（架空系）データ入力画面Ｐ２１を表示する。
【０２１７】
次に、ステップＣ７に移行して編集データを入力する。このとき、ユーザは、図１４に示した線路定数（架空系）データ入力画面Ｐ２１において、まず、データ検索領域ｗ０のデータ名欄にデータ名を入力する。この例では「ＣＡＳＥ１」が入力され、このデータ名前で保存される。保存単位は１区間である。次に、コメント欄に、「線路定数ＣＡＳＥ１」を入力する。次に、区間番号「１」を入力する。区間番号は集計の順番に付与するようになされる。更に、ルート当たりの回線数、ルート数、左１Ｌ回線、右２Ｌ回線、架空地線の定数、区間の長さ、大地帰路抵抗分の指定等の各表示欄について入力・選択を実行する。全てのデータ入力が終了した場合は、確定ボタンＢＴ３７をクリックする。なお、入力項目にエラーがなければ、データ検索領域（確認項目表示欄）ｗ０の下方に明細入力領域ｗ１が表示される。
【０２１８】
次に、ステップＣ８に移行して線路定数計算（架空系）データ入力画面Ｐ２１で確定ボタンＢＴ３７又は終了ボタンＢＴ３８の選択操作に基づいて制御を分岐する。終了ボタンＢＴ３８が選択された場合は、データ編集・計算実行画面Ｐ２に戻るようになされる。ステップＣ８で確定ボタンＢＴ３７が選択された場合は、図２２に示すステップＣ９に移行して「ルート入力画面」のボタンＢＴ４１がクリックされたか他のボタンＢＴ４２，ＢＴ４３等がクリックされたかにより制御を分岐する。
【０２１９】
ボタンＢＴ４１が選択された場合は、ステップＣ１０に移行してルート入力画面Ｐ２２を表示する。このとき、ユーザは、図１５に示したルート入力画面Ｐ２２において、区間番号には、「Ｎｏ．０１ルート」が入力される。線路名には「Ａ−ＲＯＵＴＥ」が入力される。線路名は編集時に必要になる。ルートを構成する回線番号には、例えば、２回線（２ＣＣＴ）の場合「１」，「２」が入力される。４回線の場合「１」，「２」，「３」，「４」が入力される。６回線の場合「１」，「２」，「３」，「４」，「５」，「６」が入力される。入力が終了したら、他の入力画面に移行するか、「戻る」のボタンＢＴ４５を押すようになされる。編集データの入力を終了すると、データ編集・計算実行画面Ｐ２に戻る。編集データは自動的にＨＤＤ５０に保存するようになされる。
【０２２０】
また、ステップＣ９でボタンＢＴ４１以外が選択された場合は、ステップＣ１１に移行して「線路定数入力画面１」のボタンＢＴ４２が選択されたか否かにより制御を分岐する。ボタンＢＴ４２が選択された場合は、ステップＣ１２に移行して線路定数入力画面Ｐ２３を表示する。このとき、ユーザは、図１６に示した線路定数入力画面Ｐ２３において、キーボード４１を操作して、線路定数を求める回路の電気的諸元を入力する。例えば、区間番号［Ｎｏ．０１回線」に隣接して回線電圧には電圧階級５００．０［ｋＶ］が入力され、その横の導体数欄には「４」が入力される。その横の導体間距離欄には「０．４００」が入力される。この導体間距離においては、４導体の場合は、隣接する２導体間の距離を入力するようになされる。８導体の場合も隣接する２導体間の距離である。
【０２２１】
比透磁率には「１．０００」が入力され、その横の電線ＤＩＰの欄には、「１９．３００」ａｔ２０°（ｍ）が入力され、電線種類の欄には、「６０ＴＡＣＳＲ」が入力される。電線種類は、既に登録済みの電線（マスター）データから選択して設定する。図中、下向き三角ボタンＢＴ４６〜ＢＴ４８は、登録済みの電線データを検索する際に使用される。なお、線路定数計算に必要な電線データが存在しない場合は、戻るボタンＢＴ４５をクリックして電線マスターデータ登録画面Ｐ１１をモニタ４９に表示して、電線データを登録するようになされる。公称断面積欄には、例えば、「６１０．００」［ｍｍ2］が入力される。区間番号［Ｎｏ．０２回線」についても同様に入力される。
【０２２２】
また、架空地線については、回線電圧には０．０（ｋＶ）が入力され、その横の導体数欄には「１」が入力される。その横の導体間距離欄には「０．０００」が入力される。比透磁率には「１．０００」が入力され、その横の電線ＤＩＰ欄には、「１８．３７０」ａｔ２０°（ｍ）が入力され、電線種類欄には、「ＡＣ１５０」が入力される。公称断面積欄には、１５０．００（ｍｍ2）が入力される。これらの線路定数を求める回路の電気的諸元の入力が終了したら、他のデータ入力画面に移行するか、「戻る」のボタンＢＴ４５を押すようになされる。編集データ入力を終了し、ボタンＢＴ４５をクリックすると、データ編集・計算実行画面Ｐ２に戻る。編集データは自動的にＨＤＤ５０に保存するようになされる。
【０２２３】
また、ステップＣ１１でボタンＢＴ４１、ＢＴ４２以外が選択された場合は、ステップＣ１３に移行して「線路定数入力画面２」のボタンＢＴ４３が選択されたか否かにより制御を分岐する。ボタンＢＴ４３が選択された場合は、ステップＣ１４に移行して線路定数入力画面Ｐ２４を表示する。このとき、ユーザは、図１７に示した線路定数入力画面Ｐ２４において、キーボード４１を操作して、線路定数を求める送電系統の鉄塔電線配置に関する編集データを入力する。例えば、区間番号［Ｎｏ．０１回線」については、赤相の地上高には７１．３５００（ｍ）が入力され、その横の水平距離には１０．３４００（ｍ）が入力される。白相の地上高には５７．８４００（ｍ）が入力され、その横の水平距離には１２．５４００（ｍ）が入力される。青相の地上高には４４．１３００（ｍ）が入力され、その横の水平距離には１１．１３００（ｍ）が入力される。
【０２２４】
また、区間番号［Ｎｏ．０２回線」については、赤相の地上高には４４．１３００（ｍ）が入力され、その水平距離には１１．１３００（ｍ）が入力される。白相の地上高には５７．８４００（ｍ）が入力され、その水平距離には１２．５４００（ｍ）が入力される。青相の地上高には７１．９５００（ｍ）が入力され、その水平距離には１０．３４００（ｍ）が入力される。電線配置に関する編集データの入力が終了したら、他のデータ入力画面に移行するか、「戻る」のボタンＢＴ４５を押すようになされる。編集データ入力を終了し、ボタンＢＴ４５をクリックすると、データ編集・計算実行画面Ｐ２に戻る。編集データは自動的にＨＤＤ５０に保存するようになされる。
【０２２５】
更に、ステップＣ１１でボタンＢＴ４１、ＢＴ４２、ＢＴ４３以外、すなわち、架空地線入力画面のボタンＢＴ４４が選択された場合は、ステップＣ１５に移行して架空地線入力画面Ｐ２５を表示する。このとき、ユーザは、図１８に示した架空地線入力画面Ｐ２５において、架空地線の欄で、地線中央を基準にしたとき、地線左側の地上高には、例えば、３４．１５０（ｍ）が入力され、その水平距離には、−１２．７１０（ｍ）が入力される。同様にして、架空地線の欄において、地線中央の地上高には、８４．１５０（ｍ）が入力され、その水平距離には、０．００００（ｍ）が入力される。地線右側の地上高には、例えば、６４．１５０（ｍ）が入力され、その水平距離には、１２．７１０（ｍ）が入力される。架空地線に関する編集データの入力が終了したら、他のデータ入力画面に移行するか、「戻る」のボタンＢＴ４５を押すようになされる。編集データ入力を終了し、ボタンＢＴ４５をクリックすると、データ編集・計算実行画面Ｐ２に戻る。編集データは自動的にＨＤＤ５０に保存するようになされる。その後、ステップＣ３のデータ編集・計算実行画面Ｐ２に戻るようになされる。
【０２２６】
そして、データ編集・計算実行画面Ｐ２で計算実行ボタンＢＴ２６をクリックすると、ステップＣ４で制御を分岐して、図２２に示すステップＣ１６に移行する。ステップＣ１６では、ＣＰＵ４５は線路定数の計算処理を実行する。線路定数は、区間の長さ×単位長さ当たりの抵抗値等から算出される。
【０２２７】
次に、ステップＣ１７に移行して計算結果出力画面Ｐ２６を表示する。このとき、ユーザは、図１９に示した計算結果出力画面Ｐ２６において、出力項目にチェックを入力する。この例では、「入力データ」、「３相平均値」、「線路定数表１」、「線路定数表２」、「線路定数表３」の全てにチェック入力がなされている。また、表示ボタンＢＴ５６をクリックすると、印刷プレビュー形式の計算結果画面をモニタ４９に表示される。このとき、表形式出力ボタンＢＴ５７をクリックすると、例えば、計算結果をＥＸＣＥＬ（商標登録）形式の一覧表で出力するようになされる。
【０２２８】
次に、ステップＣ１８に移行して「戻る」のボタンＢＴ５９の選択に基づいて制御を分岐する。ボタンＢＴ５９が選択された場合は、メニュー画面Ｐ１に戻る。ボタンＢＴ５９が選択されることなく、「表示」のボタンＢＴ５６又は「印刷」のボタンＢＴ５８がクリックされた場合は、ステップＣ１９に移行する。ステップＣ１９では、ボタンＢＴ５６又はボタンＢＴ５８の選択に応じて制御を分岐する。ボタンＢＴ５６がクリックされている場合は、ステップＣ２０に移行してレポート表示画面Ｐ２７を表示するようになされる。
【０２２９】
このとき、ユーザは、図２０に示したレポート表示画面Ｐ２７において、例えば、過去の計算結果ファイルを読み出す際に、３つの「レポート１〜３」の中から、対応する１つのボタンＢＴ７１、ＢＴ７２又はＢＴ７３を押すように操作される。その後、計算結果出力画面Ｐ２６と同様にして作業を実行する。
【０２３０】
例えば、ポップアップ表示されている計算結果出力画面Ｐ２６で、選択したレポートの計算結果ファイルの出力項目にチェックを入力する。この例では、「入力データ」、「３相平均値」、「線路定数表１」、「線路定数表２」、「線路定数表３」の全てにチェック入力がなされている。表示ボタンＢＴ５６をクリックすると、印刷プレビュー形式の計算結果画面をモニタ４９に表示される。このとき、表形式出力ボタンＢＴ５７をクリックすると、架空送電線系の線路定数計算結果を一覧表形式で出力するようになされる。
【０２３１】
また、ステップＣ１９でボタンＢＴ５８がクリックされる場合は、ステップＣ２１に移行してプリントアウト処理がなされる。このとき、印刷ボタンＢＴ５８のクリックによって、図４に示したＣＰＵ４５からプリンタ８０へ印刷データＤ８０が出力される。プリンタ８０は印刷データＤ８０に基づいて所定の用紙に計算結果をプリントアウトするようになされる。これにより、ユーザは、プリンタ８０から所定の用紙にプリントアウトされた架空送電線系の線路定数計算結果を得ることができる。その後、ステップＣ１８に戻る。ステップＣ１８で戻るボタンＢＴ５９をクリックすると、プレビュー画面を自動的に閉じてメニュー画面Ｐ１に戻るようになされる。
【０２３２】
このように、電力系統簡易シミュレーションシステム＃１を応用した第４の実施例としての線路定数（架空系）計算例によれば、データベース２０に登録された複数の電力設備情報Ｄ０を共用して、架空系送電線路等の線路定数を算出することができる。
【０２３３】
従って、電力設備更新時の仕様検討や電力系統の事故解析等の色々なシミュレーションを含む情報処理を実行できるようになる。機械装置メーカーは、新製品等の機器装置データＤ３をデータベース２０に登録することができる。これにより、情報利用者は、架空系電力系統の線路定数を容易に取得できるようになる。
【実施例５】
【０２３４】
図２３Ａ〜Ｃは、第５の実施例としての線路定数（ケーブル系）計算例を示す構成図である。図２３Ａは、ケーブル系２回線の地中送電線路を示す図である。この例では、電力系統簡易シミュレーションシステム＃１を応用してケーブル系の線路定数を計算する場合に、図２３Ａに示す地中送電系統は、送電側の端子６６とその受電側の端子６７との間が送電用の単心又は３心ケーブル６８で接続された地中送電線路を対象となされる。この例で、区間１には、２回線の地中送電線路１Ｌ、２Ｌを有して構成される。例えば、計算対象としては、区間１が１ｋｍの場合である。
【０２３５】
図２３Ｂは、１回線及び２回線の地中送電線路１Ｌ，２Ｌの配置例を示す正面図である。図２３Ｂにおいて、地中送電線路１Ｌと地中送電線路２Ｌとは、地中において、離隔距離Ｓ３１を有して配置される。地中送電線路１Ｌは、赤相及び青相のケーブルを下方にして、その上に白相のケーブルを重ねるように配置される。同様にして、地中送電線路２Ｌも、赤相及び青相のケーブルを下方にして、その上に白相のケーブルを重ねるように配置される。
【０２３６】
図２３Ｃは、１相のケーブル６８’の構成例を示す断面図である。図２３Ｃに示すケーブル６８’は、ケーブル外径ｄ１３、絶縁体外径ｄ１２、導体外径ｄ１１を有して構成されている。例えば、電圧階級２２ｋＶ、名称ＣＶＴ４００等の線種を有するケーブル６８’は、ｄ１３＝４３．９（ｍｍ）、ｄ１２＝３８．１（ｍｍ）、ｄ１１＝２４．１（ｍｍ）である。その諸元は、ビニールシース厚さが２．９（ｍｍ）、導体抵抗が０．０４７１Ω／ｋｍ、静電容量が０，４１μＦ／ｋｍである。
【０２３７】
図２４は、地中送電線路１Ｌの赤相基準時の他のケーブル配置例を示す図である。図２４に示すＸ−Ｙ座標系で地中送電線路１Ｌの赤相の位置（ｘ１１，ｙ１１）を基準にした場合、地中送電線路１Ｌの白、青相の位置（水平方向、垂直方向：単位［ｍ］）及び地中送電線路２Ｌの赤、白、青相の各ケーブルの位置は、次のように示される。
【０２３８】
地中送電線路１Ｌの白相の位置は、（ｘ１２，ｙ１２）で示され、その青相の位置は（ｘ１３，ｙ１３）で示される。同様にして、地中送電線路２Ｌの赤相の位置は、（ｘ２１，ｙ２１で示され、白相の位置は、（ｘ２２，ｙ２２）で示され、その青相の位置は（ｘ２３，ｙ２３）で示される。この例では、他のケーブルの位置（水平方向、垂直方向：単位［ｍ］）は、地中送電線路１Ｌの白相がＸ−Ｙ座標系で（ｘ１２，ｙ１２）で示され、青相が（ｘ１３，ｙ１３）で示される。
【０２３９】
この例で線路定数計算（ケーブル系）時に、図示しないが、線路定数入力画面において、詳細入力領域に、赤相、白相、青相のケーブルの位置として垂直距離及び水平距離を入力する欄が設けられる。その入力欄において、地中送電線路１Ｌの赤相には、例えば、ｘ１１＝０．０、ｙ１１＝０．０が入力され、白相にはｘ１２＝０．０２１９５［ｍ］、ｙ１２＝０．０３８［ｍ］が入力され、青相ｘ１３＝０．０４３９［ｍ］、ｙ１３＝０．０［ｍ］が入力される。地中送電線路２Ｌの赤相にはｘ２１＝０．５［ｍ］、ｙ２１＝０．０［ｍ］が入力され、白相にはｘ２２＝０．５２１９５［ｍ］、ｙ２２＝０．０３８［ｍ］が入力され、青相にはｘ２３＝０．５４３９及びｙ２３＝０．０［ｍ］が各々入力される。
【０２４０】
図２５は、データ編集・計算実行画面Ｐ２’の表示例を示す図である。図２５に示すデータ編集・計算実行画面Ｐ２’は、図５に示した例えば、「線路定数計算」の項目欄で、ケーブル系の「編集」ボタンＢＴ４をクリック（オン）することにより、モニタ４９に表示される。
【０２４１】
この計算実行画面Ｐ２’には、「データ編集・計算実行画面（線路定数計算・ケーブル系）」のタイトルが表示される。タイトル表示領域の下方には、データ検索領域ｗ０が設けられている。データ検索領域ｗ０には、検索データ名、検索区間及び検索コメントを表示する領域が設定されている。この表示領域の右側には、「昇順」のボタンＢＴ２１、「降順」のボタンＢＴ２２、「再表示」のボタンＢＴ２３が各々表示される。これらのボタンＢＴ２１〜ＢＴ２３は、選択中データについて各種処理を実行する際に、いずれもマウス４２でクリックされ、容易にデータを検索できるようになされている。
【０２４２】
このデータ検索表示領域の下方には、明細入力領域ｗ１が設定され、この明細入力領域ｗ１には、選択中データを示す表示領域が設定されている。選択中データの表示領域の隣には、５つのボタンＢＴ２４〜ＢＴ２８が配置されている。「複写」のボタンＢＴ２１は、選択中データを複写する場合にクリックされる。「編集」のボタンＢＴ２２は、選択中データを編集する場合にクリックされる。「計算実行」のボタンＢＴ２３は、選択中データで線路定数を計算させる場合にクリックされる。「削除」のボタンＢＴ２４は、確認後、データを削除する場合にクリックされる。「新規作成」のボタンＢＴ２５は、新規にデータを作成する場合にクリックされる。
【０２４３】
これらのボタン領域の下方には、明細入力領域ｗ１が表示される。明細入力領域ｗ１には、データ名、コメント、区間、ルート当たり回線数、ルート数、全回線数、区間の長さ（ｋｍ）、大地帰路抵抗分の指定等の編集項目が表示される。この例では、データ名の記述欄には、ＣＡＳＥ４−１、ＣＡＳＥ４−２等が入力される。コメントの記述欄には、線路定数ＣＡＳＥ４、線路定数ＣＡＳＥ４等が入力される。区間の記述欄には、「１」，「２」等が入力される。ルート当たり線路数には、「２」，「１」等が入力される。ルート数には、「１」，「１」等が入力される。全回線数には、「２」，「１」等が入力される。区間の長さには、「１」，「１」（ｋｍ）等が入力される。大地帰路抵抗分の指定欄にはＣＡＳＥ４−１に関して「理論値」が入力され、ＣＡＳＥ４−２に関して「実測平均値」が入力される。
【０２４４】
図２６は、線路定数（ケーブル系）データ入力画面Ｐ２１’の表示例を示す図である。図２６に示す線路定数（ケーブル系）データ入力画面Ｐ２１’は、図２５に示した新規作成ボタンＢＴ２８をクリック（オン）することにより、モニタ４９に表示される。
【０２４５】
このデータ入力画面Ｐ２１’には、「線路定数計算（ケーブル系）データ入力画面」のタイトルが表示される。タイトル表示領域の下方には、データ検索領域ｗ０が設けられている。この例で、データ検索領域ｗ０において、検索データ名に「ＣＡＳＥ１」が表示され、コメント欄には、「線路定数ＣＡＳＥ１」が表示され、区間番号には「１」が表示される。
【０２４６】
また、データ検索領域ｗ０には、ルート当たりの回線数、ルート数、全回線数、大地帰路抵抗分の指定、シース電流の考慮、区間の長さ等の各表示欄が設けられている。ルート当たりの回線数表示欄には、下向き三角ボタンＢＴ３１が配置されており、回線数を入力できるようになされている。この例では、ルート当たりの回線数として「２」が入力される。ルート数表示欄には、下向き三角ボタンＢＴ３２が配置されており、ルート数を入力できるようになされている。ルート数としては「１」が入力される。全回線数表示欄には、下向き三角ボタンＢＴ３３’が配置されており、全回線数を入力できるようになされている。この全回線数には、「２」が入力される。シース電流の考慮表示欄には、下向き三角ボタンＢＴ３５’が配置されており、シース電流を「考慮する／考慮しない」を入力できるようになされている。この例では、「考慮しない」が入力される。
【０２４７】
更に、大地帰路抵抗分の欄には、表示領域が設定され、例えば、実測平均値が入力される。この例で、大地帰路抵抗分表示欄には、下向き三角ボタンＢＴ３６が配置されている。この例では、大地帰路抵抗分の指定は二者択一となされている。実測平均値は０．１［Ω／ｋｍ］であり、その理論値は、０．０６［Ω／ｋｍ］である。この例では「理論値」が選択されている。
【０２４８】
データ検索領域ｗ０の右下方には、「確定」のボタンＢＴ３７が設けられている。確定ボタンＢＴ３７をマウス４２でクリックすると、ルート当たりの回線数、ルート数、全回線数、区間の長さ、シース電流の考慮、大地帰路抵抗分等の基本データが確定され、確定後の線路定数データは保存される。なお、右上の「終了」は、前画面に戻る時にクリックするようになされる。
【０２４９】
図２７は、ルート入力画面Ｐ２２’の表示例を示す図である。図２７に示すルート入力画面Ｐ２２’は、例えば、図２６に示した確定ボタンＢＴ３７をクリック（オン）することにより、モニタ４９に表示される。
【０２５０】
このルート入力画面Ｐ２２’には、「線路定数計算（ケーブル系）データ入力画面」のタイトルが表示される。この例で、タイトル表示領域の下方のデータ検索領域ｗ０の内容は、反転表示となされる。データ検索領域ｗ０の下方には明細入力領域ｗ１が表示される。明細入力領域ｗ１には、「ルート入力画面」、「線路定数入力画面１」、「線路定数入力画面２」の３つの編集項目に加えて「戻る」の各ボタンＢＴ４１〜ＢＴ４３、ＢＴ４５が表示される。
【０２５１】
「ルート入力画面」のボタンＢＴ４１をクリックした場合は、明細入力領域ｗ１に編集項目欄が表示される。編集項目欄には、「区間番号」、「線路名」及び「ルートを構成する回線番号」が設定されている。この例では、区間番号欄には「Ｎｏ．０１」が入力され、線路名欄には、「ＣＡＢＥＬ１」が入力され、その横の回線番号欄には「１」，「２」が入力される。線路名「ＣＡＢＥＬ１」は、線路定数の編集データ集計時に検索キーとして使用される。編集データを集計対象とする場合は、同一の線路名を入力するようになされる。
【０２５２】
なお、上述の３つの編集項目において、「線路定数入力画面１」のボタンＢＴ４２をマウス４２でクリックすると、図２８に示す線路定数入力画面Ｐ２３’がモニタ４９に表示される。「線路定数入力画面２」のボタンＢＴ４３を同様にしてクリックすると、図２９に示す線路定数入力画面Ｐ２４’がモニタ４９に表示される。
【０２５３】
図２８は、線路定数入力画面Ｐ２３’の表示例を示す図である。図２８に示す線路定数入力画面Ｐ２３’は、例えば、図２７に示した「線路定数入力画面１」のボタンＢＴ４２をクリック（オン）することにより、モニタ４９に表示される。
【０２５４】
この線路定数入力画面Ｐ２３’には、「線路定数計算（ケーブル系）データ入力画面」のタイトルが表示される。この例でも、タイトル表示領域の下方のデータ検索領域ｗ０の内容は、反転表示となされる。データ検索領域ｗ０の下方の明細入力領域ｗ１には、「ルート入力画面」、「線路定数入力画面１」、「線路定数入力画面２」の３つの編集項目に加えて「戻る」の各ボタンＢＴ４１〜ＢＴ４３、ＢＴ４５が表示される。
【０２５５】
このボタン表示領域の下方には、電気的諸元を入力するための区間番号、回線電圧（ｋＶ）、線心数、ケーブル種類、公称断面積（ｍｍ2）、導体径（ｍｍ）、シース内径（ｍｍ）及びシース外径（ｍｍ）の編集項目欄が各々設けられている。この例で、ケーブル種類の表示欄には、マスター登録用のボタンＢＴ４４’が設けられ、この線路定数入力画面Ｐ２３’から単心又は３心ケーブルに関するマスターデータ登録画面Ｐ１２又はＰ１３を読み出せるようになされている。
【０２５６】
また、区間番号欄には、Ｎｏ．０１回線やＮｏ．０２回線等が入力される。回線電圧欄には、Ｎｏ．０１回線やＮｏ．０２回線等に対して、例えば、電圧階級２２．０（ｋＶ）が入力される。線心数欄には、Ｎｏ．０１回線やＮｏ．０２回線等に対して、「１」が入力される。線心数欄には、下向き三角ボタンＢＴ４６’が配置されており、線心数を選択できるようになされている。
【０２５７】
ケーブルの種類欄にはＮｏ．０１回線やＮｏ．０２回線等に対して、「ＣＶＴ」が入力される。ケーブルの種類欄には、下向き三角ボタンＢＴ４７’が配置されており、ケーブルの種類を選択できるようになされている。公称断面積欄にはＮｏ．０１回線やＮｏ．０２回線等に対して、「４００．００」（ｍｍ2）が入力される。導体径に対して２４．１（ｍｍ）が入力され、シース内径に対して３５．２（ｍｍ）が入力され、及び、シース外径に対して３８．１（ｍｍ）が各々入力される。
【０２５８】
図２９は、線路定数入力画面Ｐ２４’の表示例を示す図である。図２９に示す線路定数入力画面Ｐ２４’は、例えば、図２７に示した「線路定数入力画面２」のボタンＢＴ４３をクリック（オン）することにより、モニタ４９に表示される。
【０２５９】
この線路定数入力画面Ｐ２４’にも、「線路定数計算（ケーブル系）データ入力画面」のタイトルが表示される。この例でも、タイトル表示領域の下方のデータ検索領域ｗ０の内容は、反転表示となされる。データ検索領域ｗ０の下方の明細入力領域ｗ１には、「ルート入力画面」、「線路定数入力画面１」、「線路定数入力画面２」の３つの編集項目に加えて「戻る」の各ボタンＢＴ４１〜ＢＴ４３、ＢＴ４５が表示される。
【０２６０】
このボタン表示領域の下方には、電線のサブ項目として、地中におけるケーブル配置を入力するための「区間番号」や、三相地中ケーブル路を示す「赤相」、「白相」、「青相」等の編集項目欄が各々設けられている。この例では、各相に対応して、ケーブルの垂直距離及び水平距離を入力する編集欄が設けられている。この例では、赤相を基準となされる。
【０２６１】
この例で、区間番号欄には、Ｎｏ．０１回線やＮｏ．０２回線等が入力される。Ｎｏ．０１回線における地中ケーブルの赤相の垂直距離には、例えば、０．００００（ｍ）が入力され、その水平距離には、０．０００００（ｍ）が入力される（図２４参照）。同様にして、Ｎｏ．０２回線における地中ケーブルの赤相の垂直距離は、０．０００００（ｍ）が入力され、その水平距離には、０．５００００（ｍ）が入力される。
【０２６２】
Ｎｏ．０１回線における地中ケーブルの白相の垂直距離は、例えば、０．３８０００（ｍ）が入力され、その水平距離には、０．０２２００（ｍ）が入力される。同様にして、Ｎｏ．０２回線の白相の垂直距離は、０．３８０００（ｍ）が入力され、その水平距離には、０．５２２００（ｍ）が入力される。Ｎｏ．０１回線における地中ケーブルの青相の垂直距離は、０．０００００（ｍ）が入力され、その水平距離には、０．０４３９０（ｍ）が入力される。Ｎｏ．０２回線における地中ケーブルの青相の垂直距離は、０．０００００（ｍ）が入力され、その水平距離には、０．５４３９０（ｍ）が入力される。
【０２６３】
図３０は、計算結果出力画面Ｐ２６’の表示例を示す図である。図３０に示す計算結果出力画面Ｐ２６’は、例えば、図２５に示したデータ編集・計算実行画面Ｐ２’で計算実行ボタンＢＴ２６をクリック（オン）することにより、ＣＰＵ４５が線路定数計算を実行した後にモニタ４９に表示される。
【０２６４】
この計算結果出力画面Ｐ２６’には、「計算結果出力画面」のタイトルが表示される。この例で、タイトル表示領域には、データ名、例えば、「ＣＡＳＥ４−１（線路定数計算・ケーブル系）」表示される。タイトル表示領域の右上には、「戻る」のボタンＢＴ５９が設けられている。
【０２６５】
タイトル表示領域の下方にはデータチェック表示領域ｗ３が設けられ、５つのチェックボタンＢＴ５１〜ＢＴ５５が配置されている。チェック項目として、「入力データ」、「３相平均値」、「線路定数表１」、「線路定数表２」、「線路定数表３」が表示される。例えば、マウス４２で出力したい項目にチェック（レ点）を入力するようになされる。チェックが入力された項目が出力対象となされる。
【０２６６】
例えば、区間１の計算結果出力画面Ｐ２６’で「入力データ」のボタンＢＴ５１をチェックすると、図２３に示した線路定数計算例（ケーブル系）で入力された、区間１の入力データが出力される。表１５は、「線路定数計算（ケーブル系）入力データ」を示している。表１５で、データ名欄には、ＣＡＳＥ４−１が記述され、区間欄には「１」が記述され、コメント欄には、線路定数ＣＡＳＥ４が記述され、ルート当たり回線数欄には、「２」が記述され、ルート数欄には、「１」が記述され、全回線数欄には「２」が記述され、区間の長さには、「１．０００」（ｋｍ）が記述されている。
【０２６７】
また、「３相平均値」のボタンＢＴ５２をチェックすると、表１６に示す線路定数計算（ケーブル系）完全撚架線路定数（３相平均値）が出力される。更に、「線路定数表１」のボタンＢＴ５３をチェックすると、表１７に示す「線路定数計算（ケーブル系）完全撚架線路定数  線路定数表１  正逆相回路」が出力される。また、「線路定数表２」のボタンＢＴ５４をチェックすると、表１８に示す「線路定数計算（ケーブル系）完全撚架線路定数  線路定数表２  零相回路（一回線定数）」が出力される。更に、「線路定数表３」のボタンＢＴ５５をチェックすると、表１９に示す「線路定数計算（ケーブル系）完全撚架線路定数  線路定数表３  零相回路（二回線定数）」が出力される。
【０２６８】
なお、区間１の非撚架線路定数に関しては、表２０に示す「線路定数計算（ケーブル系）非撚架線路定数（一回線定数）（各相値）」が出力され、更に、表２１に示す「線路定数計算（ケーブル系）非撚架線路定数（３相平均値）」が出力される。表１６〜１９及び表２１において、「％」は、基準容量を１０ＭＶＡとした場合の％インピーダンスである。
【０２６９】
【表１５】
2007195318.tif 000017
【０２７０】
【表１６】
2007195318.tif 000018
【０２７１】
【表１７】
2007195318.tif 000019
【０２７２】
【表１８】
2007195318.tif 000020
【０２７３】
【表１９】
2007195318.tif 000021
【０２７４】
【表２０】
2007195318.tif 000022
【０２７５】
【表２１】
2007195318.tif 000023
この例では、データチェック表示領域ｗ３の下方には「表示」、「表形式出力」及び「印刷」のボタンＢＴ５６〜ＢＴ５８が配置されている。例えば、「入力データ」のボタンＢＴ５１をチェックして「印刷」のボタンＢＴ５８をクリックすると、表１５示した区間１の入力データ一覧表をプリントアウトできるようになる。
【０２７６】
図３１は、レポート表示画面Ｐ２７’の表示例を示す図である。図３１に示すレポート表示画面Ｐ２７’は、図３０に示した計算結果出力画面Ｐ２６’で「表示」のボタンＢＴ５６をクリック（オン）することにより、例えば、データ編集計算実行画面Ｐ２’上にポップアップ表示される。
【０２７７】
このレポート表示画面Ｐ２７’では、下層位置に表示されているデータ編集計算実行画面Ｐ２’の下方に、レポート選択領域が表示される。レポート選択領域には、例えば、３つの「レポート１〜３」のボタンＢＴ７１〜ＢＴ７３が表示される。この例で、「レポート１〜３」は、既に編集し計算された３つの計算結果ファイルであり、ボタンＢＴ７１〜ＢＴ７３は、これらの計算結果ファイルを読み出す際に使用される。これにより、プレビュー画面で参照したいレポートを選択できるようになされる。なお、選択出力項目に関しては、ケーブル送電路が１回線のみの場合は、２回線定数は出力されない。
【０２７８】
続いて、電力系統簡易シミュレーションシステム＃１を応用したケーブル系における線路定数計算例について説明する。図３２及び図３３は、ケーブル系の線路定数計算例（その１、２）を示すフローチャートである。この例では、データ編集・計算実行画面Ｐ２’で計算実行ボタンＢＴ２６がクリックされると、定数計算が実行される。その後、「計算結果出力画面」に遷移するようになされる。
【０２７９】
これを計算処理条件にして、まず、図３２に示すフローチャートのステップＣ１’でメニュー画面Ｐ１を表示する。メニュー画面Ｐ１は、ＣＰＵ４５からモニタ４９へ表示データＤ４９を出力され、この表示データＤ４９に基づいて「技術計算プログラム」等が表示される。ユーザは、このメニュー画面Ｐ１から、各編集項目を選択するようになされる。ここでは、「線路定数計算」が選択される。
【０２８０】
この例では、ステップＣ２’に移行してＣＰＵ４５は「終了」をチェックする。図５に示したメニュー画面Ｐ１で終了ボタンＢＴ１８が押下されない場合は、線路定数計算処理を継続するようになされる。従って、メニュー画面Ｐ１で終了ボタンＢＴ１８が押されることなく、線路定数計算に係る編集ボタンＢＴ６が押下された場合は、ステップＣ３’に移行して、データ編集・計算実行画面Ｐ２’を表示する。モニタ４９は、表示データＤ４９に基づいてデータ編集・計算実行画面Ｐ２’を表示する。このとき、ユーザは、データ編集・計算実行画面Ｐ２’において、検索データの絞り込みを実行する。
【０２８１】
例えば、ユーザは、各検索項目を入力し、昇順又は降順ボタンＢＴ２１、ＢＴ２２を決めて再表示ボタンＢＴ２３をマウス４２でクリックする。この例で、検索データの内容が編集リストに反映されるので、検索条件を入力したら、必ず再表示のボタンＢＴ２３をクリックするようになされる。次に、マウス４２で選択中データの欄を選択してクリックする。例えば、編集ボタンＢＴ２５又は新規作成ボタンＢＴ２８を選択する。この選択によって、図２６に示した線路定数計算（ケーブル系）入力画面Ｐ２１’に遷移するようになされる。
【０２８２】
なお、図２５に示したデータ編集・計算実行画面Ｐ２’で削除ボタンＢＴ２７がクリックされると、確認後、編集データを削除するようになされる。また、複写ボタンＢＴ２４がクリックされると、新しいデータ名を入力した後に、複写が実行される。上述したタイトルの右隣り領域には、メニューに「戻る」のボタンＢＴ２９が表示される。
【０２８３】
この例で、計算実行ボタンＢＴ２６のクリックに対応して、ＣＰＵ４５は、ステップＣ４’に移行して計算実行か否かを判別する。ＣＰＵ４５は、計算実行ボタンＢＴ２６がオンされた場合は、計算実行と判断し、計算実行ボタンＢＴ２６がオンされない場合は、ステップＣ５’に移行してメニューに戻るボタンＢＴ２９又は編集ボタンＢＴ２５の操作に基づいて制御を分岐する。編集ボタンＢＴ２５がオンされた場合は、ステップＣ６’に移行して、線路定数計算（ケーブル系）データ入力画面Ｐ２１’を表示する。このとき、モニタ４９は、表示データＤ４９に基づいて線路定数計算（ケーブル系）データ入力画面Ｐ２１を表示する。
【０２８４】
次に、ステップＣ７’に移行して編集データを入力する。このとき、ユーザは、図２６に示した線路定数（ケーブル系）データ入力画面Ｐ２１’において、まず、データ検索領域ｗ０のデータ名欄にデータ名を入力する。この例では「ＣＡＳＥ４−１」が入力され、このデータ名前で保存される。保存単位は１区間である。次に、コメント欄に、「線路定数ＣＡＳＥ４」を入力する。次に、区間番号「１」を入力する。区間番号は集計の順番に付与するようになされる。更に、ルート当たりの回線数、ルート数、全回線数、区間の長さ、シース電流の考慮、大地帰路抵抗分の指定等の各表示欄について入力・選択を実行する。全てのデータ入力が終了した場合は、確定ボタンＢＴ３７をクリックする。なお、入力項目にエラーがなければ、データ検索領域（確認項目表示欄）ｗ０の下方に明細入力領域ｗ１が表示される。
【０２８５】
次に、ステップＣ８’に移行して線路定数計算（ケーブル系）データ入力画面Ｐ２１’で確定ボタンＢＴ３７又は終了ボタンＢＴ３８の選択操作に基づいて制御を分岐する。終了ボタンＢＴ３８が選択された場合は、データ編集・計算実行画面Ｐ２’に戻るようになされる。ステップＣ８で確定ボタンＢＴ３７が選択された場合は、図３３に示すステップＣ９’に移行して「ルート入力画面」のボタンＢＴ４１がクリックされたか他のボタンＢＴ４２，ＢＴ４３等がクリックされたかにより制御を分岐する。
【０２８６】
ボタンＢＴ４１が選択された場合は、ステップＣ１０’に移行してルート入力画面Ｐ２２’を表示する。このとき、ユーザは、図２７に示したルート入力画面Ｐ２２’において、区間番号には、「Ｎｏ．０１ルート」が入力される。線路名には「ＣＡＢＬＥ１」が入力される。線路名は編集時に必要になる。ルートを構成する回線番号には、例えば、２回線（２ＣＣＴ）の場合「１」，「２」が入力される。入力が終了したら、他の入力画面に移行するか、「戻る」のボタンＢＴ４５を押すようになされる。編集データの入力を終了すると、データ編集・計算実行画面Ｐ２’に戻る。編集データは自動的にＨＤＤ５０に保存するようになされる。
【０２８７】
また、ステップＣ９’でボタンＢＴ４１以外が選択された場合は、ステップＣ１１’に移行して「線路定数入力画面１」のボタンＢＴ４２が選択されたか否かにより制御を分岐する。ボタンＢＴ４２が選択された場合は、ステップＣ１２’に移行して線路定数入力画面Ｐ２３’を表示する。このとき、ユーザは、図２８に示した線路定数入力画面Ｐ２３’において、キーボード４１を操作して、線路定数を求める回路の電気的諸元を入力する。
【０２８８】
例えば、区間番号［Ｎｏ．０１回線」に隣接して回線電圧には電圧階級２２．０［ｋＶ］が入力され、その横の線心数欄には「４１が入力される。その横のケーブルの種類には「ＣＶＴ」が入力される。その横の公称断面積欄には、例えば、「４００．００」［ｍｍ2］が入力される。導体径には、２４．１（ｍｍ）が入力され、シース内径には３５．２（ｍｍ）が入力され、シース外径には３８．１（ｍｍ）が各々入力される。このとき、図中、下向き三角ボタンＢＴ４６’及びＢＴ４７’を使用して、登録済みのケーブルデータを検索するようになされる。
【０２８９】
なお、線路定数計算に必要なケーブルデータが存在しない場合は、マスターデータ登録用のボタンＢＴ４’を操作するようになされる。これに限られることはなく、戻るボタンＢＴ４５をクリックして、図７に示した単心ケーブルマスターデータ登録画面Ｐ１２や図８に示した３心ケーブルマスターデータ登録画面Ｐ１３をモニタ４９に表示して、ケーブルデータを登録するようにしてもよい。区間番号［Ｎｏ．０２回線」についても同様に入力される。
【０２９０】
これらの線路定数を求める回路の電気的諸元の入力が終了したら、他のデータ入力画面に移行するか、「戻る」のボタンＢＴ４５を押すようになされる。編集データ入力を終了し、ボタンＢＴ４５をクリックすると、データ編集・計算実行画面Ｐ２’に戻る。編集データは自動的にＨＤＤ５０に保存するようになされる。
【０２９１】
また、ステップＣ１１’でボタンＢＴ４１、ＢＴ４２以外が選択された場合は、ステップＣ１３’に移行して「線路定数入力画面２」のボタンＢＴ４３が選択されたか否かにより制御を分岐する。ボタンＢＴ４３が選択された場合は、ステップＣ１３’に移行して線路定数入力画面Ｐ２４’を表示する。このとき、ユーザは、図２９に示した線路定数入力画面Ｐ２４’において、キーボード４１を操作して、線路定数を求める地中ケーブル送電系統のケーブル配置に関する編集データを入力する。例えば、区間番号［Ｎｏ．０１回線」については、赤相の垂直距離には０．０００００（ｍ）が入力され、その横の水平距離には０．０００００（ｍ）が入力される。白相の垂直距離には０．３８０００（ｍ）が入力され、その横の水平距離には０．０２２００（ｍ）が入力される。青相の垂直距離には０．０００００（ｍ）が入力され、その横の水平距離には０．０４３９００（ｍ）が入力される。
【０２９２】
また、区間番号［Ｎｏ．０２回線」については、赤相の垂直距離には０．０００００（ｍ）が入力され、その水平距離には０．０００００（ｍ）が入力される。白相の垂直距離には０．５００００（ｍ）が入力され、その水平距離には０．３８０００（ｍ）が入力される。青相の垂直距離には０．０００００（ｍ）が入力され、その水平距離には０．５４３９０（ｍ）が入力される。ケーブル配置に関する編集データの入力が終了したら、他のデータ入力画面に移行するか、「戻る」のボタンＢＴ４５を押すようになされる。編集データ入力を終了し、ボタンＢＴ４５をクリックすると、データ編集・計算実行画面Ｐ２’に戻る。編集データは自動的にＨＤＤ５０に保存するようになされる。
【０２９３】
そして、データ編集・計算実行画面Ｐ２’で計算実行ボタンＢＴ２６をクリックすると、ステップＣ４’で制御を分岐して、図３３に示すステップＣ１４’に移行する。ステップＣ１４’では、ＣＰＵ４５は線路定数の計算処理を実行する。線路定数は、区間の長さ×単位長さ当たりの抵抗値や静電容量等から算出される。
【０２９４】
次に、ステップＣ１５’に移行して計算結果出力画面Ｐ２６’を表示する。このとき、ユーザは、図３０に示した計算結果出力画面Ｐ２６’において、出力項目にチェックを入力する。この例では、「入力データ」、「３相平均値」、「線路定数表１」、「線路定数表２」、「線路定数表３」の全てにチェック入力がなされている。また、表示ボタンＢＴ５６をクリックすると、印刷プレビュー形式の計算結果画面をモニタ４９に表示される。このとき、表形式出力ボタンＢＴ５７をクリックすると、例えば、計算結果をＥＸＣＥＬ（商標登録）形式の一覧表で出力するようになされる。
【０２９５】
次に、ステップＣ１６’に移行して「戻る」のボタンＢＴ５９の選択に基づいて制御を分岐する。ボタンＢＴ５９が選択された場合は、メニュー画面Ｐ１に戻る。ボタンＢＴ５９が選択されることなく、「表示」のボタンＢＴ５６又は「印刷」のボタンＢＴ５８がクリックされた場合は、ステップＣ１７’に移行する。ステップＣ１７’では、レポート表示用のボタンＢＴ５６又はプリンタ出力用のボタンＢＴ５８の選択に応じて制御を分岐する。ボタンＢＴ５６がクリックされている場合は、ステップＣ２０’に移行してレポート表示画面Ｐ２７’を表示するようになされる。
【０２９６】
このとき、ユーザは、図３１に示したレポート表示画面Ｐ２７’において、例えば、過去の計算結果ファイルを読み出す際に、３つの「レポート１〜３」の中から、対応する１つのボタンＢＴ７１、ＢＴ７２又はＢＴ７３を押すように操作される。その後、計算結果出力画面Ｐ２６’と同様にして作業を実行する。
【０２９７】
例えば、ポップアップ表示されている計算結果出力画面Ｐ２６’で、選択したレポートの計算結果ファイルの出力項目にチェックを入力する。この例では、「入力データ」、「３相平均値」、「線路定数表１」、「線路定数表２」、「線路定数表３」の全てにチェック入力がなされている。表示ボタンＢＴ５６をクリックすると、印刷プレビュー形式の計算結果画面をモニタ４９に表示される。このとき、表形式出力ボタンＢＴ５７をクリックすると、ケーブル送電線系の線路定数計算結果を一覧表形式で出力するようになされる。
【０２９８】
また、ステップＣ１７’でボタンＢＴ５８がクリックされる場合は、ステップＣ１９’に移行してプリントアウト処理がなされる。このとき、印刷ボタンＢＴ５８のクリックによって、図４に示したＣＰＵ４５からプリンタ８０へ印刷データＤ８０が出力される。プリンタ８０は印刷データＤ８０に基づいて所定の用紙に計算結果をプリントアウトするようになされる。これにより、ユーザは、プリンタ８０から所定の用紙にプリントアウトされたケーブル送電線系の線路定数計算結果を得ることができる。その後、ステップＣ１６’に戻る。ステップＣ１６’で戻るボタンＢＴ５９をクリックすると、プレビュー画面を自動的に閉じてメニュー画面Ｐ１に戻るようになされる。
【０２９９】
このように、電力系統簡易シミュレーションシステム＃１を応用した第５の実施例としての線路定数（ケーブル系）計算例によれば、データベース２０に登録された複数の電力設備情報Ｄ０を共用して、地中ケーブル送電系等の線路定数を算出することができる。
【０３００】
従って、電力設備更新時の仕様検討や電力系統の事故解析等の色々なシミュレーションを含む情報処理を実行できるようになる。機械装置メーカーは、新製品等の機器装置データＤ３をデータベース２０に登録することができる。これにより、情報利用者は、地中ケーブル送電系統の線路定数を容易に取得できるようになる。
【０３０１】
続いて、編集データの集計処理例について説明する。図３４は、集計対象区間設定画面Ｐ３１の表示例を示す図である。図３４に示す集計対象区間設定画面Ｐ３１は、図５に示した例えば、「線路定数計算」の項目欄で、架空系の「集計」ボタンＢＴ５をクリック（オン）することにより、モニタ４９に表示される。
【０３０２】
この設定画面Ｐ３には、「集計対象区間設定画面（架空系）集計」のタイトルが表示される。タイトル表示領域の下方には、データ検索領域ｗ０が設けられている。データ検索領域ｗ０には、「線路定数計算結果を区間単位で抽出しています。」のメッセージが表示される。
【０３０３】
このメッセージ表示領域の下方には、検索線路名：「全て」のボタンＢＴ６１、「検索実行」のボタンＢＴ６２、「すべて選択」のボタンＢＴ６３、「削除」のボタンＢＴ６４、及び、「集計実行」のボタンＢＴ６５が配置されている。これらのボタンＢＴ６１〜ＢＴ６５は、各種集計処理を実行する際に、いずれもマウス４２でクリックされ、容易に区間単位にデータ集計できるようになされている。
【０３０４】
このデータ集計表示領域の下方には、明細入力領域ｗ１が設定され、この明細入力領域ｗ１には、集計対象データの内容を示す集計項目表示領域が設定されている。集計項目表示領域には、「集計」、「区間」、「線路名」、「回線番号」、「データ名」及び「コメント」欄が設けられている。この例で、集計欄には、集計対象毎にチェック用のボタンＢＴ６６〜ＢＴ６８が配置されている。ユーザはマウス４２でボタンＢＴ６６〜ＢＴ６８等をクリックして集計対象を確認できるようになされている。
【０３０５】
この例で、区間欄には、「１」、「１」、「１」が表示される。線路名欄には、例えば、「Ａ−ＲＯＵＴＥ」、「Ｂ−ＲＯＵＴＥ」、「Ｃ−ＲＯＵＴＥ」が表示される。回線番号欄には、「１」、「２」、「１」が表示される。データ名欄には、「ＣＡＳＥ１」、「ＣＡＳＥ２」、「ＣＡＳＥ３」が表示される。コメント欄には、「線路定数ＣＡＳＥ１」、「線路定数ＣＡＳＥ２」、「線路定数ＣＡＳＥ３」が表示される。
【０３０６】
図３５は、集計結果出力画面Ｐ３２の表示例を示す図である。図３５に示す集計結果出力画面Ｐ３２は、例えば、図３４に示した集計対象区間設定画面Ｐ３１で集計実行ボタンＢＴ６５をクリック（オン）することにより、ＣＰＵ４５が集計計算を実行した後にモニタ４９に表示される。
【０３０７】
この集計結果出力画面Ｐ３２には、「計算結果出力画面」のタイトルが表示される。この例で、タイトル表示領域には、データ名、例えば、「ＴｏＴａｌ」線路定数計算（架空系）集計」表示される。タイトル表示領域の右上には、「戻る」のボタンＢＴ５９が設けられている。
【０３０８】
タイトル表示領域の下方にはデータチェック表示領域ｗ３が設けられ、例えば、２つのチェックボタンＢＴ６９及びＢＴ７０が配置されている。チェック項目として、「集計対象区間計算結果」及び「合計」が表示される。例えば、マウス４２で出力したい項目にチェック（レ点）を入力するようになされる。チェックが入力された項目が出力対象となされる。
【０３０９】
この例で、「集計対象区間計算結果」のボタンＢＴ６９をチェックすると、図１０に示した線路定数計算（架空系）で演算された、区間１や区間２等の集計対象区間の編集データが集計出力される。例えば、図１９に示した計算結果出力画面Ｐ２６で「線路定数表１」のボタンＢＴ５３をチェックすると、表２２に示す「線路定数計算（架空系）完全撚架線路定数  集計対象区間  線路定数表１  正逆相回路」が出力される。また、「線路定数表２」のボタンＢＴ５４をチェックすると、表２３に示す「線路定数計算（架空系）完全撚架線路定数  集計対象区間  線路定数表２  零相回路（一回線定数）」が出力される。更に、「線路定数表３」のボタンＢＴ５５をチェックすると、表２４に示す「線路定数計算（架空系）完全撚架線路定数  集計対象区間  線路定数表３  零相回路（二回線定数）」が出力される。表２２〜２４において、「％」は、基準容量を１０ＭＶＡとした場合の％インピーダンスである。
【０３１０】
【表２２】
2007195318.tif 000024
【０３１１】
【表２３】
2007195318.tif 000025
【０３１２】
【表２４】
2007195318.tif 000026
また、集計結果出力画面Ｐ３２で「合計」のボタンＢＴ７０をチェックすると、図１０に示した線路定数計算（架空系）で演算された、区間１や区間２等の編集データが合計出力される。
【０３１３】
例えば、図１９に示した計算結果出力画面Ｐ２６で「線路定数表１」のボタンＢＴ５３をチェックされた後、「合計」のボタンＢＴ７０がチェックされると、表２５に示す「線路定数計算（架空系）完全撚架線路定数  合計  線路定数表１  正逆相回路」が出力される。また、「線路定数表２」のボタンＢＴ５４をチェックした後、ボタンＢＴ７０がチェックされると、表２６に示す「線路定数計算（架空系）完全撚架線路定数  合計  線路定数表２  零相回路（一回線定数）」が出力される。更に、「線路定数表３」のボタンＢＴ５５をチェックした後にボタンＢＴ７０がチェックされると、表２７に示す「線路定数計算（架空系）完全撚架線路定数  合計  線路定数表３  零相回路（二回線定数）」が出力される。表２５〜２７において、「％」は、基準容量を１０ＭＶＡとした場合の％インピーダンスである。
【０３１４】
【表２５】
2007195318.tif 000027
【０３１５】
【表２６】
2007195318.tif 000028
【０３１６】
【表２７】
2007195318.tif 000029
この例で、データチェック表示領域ｗ３の下方には「表示」、「表形式出力」及び「印刷」のボタンＢＴ５６〜ＢＴ５８が配置されている。上述の集計出力処理終了後、集計結果出力画面Ｐ３２の「戻る」のボタンＢＴ５９のクリックによりメニュー画面Ｐ１に戻るようになされる。
【０３１７】
図３６は、レポート表示画面Ｐ３３の表示例を示す図である。図３６に示すレポート表示画面Ｐ３３は、例えば、図３５に示した集計結果出力画面Ｐ３２で「表示」のボタンＢＴ５６をクリック（オン）することにより、例えば、集計対象区間設定画面Ｐ３１上にポップアップ表示される。
【０３１８】
このレポート表示画面Ｐ３３では、下位に表示されている集計対象区間設定画面Ｐ３１の下方に、レポート選択領域が表示される。レポート選択領域には、例えば、３つの「レポート１〜３」のボタンＢＴ７１〜ＢＴ７３が表示される。この例で、「レポート１〜３」は、既に集計された３つの集計結果ファイルであり、ボタンＢＴ７１〜ＢＴ７３は、これらの集計結果ファイルを読み出す際に使用される。これにより、プレビュー画面で参照したいレポートを選択できるようになる。なお、選択出力項目に関しては、電線路が１回線のみの場合は、２回線定数は出力されない。
【０３１９】
続いて、架空系におけるデータ集計例について説明する。図３７は、電力系統簡易シミュレーションシステム＃１を応用した架空系のデータ集計例を示すフローチャートである。
【０３２０】
まず、図３７に示すフローチャートのステップＥ１でメニュー画面Ｐ１を表示する。メニュー画面Ｐ１は、ＣＰＵ４５からモニタ４９へ表示データＤ４９を出力され、この表示データＤ４９に基づいて「技術計算プログラム」等が表示される。ユーザは、このメニュー画面Ｐ１から、線路定数計算・架空系の「集計」ボタンＢＴ５をクリックするようになされる。
【０３２１】
この「集計」の選択によって、ステップＥ２に移行し、ＣＰＵ４５は「終了」をチェックする。図５に示したメニュー画面Ｐ１で終了ボタンＢＴ１８が押下されず、「集計」ボタンＢＴ５が選択されているので、線路定数計算・架空系の集計処理を継続するべく、ステップＥ３に移行して、ＣＰＵ４５は集計対象区間設定画面Ｐ３１を表示するようにモニタ４９を制御する。モニタ４９は、表示データＤ４９に基づいて図３４に示した集計対象区間設定画面Ｐ３１を表示する。
【０３２２】
このとき、集計対象区間設定画面Ｐ３１において、ユーザは、まず、検索計算結果の絞り込みを実行する。次に、「集計」の欄で、集計区間をチェックするようになされる。例えば、区間１の線路名には「Ａ−ＲＯＵＴＥ」が表示され、その回線番号には「１」が表示され、そのデータ名には「ＣＡＳＥ１」が表示され、そのコメント欄には「線路定数ＣＡＳＥ１」が表示される。データ確認後、ＯＫの場合はチェック用のボタンＢＴ６６を操作してレ点を表示するようになされる。このとき、削除ボタンＢＴ６４をクリックすると、チェックが付いている集計対象の計算結果を削除できるようになる。なお、先に入力した編集データは削除されない。
【０３２３】
また、区間１の線路名「Ｂ−ＲＯＵＴＥ」の回線番号には「２」が表示され、そのデータ名には「ＣＡＳＥ２」が表示され、そのコメント欄には「線路定数ＣＡＳＥ２」が表示される。データ確認後、ＯＫの場合はボタンＢＴ６７を操作してレ点を表示する。更に、区間１の線路名「Ｃ−ＲＯＵＴＥ」の回線番号には「１」が表示され、そのデータ名には「ＣＡＳＥ３」が表示され、そのコメント欄には「線路定数ＣＡＳＥ３」が表示される。
【０３２４】
データ確認後、ＯＫの場合は、ボタンＢＴ６８を操作してレ点を表示する。そして、ユーザは、集計実行ボタンＢＴ６５をクリックする。この集計実行ボタンＢＴ６５のオン操作は、操作データＤ４２となってＣＰＵ４５に出力される。この操作データＤ４２を入力したＣＰＵ４５は、ステップＥ４で線路定数計算・架空系の編集データ集計処理を実行する。ＣＰＵ４５では、操作データＤ４２に基づいてチェックが付いている計算結果を集計するようになる。なお、検索計算結果の絞り込みは、架空系及びケーブル系も同様になされる。
【０３２５】
次に、ステップＥ５に移行して計算結果出力画面Ｐ３２を表示する。このとき、ユーザは、図３５に示した計算結果出力画面Ｐ３２において、出力項目にチェックを入力する。この例では、「集計対象区間計算結果」及び「合計」にチェック入力がなされる。この例では、集計対象区間集計結果から「線路定数表１」や、「線路定数表２」、「線路定数表３」等が選択できるようになされている。また、表示ボタンＢＴ５６をクリックすると、印刷プレビュー形式の計算結果画面をモニタ４９に表示される。このとき、表形式出力ボタンＢＴ５７をクリックすると、例えば、計算結果をＥＸＣＥＬ形式の一覧表で出力するようになされる。なお、平衡２回線の片側に１回線区間が存在する場合に、平衡２回線区間と、１回線区間を同じ集計にしないようになされる。これは、１回線区間の２回線定数は出力されないため、平衡２回線区間、１回線区間毎に加算するためである。
【０３２６】
次に、ステップＥ６に移行して「戻る」のボタンＢＴ５９の選択に基づいて制御を分岐する。ボタンＢＴ５９がクリックされた場合は、メニュー画面Ｐ１に戻る。ボタンＢＴ５９が選択されることなく、「表示」のボタンＢＴ５６又は「印刷」のボタンＢＴ５８がクリックされた場合は、ステップＥ７に移行する。ステップＥ７では、ボタンＢＴ５６又はボタンＢＴ５８の選択に応じて制御を分岐する。ボタンＢＴ５６がクリックされた場合は、ステップＥ８に移行してレポート表示画面Ｐ３３を表示するようになされる。
【０３２７】
このとき、ユーザは、図３６に示したレポート表示画面Ｐ３３において、過去の集計結果ファイルを読み出す際に、例えば、３つの「レポート１〜３」の中から、対応する１つのボタンＢＴ７１、ＢＴ７２又はＢＴ７３を押すように操作される。その後、計算結果出力画面Ｐ３２と同様にして作業を実行する。例えば、ポップアップ表示されている計算結果出力画面Ｐ３２で、選択したレポートの計算結果ファイルの出力項目にチェックを入力する。この例では、「集計対象区間計算結果」及び「合計」にチェック入力がなされている。表示ボタンＢＴ５６をクリックすると、印刷プレビュー形式の計算結果画面をモニタ４９に表示される。このとき、表形式出力ボタンＢＴ５７をクリックすると、計算結果を一覧表形式で出力するようになされる。
【０３２８】
また、ステップＥ７でボタンＢＴ５８がクリックされる場合は、ステップＥ９に移行してプリントアウト処理がなされる。このとき、印刷ボタンＢＴ５８のクリックによって、図４に示したＣＰＵ４５からプリンタ８０へ印刷データＤ８０が出力される。プリンタ８０は印刷データＤ８０に基づいて所定の用紙に集計結果をプリントアウトするようになされる。これにより、ユーザは、プリンタ８０から所定の用紙にプリントアウトされた集計結果を得ることができる。その後、ステップＥ６に戻る。ステップＥ６で「戻る」のボタンＢＴ５９をクリックすると、プレビュー画面を自動的に閉じてメニュー画面Ｐ１に戻るようになされる。
【実施例６】
【０３２９】
続いて、電力系統簡易シミュレーションシステム＃１を応用した短絡容量計算例について説明する。図３８は、第６の実施例としての短絡容量計算時の電力系統９０の構成例を示す構成図である。
【０３３０】
図３８に示す電力系統９０の構成例において、□印付きの数字（以下□１，□２・・・と記す）は、ノード番号である。○印付きの数字（以下○１，○２・・・と記す）は、ブランチ番号である。△印付きの数字（以下△１，△２・・・と記す）は電源番号である。
【０３３１】
この実施例では、ノード番号□１の母線には、変圧器Ｔ１を介して電源番号△１の電源（発電機）が接続されている。ノード番号□１の母線には、ブランチ番号○１及び○２の○○○連絡線や×××連絡線等の送電線路が接続されている。ブランチ番号○１の送電線路には、ノード番号□４の黒丸印の負荷接続点が接続されている。ブランチ番号○２の送電線路には、ノード番号□６の黒丸印の負荷接続点が接続されている。
【０３３２】
また、ノード番号□２の母線には、変圧器Ｔ２を介して電源番号△２の電源が接続されている。ノード番号□２の母線には、ブランチ番号○３及び○４の○○○’連絡線や×××’連絡線等の送電線路が接続されている。ブランチ番号○３の送電線路には、ノード番号□５の黒丸印の負荷接続点が接続されている。ブランチ番号○４の送電線路には、ノード番号□６の黒丸印の負荷接続点が接続されている。
【０３３３】
ノード番号□３の母線には、変圧器Ｔ３を介して電源番号△３の電源が接続されている。ノード番号□３の母線には、ブランチ番号○５及び○６の○○○”連絡線や×××”連絡線等の送電線路が接続されている。ブランチ番号○５の送電線路には、ノード番号□４の負荷接続点が接続されている。ブランチ番号○６の送電線路には、ノード番号□５の黒丸印の負荷接続点が接続されている。この例では、図３８に示した電力系統９０の構成例において短絡容量を計算するようになされる。
【０３３４】
図３９は、データ編集・計算実行画面Ｐ４の表示例を示す図である。図３９に示すデータ編集・計算実行画面Ｐ４は、図５に示した例えば、「短絡容量計算」の項目欄で、「編集」のボタンＢＴ８をクリック（オン）することにより、モニタ４９に表示される。
【０３３５】
この実行画面Ｐ４には、「データ編集・計算実行画面（短絡容量計算）」のタイトルが表示される。タイトル表示領域の下方には、データ検索領域ｗ０が設けられている。データ検索領域ｗ０には、検索データ名、検索母線有無、検索母線数及び検索系統名を表示する領域が設定されている。この表示領域の右側には、「昇順」のボタンＢＴ２１、「降順」のボタンＢＴ２２、「再表示」のボタンＢＴ２３が各々表示される。これらのボタンＢＴ２１〜ＢＴ２３は、選択中データについて各種処理を実行する際に、いずれもマウス４２でクリックされ、容易にデータを検索できるようになされている。
【０３３６】
このデータ検索表示領域の下方には、明細入力領域ｗ１が設定され、この明細入力領域ｗ１には、選択中データを示す表示領域が設定されている。選択中データの表示領域の隣には、５つのボタンＢＴ２４〜ＢＴ２８が配置されている。「複写」のボタンＢＴ２１は、選択中データを複写する場合にクリックされる。「編集」のボタンＢＴ２２は、選択中データを編集する場合にクリックされる。「計算実行」のボタンＢＴ２３は、選択中データで短絡容量を計算させる場合にクリックされる。「削除」のボタンＢＴ２４は、確認後、データを削除する場合にクリックされる。「新規作成」のボタンＢＴ２５は、新規にデータを作成する場合にクリックされる。
【０３３７】
これらのボタン領域の下方には、明細入力領域ｗ１が表示される。明細入力領域ｗ１には、「データ名」や、「母線データ」、「母線データの数」、「系統名」、「母線数」、「線路数」、「電源数」、「基準容量」、「基準電圧」等の記述欄が設けられている。
【０３３８】
データ名には、例えば、データ名を示す「Ｈ１２ｍａｘ」、「Ｈ１２ｍｉｍ」、「Ｈ１２ｚｅｒｏ」・・・等が表示される。母線データには、例えば、母線データの全てを示す「全部」又はその一部を示す「一部」が表示される。母線データの数には、例えば、母線データの数を示す値として「２３５」、「２３５」、「８２」・・・等が表示される。系統名には、例えば、電力系統名を示す「Ｈ１２ネンタンラクヨウリョウ  ｍａｘ」、「Ｈ１２ネンタンラクヨウリョウ  ｍｉｍ」、「Ｈ１２ネンゼロソウタンラクヨウリョウ  ｍｉｍ」・・・・等が表示される。母線数には、例えば、母線数を示す値として、「２３５」、「２３５」、「８２」・・・等が表示される。線路数には、例えば、線路数を示す「２９１」、「２９１」、「９６」・・・等が表示される。
【０３３９】
電源数には、例えば、電源（発電設備）の数を示す値「１２９」、「１２９」、「６０」・・・等が表示される。基準容量には、当該電力系統の基準容量［ＭＶＡ］を示す「１０００」、「１０００」、「１０００」・・・等が表示される。基準電圧には、当該電力系統の基準電圧［ｋＶ］を示す「１１０」や「２２０」等が表示される。基準電圧＝１１０ｋＶを２２０ｋＶに変更する場合は、データ保守用のプログラムを起動して行う。
【０３４０】
次に、マウス４２で選択中データの欄を選択してクリックする。例えば、編集ボタンＢＴ２４又は新規作成ボタンＢＴ２８を選択する。この選択によって、図４０に示す短絡容量データ入力画面Ｐ４１に遷移するようになされる。このデータ編集・計算実行画面Ｐ４で計算実行ボタンＢＴ２６がクリックされると、短絡容量計算が実行される。その後、「計算結果出力画面」に遷移するようになされる。上述したタイトルの右隣り領域には、メニューに「戻る」のボタンＢＴ２９が表示される。
【０３４１】
図４０は、短絡容量データ入力画面Ｐ４１の表示例を示す図である。図４０に示す短絡容量データ入力画面Ｐ４１は、図３９に示したデータ編集・実行画面Ｐ４の短絡容量計算の「編集」のボタンＢＴ２２をクリック（オン）することにより、モニタ４９に表示される。
【０３４２】
このデータ入力画面Ｐ４１には、「短絡容量データ入力画面」のタイトルが表示される。タイトル表示領域の下方には、データ検索領域ｗ０が設けられている。この例で、データ検索領域ｗ０において、「データ名」には、「ＴＥＳＴ−ＤＡＴＥ」が表示される。母線データの有無欄には「一部」が表示される。この欄には下向き矢印ボタンＢＴ７６が設けられ、母線データの有無に関して「全部」又は「一部」を選択できるようになされている。この例では、母線データの数には「５」が入力され、その値が表示される。系統名には「コメント」が表示される。母線数には例えば、「５」、線路数にも「５」、電源数にも「５」が各々入力され表示される。
【０３４３】
基準容量には１０００［ＭＶＡ］が入力され、基準電圧には「２２０」ｋＶが表示される。基準容量に１０００［ＭＶＡ］を入力すると、入出力インピーダンスの％Ｚを使用することができる。このデータ検索領域ｗ０の下方には、「確定」のボタンＢＴ７７が設けられる。この確定ボタンＢＴ７７をクリックすると、短絡容量データは確定され、確定後のデータは保存される。この「確定」のボタンＢＴ７７のクリックと共に、データ検索領域ｗ０の下方には明細入力領域ｗ１が表示される。明細入力領域ｗ１には、「ブランチデータ入力画面」、「電源データ入力画面」、「負荷データ入力画面」の３つの編集項目に加えて「戻る」の各ボタンＢＴ８１〜ＢＴ８４が表示される。なお、右上の「終了」のボタンＢＴ７８は、前画面に戻る時にクリックする。
【０３４４】
図４１は、ブランチデータ入力画面Ｐ４２の表示例を示す図である。図４１に示すブランチデータ入力画面Ｐ４２は、例えば、図４０に示した「確定」のボタンＢＴ７７をクリクリックした後、「ブランチデータ入力画面」のボタンＢＴ８１をクリックすることにより、モニタ４９に表示される。
【０３４５】
このブランチデータ入力画面Ｐ４２には、「短絡容量データ入力画面」のタイトルが表示される。この例で、タイトル表示領域の下方のデータ検索領域ｗ０の内容は、反転表示となされる。データ検索領域ｗ０の下方には、「ブランチデータ入力画面」、「電源データ入力画面」、「負荷データ入力画面」の３つの編集項目に加えて「戻る」の各ボタンＢＴ８１〜ＢＴ８４が表示された明細入力領域ｗ１には、編集項目の他に、「ブランチ番号」の表示欄が設けられ、それに隣接して「始点ノード番号」の表示欄が設けられ、その横に「終点ノード番号」の表示欄が設けられる。その横には抵抗「Ｒ」の表示欄及びリアクタンス「Ｘ」の表示欄が設けられる。
【０３４６】
抵抗Ｒ及びリアクタンスＸは、基準容量１０００ＭＶＡの場合に、１０ＭＶＡベースの％Ｚ値（百分率インピダンス値）を入力するようになされる。リアクタンスＸ欄の右側には、「ＯＦＦ」チェック用のボタン（ＯＦＦボックス）ＢＴ８５や、ＢＴ８６、ＢＴ８７等が設けられ、このＯＦＦボックスをチェックすると、短絡容量計算時に、Ｒ＝９９９９９９．０及びＸ＝９９９９９９．０として計算が実行される。なお、明細入力領域ｗ１でデータ編集中は、データ検索領域ｗ０での基本データは編集できないようになっている。
【０３４７】
図４２は、電源データ入力画面Ｐ４３の表示例を示す図である。図４２に示す電源データ入力画面Ｐ４３は、例えば、図４１に示した「電源データ入力画面」のボタンＢＴ８２をクリック（オン）することにより、モニタ４９に表示される。
【０３４８】
この電源データ入力画面Ｐ４３にも、「短絡容量データ入力画面」のタイトルが表示される。この例でも、タイトル表示領域の下方のデータ検索領域ｗ０の内容は、反転表示となされる。データ検索領域ｗ０の下方の明細入力領域ｗ１には、「ブランチデータ入力画面」、「電源データ入力画面」、「負荷データ入力画面」の３つの編集項目に加えて「戻る」の各ボタンＢＴ８１〜ＢＴ８４が表示される。
【０３４９】
このボタン表示領域の下方には、電源（発電機）の諸元を入力するための、「電源番号」の表示欄、これに隣接して「ノード番号」の表示欄が設けられ、その横には「初期過渡リアクタンスＸ”ｄ」の表示欄が設けられる。その横には、「電源の名称」の表示欄が各々設けられている。初期過渡リアクタンスＸ”ｄは、基準容量１０００ＭＶＡの場合に、１０ＭＶＡベースの％Ｚ値（百分率インピダンス値）を入力するようになされる。
【０３５０】
図４３は、負荷データ入力画面Ｐ４４の表示例を示す図である。図４３に示す負荷データ入力画面Ｐ４４は、例えば、図４２に示した「負荷データ入力画面」のボタンＢＴ８３をクリック（オン）することにより、モニタ４９に表示される。
【０３５１】
この負荷データ入力画面Ｐ４４にも、「短絡容量データ入力画面」のタイトルが表示される。この例でも、タイトル表示領域の下方のデータ検索領域ｗ０の内容は、反転表示となされる。データ検索領域ｗ０の下方の明細入力領域ｗ１には、「ブランチデータ入力画面」、「電源データ入力画面」、「負荷データ入力画面」の３つの編集項目に加えて「戻る」の各ボタンＢＴ８１〜ＢＴ８４が表示される。
【０３５２】
このボタン表示領域の下方には、「母線番号」の表示欄、これに隣接して「電圧（ｋＶ）」の表示欄が設けられ、その横には「負荷インピーダンス」の表示欄が設けられる。その横には、「母線の名称」の表示欄が各々設けられている。負荷インピーダンスは、基準容量１０００ＭＶＡの場合に、１０ＭＶＡベースの％Ｚ値（百分率インピダンス値）を入力するようになされる。
【０３５３】
図４４は、データエラー確認画面Ｐ４５の表示例を示す図である。図４４に示すデータエラー確認画面Ｐ４５は、例えば、図３９に示したデータ編集・計算実行画面Ｐ４で計算実行ボタンＢＴ２６をクリック（オン）することにより、ＣＰＵ４５がデータエラー検出処理を実行した後にモニタ４９に表示される。データエラー確認画面Ｐ４５の右上には「確認」のボタンＢＴ８９が設けられ、データを確認した後にクリックされる。
【０３５４】
データエラー確認画面Ｐ４５には、ブランチデータ入力画面Ｐ４１、電源データ入力画面Ｐ４２及び負荷データ入力画面Ｐ４３で入力した編集データが重複している場合に、「データ番号が重複している」旨のメッセージを表示するようになされる。この画面で訂正を要求するコメントが表示される。このデータエラー確認画面Ｐ４５には、「ブランチデータ入力画面」、「電源データ入力画面」及び「負荷データ入力画面」毎に、エラー内容表示領域が設けられる。
【０３５５】
例えば、ブランチデータ入力画面Ｐ１で線路番号「０」の編集データに、１０個の重複する編集データを生じていた場合に、「線路番号」の項目欄に「０」が表示され、「重複数」の項目欄に「１０」が表示される。同様にして、電源データ入力画面Ｐ４２で電源番号「０」の編集データに、１０個の重複する編集データを生じていた場合に、「電源番号」の項目欄に「０」が表示され、「重複数」の項目欄に「１０」が表示される。更に、負荷データ入力画面Ｐ４３で母線番号「０」の編集データに、１０個の重複する編集データを生じていた場合に、「母線番号」の項目欄に「０」が表示され、「重複数」の項目欄に「１０」が表示される。
【０３５６】
図４５は、計算結果出力画面Ｐ４６の表示例を示す図である。図４５に示す計算結果出力画面Ｐ４６は、例えば、図３９に示したデータ編集・計算実行画面Ｐ４で計算実行ボタンＢＴ２６をクリック（オン）することにより、ＣＰＵ４５が短絡容量計算を実行した後にモニタ４９に表示される。
【０３５７】
この計算結果出力画面Ｐ４６には、「計算結果出力画面」のタイトルが表示される。この例で、タイトル表示領域には、データ名、例えば、「ＴＥＳＴ  ＤＡＴＡ（短絡容量計算）」表示される。タイトル表示領域の右上には、「戻る」のボタンＢＴ５９が設けられている。
【０３５８】
タイトル表示領域の下方にはデータチェック表示領域ｗ３が設けられ、４つのチェックボタンＢＴ５１〜ＢＴ５４が配置されている。チェック項目として、「計算結果」、「ブランチデータ」、「電源データ」及び「負荷データ」が表示される。例えば、マウス４２で出力したい項目にチェック（レ点）を入力するようになされる。チェックが入力された項目が出力対象となされる。
【０３５９】
この例で、「計算結果」のボタンＢＴ５１をチェックすると、図３８に示した電力系統９０に、ノード番号、ブランチ番号及び電源番号を設定して計算した短絡容量の計算結果が出力される。例えば、ボタンＢＴ５１をチェックすると、表２８に示す「短絡容量計算結果」が出力される。
【０３６０】
表２８のデータ名欄には、例えば、「ｋｅｎｓｙｏ」が記述され、母線データの有無欄には、「一部」が記述され、母線データの数欄には、「６」が記述され、系統名欄には、「短絡容量計算プログラム」が記述され、母線数欄には、「６」が記述され、線路数欄には、「６」が記述される。電源数欄には、「３」が記述され、基準容量欄には、「１０００（ＭＶＡ）」が記述され、基準電圧欄には、「２２０（ｋＶ）」が記述される。
【０３６１】
【表２８】
2007195318.tif 000030
また、「ブランチデータ」のボタンＢＴ５２をチェックすると、表２９に示す「短絡容量計算  入力データ  （ブランチデータ）」が出力される。表２９において、抵抗Ｒ１及びリアクタンスＸ１は１０ＭＶＡベースの％Ｚ値で記述される。
【０３６２】
【表２９】
2007195318.tif 000031
更に、「電源データ」のボタンＢＴ５３をチェックすると、表３０に示す「短絡容量計算  入力データ  （電源データ）」が出力される。表３０において、初期過渡リアクタンスＸ”ｄは１０ＭＶＡベースの％Ｚ値で記述される。
【０３６３】
【表３０】
2007195318.tif 000032
また、「負荷データ」のボタンＢＴ５４をチェックすると、表３１に示す「短絡容量計算  入力データ  （負荷データ）」が出力される。表３１において、負荷インピーダンスは１０ＭＶＡベースの％Ｚ値で記述される。
【０３６４】
【表３１】
2007195318.tif 000033
この例で、データチェック表示領域ｗ３の下方には「表示」、「表形式出力」及び「印刷」のボタンＢＴ５６〜ＢＴ５８が配置されている。例えば、「計算結果」のボタンＢＴ５１をチェックして「印刷」のボタンＢＴ５８をクリックすると、表２８に示した「短絡容量計算結果」の一覧表をプリントアウトできるようになる。
【０３６５】
図４６は、レポート表示画面Ｐ４７の表示例を示す図である。図４６に示すレポート表示画面Ｐ４７は、例えば、図４５に示した計算結果出力画面Ｐ４６で「表示」のボタンＢＴ５６をクリック（オン）することにより、例えば、データ編集計算実行画面Ｐ４上にポップアップ表示される。このレポート表示画面Ｐ４７では、下位に表示されているデータ編集計算実行画面Ｐ４の下方に、レポート選択領域が表示される。レポート選択領域には、例えば、３つの「レポート１〜３」のボタンＢＴ７１〜ＢＴ７３が表示される。
【０３６６】
この例で、「レポート１〜３」は、既に編集し計算された３つの計算結果ファイルであり、ボタンＢＴ７１〜ＢＴ７３は、これらの計算結果ファイルを読み出す際に使用される。これにより、アイコン形式のプレビュー画面で参照したいレポートを選択できるようになされる。なお、選択出力項目に関しては、「集計結果」、「ブランチデータ」、「電源データ」又は「負荷データ」である。
【０３６７】
続いて、短絡容量計算時におけるデータ処理例について説明する。図４７〜図４９は、短絡容量計算例（その１〜３）を示すフローチャートである。この例では、データ編集・計算実行画面Ｐ４で計算実行ボタンＢＴ２６がクリックされると、短絡容量計算が実行される。その後、「計算結果出力画面」に遷移するようになされる。
【０３６８】
これらを計算条件にして、まず、図４７に示すフローチャートのステップＦ１でメニュー画面Ｐ１を表示する。メニュー画面Ｐ１は、ＣＰＵ４５からモニタ４９へ表示データＤ４９を出力され、この表示データＤ４９に基づいて「技術計算プログラム」等が表示される。ユーザは、このメニュー画面Ｐ１から、各編集項目を選択するようになされる。ここでは、「短絡容量計算」が選択される。
【０３６９】
この例では、ステップＦ２に移行してＣＰＵ４５は「終了」をチェックする。図５に示したメニュー画面Ｐ１で終了ボタンＢＴ１８が押下されることなく、短絡量計算に係る編集ボタンＢＴ８が押下された場合は、ステップＦ３に移行する。ステッＦ３では、モニタ４９は、表示データＤ４９に基づいてデータ編集・計算実行画面Ｐ４を表示する。
【０３７０】
このとき、ユーザは、図３９に示したデータ編集・計算実行画面Ｐ４において、「検索」データの絞り込みを実行する。例えば、各検索項目を入力し、昇順又は降順ボタンＢＴ２１、ＢＴ２２を決めて再表示ボタンＢＴ２３をマウス４２でクリックする。この例で、検索条件を入力したら、必ず「再表示」のボタンＢＴ２３をクリックするようになされる。
【０３７１】
また、ユーザは、データ編集・計算実行画面Ｐ４において、データ名には、例えば、「Ｈ１２ｍａｘ」、「Ｈ１２ｍｉｍ」、「Ｈ１２ｚｅｒｏ」・・・等を入力する。母線データには、例えば、母線データの全てを示す「全部」を入力する。母線データの数には、例えば、母線データの数を示す「２３５」、「２３５」、「８２」・・・等を入力する。系統名には、例えば、電力系統名を示す「Ｈ１２ネンタンラクヨウリョウ  ｍａｘ」、「Ｈ１２ネンタンラクヨウリョウ  ｍｉｍ」、「Ｈ１２ネンゼロソウタンラクヨウリョウ  ｍｉｍ」・・・・等を入力する。母線数には、例えば、母線数を示す「２３５」、「２３５」、「８２」・・・等を入力する。線路数には、例えば、線路数を示す「２９１」、「２９１」、「９６」・・・等を入力する。
【０３７２】
電源数には、例えば、電源（発電設備）の数を示す値「１２９」、「１２９」、「６０」・・・等を入力する。基準容量には、当該電力系統の基準容量［ＭＶＡ］を示す「１０００」、「１０００」、「１０００」・・・等を入力する。基準電圧には、当該電力系統の基準電圧［ｋＶ］を示す「１１０」や「２２０」等を入力する。なお、削除ボタンＢＴ２７をクリックすると、確認後、編集データを削除できるようになされる。また、複写ボタンＢＴ２４をクリックすると、新しいデータ名を入力した後に、複写が実行される。
【０３７３】
この例で、計算実行ボタンＢＴ２６のクリックに対応して、ＣＰＵ４５は、ステップＦ４に移行して計算実行か否かを判別する。ＣＰＵ４５は、計算実行ボタンＢＴ２６がオンされた場合は、計算実行と判断し、計算実行ボタンＢＴ２６がオンされない場合は、ステップＦ５に移行してメニューに戻るボタンＢＴ２９又は編集ボタンＢＴ２５の操作に基づいて制御を分岐する。ボタンＢＴ２９がクリックされた場合は、メニュー画面Ｐ１に戻る。
【０３７４】
編集ボタンＢＴ２５がオンされた場合は、ステップＦ６に移行する。ステップＦ６では、モニタ４９が表示データＤ４９に基づいて短絡容量計算データ入力画面Ｐ４１を表示する。この短絡容量計算データ入力画面Ｐ４１では、基本データを入力してデータ確定する。このとき、図４０に示した短絡容量データ入力画面Ｐ４１において、まず、データ名欄に、例えば、「ＴＥＳＴ  ＤＡＴＡ」等のデータ名を入力する。データ名はこの名前で保存される。その他の各検索項目についても入力又は選択を実行する。母線データの有無欄では、例えば、「一部」が入力される。この欄には下向き矢印ボタンＢＴ７６が設けられ、母線データの有無に関して「全部」又は「一部」を選択するようになされる。
【０３７５】
この例では、母線データの数には「５」が入力され、その値が表示される。系統名には「コメント」が表示される。母線数には例えば、「５」、線路数には「５」、電源数には「５」を各々入力するようになされる。基準容量には１０００［ＭＶＡ］が入力され、基準電圧には「２２０」ｋＶが表示される。基準容量に１０００［ＭＶＡ］を入力すると、入出力インピーダンスの％Ｚを使用することができる。
【０３７６】
その後、ステップＦ７に移行して、「終了」のボタンＢＴ７８又は「確定」のボタンＢＴ７８の操作に基づいて制御を分岐する。ボタンＢＴ７８がクリックされた場合は、ステップＦ３のデータ編集・計算実行画面Ｐ４に戻るようになされる。この例では、全てのデータ入力が終了した場合、「確定」のボタンＢＴ７７をクリックする。このボタンＢＴ７７をクリックによって、ステップＦ８で検索項目表示欄の下部の明細入力領域ｗ１に、「ブランチデータ入力画面」、「電源データ入力画面」、「負荷データ入力画面」及び「戻る」のボタンＢＴ８１〜ＢＴ８４が表示される。
【０３７７】
次に、図４８に示すステップＦ９に移行して短絡容量データ入力画面Ｐ４１で３つの編集項目の中から、ブランチデータ入力画面Ｐ４２のボタンＢＴ８１が選択されたか否かに基づいて制御を分岐する。このとき、３つの編集項目の中から、ブランチデータ入力画面Ｐ４２のボタンＢＴ８１が選択された場合は、ステップＦ１０に移行してブランチデータ入力画面Ｐ４２が表示される。
【０３７８】
例えば、ユーザは、キーボード４１を使用して、ブランチデータ入力画面Ｐ４２において、ブランチ番号の表示欄には、ブランチ番号を示す値、例えば、「１」、「２」・・・等を入力する。始点ノード番号の表示欄には、始点ノード番号を示す値、例えば、「２」、「２」、「４」・・・等を入力する。終点ノード番号の表示欄には、終点ノード番号を示す値、例えば、「２６」、「１５２」、「６」・・・等を入力する。抵抗Ｒの表示欄には、％Ｚ値を示す抵抗値、例えば、「０．００２５」、「０．００１９」、「０．００３０」・・・を入力する。リアクタンスＸの欄には、％Ｚ値を示すリアクタンス値、例えば、「０．０５５５」、「０．０３６０」、「０．０５１０」・・・を入力する。
【０３７９】
これらのブランチデータの入力が終了したら、他の電源データ入力画面や負荷データ入力画面等に移行するか、「戻る」のボタンＢＴ８４を押すようになされる。ユーザは、編集データの入力を終了したら、データ編集・計算実行画面Ｐ４に戻るようにマウス４２を操作する。編集データは自動的にＨＤＤ５０に保存される。なお、リアクタンスＸ欄の右側に設けられたＯＦＦボックスＢＴ８５や、ＢＴ８６、ＢＴ８７等をチェックすると、短絡容量計算時に、抵抗はＲ＝９９９９９９．０として、リアクタンスはＸ＝９９９９９９．０として入力される。その後、ステップＦ１４に移行する。
【０３８０】
また、ステップＦ９で３つの編集項目の中から、ボタンＢＴ８１以外の編集項目が選択された場合は、ステップＦ１１に移行してボタンＢＴ８２又はボタンＢＴ８３が選択されたか否かにより制御を分岐する。ボタンＢＴ８２が選択された場合は、ステップＦ１２に移行して電源データ入力画面Ｐ４３が表示される。このとき、ユーザは、キーボード４１を使用して、図４２に示した電源データ入力画面Ｐ４３において、短絡容量計算に必要な電源データを入力する。
【０３８１】
例えば、図示しない電力系統における電源番号「１」、「２」、「３」・・・・等を入力する。ノード番号には、「１」、「８」、「９」・・・・「１１」等を入力する。初期過渡リアクタンスＸ”ｄには、例えば、「０．１０００」、「０．３８１０」、「０．３８１０」・・・等を入力する。電源の名称には、発電設備地の名称「○○○」、「×××」、「△△△」・・・・等を入力するようになされる。これらの電源データの入力が終了したら、「負荷データ入力画面」に移行するか、「戻る」のボタンＢＴ８４を押すようになされる。ユーザは、編集データの入力を終了したら、データ編集・計算実行画面Ｐ４に戻るようにマウス４２を操作する。編集データは自動的にＨＤＤ５０に保存される。その後、ステップＦ１４に移行する。
【０３８２】
また、ステップＦ１１でボタンＢＴ８１、ＢＴ８２以外のボタンＢＴ８３が選択された場合は、ステップＦ１３に移行して負荷データ入力画面Ｐ４４が表示される。このとき、ユーザは、キーボード４１を使用して、図４３に示した負荷データ入力画面Ｐ４４において、短絡容量計算に必要な負荷データを入力する。例えば、図示しない電力系統における母線番号「１」、「２」、「３」・・・・等を入力する。電圧（ｋＶ）には、「５００．０」、「５００．０」、「５００．０」・・・・等を入力する。
【０３８３】
負荷インピーダンスには、例えば、「０．００００」、「０．００００」、「０．００００」・・・等を入力する。母線の名称には、送配電線を設置している地の名称「ＡＡＡＡＡ」、「ＢＢＢＢＢ」、「ＣＣＣＣＣ」・・・・等を入力するようになされる。これらの負荷データの入力が終了したら、「戻る」のボタンＢＴ８４を押すようになされる。ユーザは、編集データの入力を終了したら、データ編集・計算実行画面Ｐ４に戻るようにマウス４２を操作する。編集データは自動的にＨＤＤ５０に保存される。この例では、データ入力が終了すると、上述のステップＦ１０、Ｆ１２、Ｆ１３で入力したデータについて、強制的に、重複入力をチェックするようになされる。例えば、ステップＦ１４でＣＰＵ４５はエラー有無を検出する。
【０３８４】
このエラー有無検出に基づいて、モニタ４９は、図４４に示したデータエラー確認画面Ｐ４２を表示する。データエラー確認画面Ｐ４２において、ブランチデータ入力画面Ｐ４２で線路番号「０」の編集データに、１０個の重複する編集データを生じていた場合に、「線路番号」の項目欄に「０」が表示され、「重複数」の項目欄に「１０」が表示される。同様にして、電源データ入力画面Ｐ４２で電源番号「０」の編集データに、１０個の重複する編集データを生じていた場合に、「電源番号」の項目欄に「０」が表示され、「重複数」の項目欄に「１０」が表示される。更に、負荷データ入力画面Ｐ４３で母線番号「０」の編集データに、１０個の重複する編集データを生じていた場合に、「母線番号」の項目欄に「０」が表示され、「重複数」の項目欄に「１０」が表示される。
【０３８５】
ユーザは、このようなデータエラー確認画面Ｐ４５が表示された場合、「データ番号が重複している」旨のメッセージに従って訂正処理に移行するようになされる。例えば、ユーザは、入力データを再度チェックするようになされる。チェックが終了したら、ユーザは「確認」のボタンＢＴ８９をクリックするようになされる。ボタンＢＴ８９をクリックによって、編集データは自動的にＨＤＤ５０に保存するようになされる。
【０３８６】
この例では、「確認」のボタンＢＴ８９をクリックすることによって、ステップＦ３に移行し、データエラー確認画面Ｐ４２からデータ編集・計算実行画面Ｐ４への表示に戻すようになる。データ編集・計算実行画面Ｐ４では計算実行ボタンＢＴ２６がクリックされると、ステップＦ４で制御を分岐して、図４８に示すステップＦ１６に移行する。ステップＦ１６では、短絡容量の計算処理を実行する。このときの短絡容量については、例えば、基準電圧×短絡電流を演算することとで算出される。
【０３８７】
その後、ステップＦ１７に移行して集計結果出力画面Ｐ４６を表示する。集計結果出力画面Ｐ４６は、短絡計算実行後に表示される。このとき、ユーザは、図４５に示した計算結果出力画面Ｐ４６において、出力項目にチェックを入力する。この例では、「集計結果」、「ブランチデータ」、「電源データ」、「負荷データ」の全てにチェックが入力される。
【０３８８】
そして、ステップＦ１８で、表示ボタンＢＴ５６又は戻るボタンＢＴ５９の選択に応じて制御を分岐する。戻るボタンＢＴ５９がクリックされた場合は、ステップＦ１のメニュー画面Ｐ１に戻るようになされる。また、表示ボタンＢＴ５６がクリックされると、ステップ１９に移行して、印刷プレビュー形式の計算結果画面Ｐ４６をモニタ４９に表示される。また、計算結果画面Ｐ４６で表形式出力ボタンＢＴ５７をクリックすると、例えば、計算結果をＥＸＣＥＬ（登録商標）形式の一覧表で出力するようになされる。
【０３８９】
ステップ１９では「表形式出力」のボタンＢＴ５７又は「印刷」のボタンＢＴ５８の選択に基づいて制御を分岐する。ボタンＢＴ５７がクリックされた場合は、ステップＦ２０に移行する。ステップＦ２０では、レポート表示画面Ｐ４７を表示するようになされる。このとき、ユーザは、図４６に示したレポート表示画面Ｐ４７において、例えば、過去の集計結果ファイルを読み出す際に、３つの「レポート１〜３」の中から、対応する１つのボタンＢＴ７１、ＢＴ７２又はＢＴ７３を押すように操作される。その後、計算結果出力画面Ｐ４６と同様にして作業を実行する。
【０３９０】
例えば、ユーザは、計算結果出力画面Ｐ４６で、選択したレポートの計算結果ファイルの出力項目にチェックを入力する。この例では、「集計結果」、「ブランチデータ」、「電源データ」又は「負荷データ」にチェック入力がなされる。表示ボタンＢＴ５６をクリックすると、印刷プレビュー形式の計算結果画面をモニタ４９に表示される。このとき、表形式出力ボタンＢＴ５７をクリックすると、計算結果を一覧表形式で出力するようになされる。
【０３９１】
また、ステップＦ１９でボタンＢＴ５８がクリックされた場合は、ステップＦ２１に移行してプリントアウト処理がなされる。このとき、印刷ボタンＢＴ５８のクリックによって、図４に示したＣＰＵ４５からプリンタ８０へ印刷データＤ８０が出力される。プリンタ８０は印刷データＤ８０に基づいて所定の用紙に集計結果をプリントアウトするようになされる。これにより、ユーザは、プリンタ８０から所定の用紙にプリントアウトされた集計結果を得ることができる。その後、ステップＦ１８に戻る。ステップＦ１８で戻るボタンＢＴ５９をクリックすると、プレビュー画面を自動的に閉じてメニュー画面Ｐ１に戻るようになされる。
【０３９２】
このように、第６の実施例としての電力系統簡易シミュレーションシステム＃１を応用した短絡容量計算例によれば、ハードディスク５０に登録された複数の電力設備情報Ｄ０を情報利用者の間で共用して、電力設備更新時の仕様検討や電力系統の事故解析等の色々なシミュレーションを含む情報処理を実行できるようになる。
【０３９３】
［短絡容量計算の具体例］
図５０は、電力系統図再生画面Ｐ４８の表示例を示す図である。図５０に示す電力系統図再生画面Ｐ４８は、例えば、電力系統図データに基づいて中国地方における電力系統の一部をモニタ４９に拡大表示したものである。短絡容量は、電力系統簡易シミュレーションシステム＃１を応用し、当該電力系統を構成する全ての電源を考慮して計算される。
【０３９４】
この具体例では、図３９に示したデータ編集・計算実行画面Ｐ４でデータ名欄には、例えば、「Ｈ１９ＭＡＸ」が入力され、母線データの有無欄には、「全部」が入力され、母線データの数欄には、「２５３」が入力され、系統名欄には、「Ｈ１９ネンタンラクヨウリョウＭＡＸ」が入力され、母線数欄には、「２５３」が入力され、線路数欄には、「３１７」が入力される。電源数欄には、「１４５」が入力され、基準容量欄には、「１０００（ＭＶＡ）」が入力され、基準電圧欄には、「２２０（ｋＶ）」が入力される。
【０３９５】
図５０に示した電力系統図再生画面Ｐ４８において、四角印の番号は母線番号を示している。例えば、電圧階級２２０ｋＶの新広島幹線は、母線番号「５」に設定される。母線番号「５」の新広島幹線は、母線番号Ｂ７、Ｂ６４、Ｂ６３、Ｂ３０及びＢ２２２で示される送電系統に分岐される。母線番号Ｂ７の下方には、１０ＭＶＡベースの初期過渡リアクタンスＸ”ｄが表示される。この例では、母線番号Ｂ７のＸ”ｄは「０．０８３５」である。母線番号Ｂ６４の下方には、１０ＭＶＡベースの％Ｚ値が表示される。この例では、母線番号Ｂ６４の％Ｚ値は「０．００５＋ｊ０．０８２０」である。母線番号Ｂ６３の下方には、同様に％Ｚ値として、「０．００８５＋ｊ０．１２７５」が表示される。更に、母線番号Ｂ３０の下方には、％Ｚ値として「０．００７＋ｊ０．０６８５」が表示される。母線番号Ｂ２２２は、電圧階級２２０ｋＶの井原幹線となされている。
【０３９６】
また、電圧階級２２０ｋＶの黒瀬幹線は、例えば、母線番号「５７」に設定される。母線番号「５７」の黒瀬幹線は、母線番号Ｂ６５、Ｂ６４及びＢ２７０で示される送電系統に分岐される。母線番号Ｂ６５の下方には、１０ＭＶＡベースの初期過渡リアクタンスＸ”ｄが表示される。この例では、母線番号Ｂ６５のＸ”ｄは「０．２０２９」である。母線番号Ｂ６４の下方には、１０ＭＶＡベースの％Ｚ値が表示される。この例では、母線番号Ｂ６４の％Ｚ値は「０．００５＋ｊ０．０８２０」である。母線番号Ｂ２７０の下方には、同様に％Ｚ値として、「０．０１２４＋ｊ０．１８１１」が表示される。
【０３９７】
図５１は、短絡容量計算結果画面Ｐ４９の表示例を示す図である。図５１に示す短絡容量計算結果画面Ｐ４９の表示例によれば、短絡容量計算結果が電力系統図に重ねて表示される。短絡容量計算結果画面Ｐ４９では、例えば、平成１９年度の電力系統の負荷最小時の各母線番号毎に計算した短絡容量の計算結果値が表示される。情報利用者は、任意の検証箇所として、例えば、黒瀬幹線（Ｂ６４番）や新広島幹線（Ｂ６４番）等における負荷最小時の短絡容量の計算結果をモニタ４９から読み取れる（確認できる）ようになる。
【０３９８】
この例では、黒瀬幹線（Ｂ６４番）における短絡容量は、５６３４（ＭＶＡ）であり、新広島幹線（Ｂ６４番）における短絡容量は、１３３９（ＭＶＡ）である。いずれも、電力系統簡易シミュレーションシステム＃１を応用した短絡容量計算で求められ、この計算結果値を電力系統図に重ねて表示されたものである。
【０３９９】
図５２は、短絡容量計算結果画面Ｐ４９’の表示例を示す図である。図５２に示す短絡容量計算結果画面Ｐ４９’の表示例によれば、平成１９年度の電力系統の負荷最大時の各母線番号毎に計算した短絡容量の計算結果値が表示される。情報利用者は、任意の検証箇所として、例えば、黒瀬幹線（Ｂ６４番）や新広島幹線（Ｂ６４番）等における負荷最大時の短絡容量の計算結果をモニタ４９から読み取れる（確認できる）ようになる。
【０４００】
この例では、黒瀬幹線（Ｂ６４番）における短絡容量は、６２３８（ＭＶＡ）であり、新広島幹線（Ｂ６４番）における短絡容量は、１５１０（ＭＶＡ）である。いずれも、電力系統簡易シミュレーションシステム＃１を応用した短絡容量計算で求められ、この計算結果値を電力系統図に重ねて表示されたものである。
【０４０１】
もちろん、短絡容量計算結果値は、電力系統図に重ねて表示する方法に限られることはなく、表２８に示したように表形式でモニタ４９に表示するようにしてもよい。
【０４０２】
図５３は、表形式による短絡容量計算結果画面Ｐ４１０の表示例を示す図である。図５３に示す短絡容量計算結果画面Ｐ４１０には、「Ｎｏ」、「母線番号」、「名称」、「基準電圧」、「正相インピーダンス（％）」、「短絡容量」、「短絡電流」及び「比率（ＲＡＴＩＯ）」の項目欄が設けられている。例えば、Ｎｏ及び母線番号欄＝「５」に対応して名称欄には新広島２２０ｋＶが表示され、基準電圧欄には、２２０（ｋＶ）が表示され、正相インピーダンス欄には、「０．２  ６．９（％）」が表示され、短絡容量欄には、１４４８４（ＭＶＡ）が表示され、短絡電流欄には３８．０（ｋＡ）が表示され、比率欄には、１００．０（％）が表示される。
【０４０３】
また、母線番号「５」のブランチ番号Ｂ７に対応して、正相インピーダンス欄には、「０．２  １４．１（％）」が表示され、短絡容量欄には、７０９６（ＭＶＡ）が表示され、短絡電流欄には１８．６（ｋＡ）が表示され、比率欄には、４９．０（％）が表示される。そのブランチ番号Ｂ６４に対応して、正相インピーダンス欄には、「１．８  ７５．７（％）」が表示され、短絡容量欄には、１３２０（ＭＶＡ）が表示され、短絡電流欄には３．５（ｋＡ）が表示され、比率欄には、９．１（％）が表示される。
【０４０４】
ブランチ番号Ｂ６３に対応して、正相インピーダンス欄には、「０．８  ５１．２（％）」が表示され、短絡容量欄には、１９５１（ＭＶＡ）が表示され、短絡電流欄には５．１（ｋＡ）が表示され、比率欄には、１３．５（％）が表示される。ブランチ番号Ｂ３０に対応して、正相インピーダンス欄には、「１．７  ２４．２（％）」が表示され、短絡容量欄には、４１２１（ＭＶＡ）が表示され、短絡電流欄には１０．８（ｋＡ）が表示され、比率欄には、２８．５（％）が表示される。
【０４０５】
例えば、黒瀬幹線（Ｂ６４）で地絡事故が発生した場合に、新広島幹線のブランチ番号Ｂ６４で短絡容量＝１３２０（ＭＶＡ）及び短絡電流＝３．５（ｋＡ）を読取ることができる。このとき、マウス４２によるカーソル操作やスクロール機能を利用して、電圧階級２２０ｋＶの新広島幹線にカーソル８５を位置合わせして、短絡容量＝１３２０（ＭＶＡ）や短絡電流＝３５ｋＡ等を容易に検索できるようになる。
【０４０６】
図５４は、表形式による短絡容量計算結果画面Ｐ４１１の表示例を示す図である。図５４に示す短絡容量計算結果画面Ｐ４１１は、例えば、短絡容量計算結果画面Ｐ４１０からマウス４２によるスクロール機能を利用して、母線番号「５」から母線番号「５７」へ表示を遷移させてモニタ４９に表示したものである。この短絡容量計算結果画面Ｐ４１１において、Ｎｏ及び母線番号欄＝「５７」に対応して名称欄には、例えば、黒瀬２２０ｋＶが表示され、基準電圧欄には、２２０（ｋＶ）が表示され、正相インピーダンス欄には、「０．７  １６．５（％）」が表示され、短絡容量欄には、６０５４（ＭＶＡ）が表示され、短絡電流欄には１５．９（ｋＡ）が表示され、比率欄には、１００．０（％）が表示される。
【０４０７】
また、母線番号「５７」のブランチ番号Ｂ６５に対応して、正相インピーダンス欄には、「２．４  ８２．９（％）」が表示され、短絡容量欄には、１２０６（ＭＶＡ）が表示され、短絡電流欄には３．２（ｋＡ）が表示され、比率欄には、１９．９（％）が表示される。そのブランチ番号Ｂ６４に対応して、正相インピーダンス欄には、「１．２  ２４．４（％）」が表示され、短絡容量欄には、４０９４（ＭＶＡ）が表示され、短絡電流欄には１０．７（ｋＡ）が表示され、比率欄には、５７．６（％）が表示される。
【０４０８】
ブランチ番号Ｂ２７０に対応して、正相インピーダンス欄には、「１．２  １３２．５（％）」が表示され、短絡容量欄には、７５５（ＭＶＡ）が表示され、短絡電流欄には２．０（ｋＡ）が表示され、比率欄には、１２．５（％）が表示される。例えば、黒瀬幹線（Ｂ６４）での地絡事故を想定した場合に、マウス４２によるカーソル操作で、電圧階級２２０ｋＶの黒瀬幹線にカーソル８５を位置合わせして、短絡容量＝４０９４（ＭＶＡ）及び短絡電流＝１０．７（ｋＡ）を読取ることができるようになる。
【実施例７】
【０４０９】
続いて、電力系統簡易シミュレーションシステム＃１を応用した零相循環電流計算例について説明する。図５５は、第７の実施例としての零相循環電流計算時の架空系の４端子５区間系統９３の構成例を示す図である。
【０４１０】
この実施例で、電力系統簡易シミュレーションシステム＃１は、２端子１区間系統、３端子３区間系統及び４端子５区間系統の架空系の送電線路の零相循環電流計算を取り扱えるようになされている。
【０４１１】
図５５に示す４端子５区間系統９３は、当該シミュレーションシステム＃１（技術計算プログラム）で取り扱える最大の架空系送電線路である。この４端子５区間系統９３においては、１区間における制限として、最大ルート数が３ルート（６回線併架の場合）、起誘導系は２回線×２ルートであり、被起誘導系は２回線×１ルートである。異線種及び異配置は共に「３」である。ここに１区間とは、送電線路で隣合う２つの端子間、端子と分岐点との間、又は、分岐点間をいう。２端子１区間系統では送電線路で隣合う２つの端子間に定義され、３端子３区間系統及び４端子５区間系統では分岐点を基準にして１区間が定義される。
【０４１２】
例えば、４端子５区間系統９３は、４つの端子７１〜７４と、５つの区間１〜５と被誘導回線７８とを有して構成される。この例で、４端子５区間系統９３の区間１には、被誘導回線７８に対して２回線×１ルートの起誘導系７５が存在し、区間２には、２回線×１ルートの起誘導系７６が存在し、区間１３には、２回線×１ルートの起誘導系７５が存在し、区間１４には、２回線×１ルートの起誘導系７７が存在し、区間１５には、２回線×１ルートの起誘導系７５が存在している。
【０４１３】
また、鉄塔における電線の配置（装柱）に関しては、架空送電線が６回線併架（最大ルート数＝「３」）であり、電線数は８導体であり、架空地線は３条である。なお、地中送電線は被誘導系が２回線のみであり、使用ケーブルは単心ケーブル又は３心ケーブルである。
【０４１４】
このように、図５５に示した４端子５区間系統９３によれば、各区間毎の起誘導回線７５〜７７は、２回線２ルートである。上述の区間１〜５に関して各区間毎に電線が異って配置された場合は、５×３＝１５個のデータを設定するようになされる。この例では、波線に示すように１区間に付き３個のサブ区間が設定され、サブ区間のデータを入力するようになされる。従って、図５５に示した４端子５区間系統９３で１区間の起誘導系回路としては、２ルートまで設定できる。
【０４１５】
図５６Ａ〜Ｃは、各端子各区間の送電系統における被誘導回線の負荷電流Ｉの流出例を示す回路図である。この回路図は、電力系統簡易シミュレーションシステム＃１において、２端子１区間系統９１、３端子３区間系統９２又は４端子５区間系統９３の送電線路に端子番号及び区間番号を設定する例を示す図である。
【０４１６】
図５６Ａは、第１の被誘導回線である端子１区間系統９１の構成例を示す図である。図５６Ａに示す２端子１区間系統９１は、区間数が「１」であり、分岐数が「０」の場合である。この場合、１区間を（１）に設定され、送電側の端子は○付き数字１に設定され、受電側の端子は○付き数字２に設定され、被誘導回線の負荷Ｌｄに流れる負荷電流は、Ｉ○付き数字２に設定される。
【０４１７】
図５６Ｂは、第２の被誘導回線である３端子３区間系統９２の構成例を示す図である。図５６Ｂに示す３端子３区間系統９２は、区間数が「３」であり、分岐数が「１」の場合である。この場合、１区間を（１）に設定し、２区間を（２）に設定し、３区間を（３）に各々設定される。送電側の端子は○付き数字１に設定され、一方の受電側の端子は○付き数字２に設定され、その被誘導回線の負荷Ｌｄに流れる負荷電流Ｉは、Ｉ○付き数字２に設定される。また、他方の受電側の端子は○付き数字３に設定され、その被誘導回線の負荷Ｌｄに流れる負荷電流Ｉは、Ｉ○付き数字３に各々設定される。
【０４１８】
図５６Ｃは、第３の被誘導回線である４端子系統回路９３の構成例を示す図である。図５６Ｃに示す４端子系統回路９３は、区間数が「５」であり、分岐数が「２」の場合である。この場合、１区間を区番号（１）に設定し、２区間を同様にして（２）に設定し、３区間を（３）に設定し、４区間を（４）に設定し、５区間を（５）に各々設定される。送電側の端子は端子番号○付き数字１に設定され、第１の受電側の端子は同様にして○付き数字２に設定され、被誘導回線の負荷Ｌｄに流れる負荷電流Ｉは、Ｉ○付き数字２に設定される。また、第２の受電側の端子は○付き数字３に設定され、被誘導回線の負荷Ｌｄに流れる負荷電流Ｉは、Ｉ○付き数字３に設定され、第３の受電側の端子は○付き数字４に設定され、被誘導回線の負荷Ｌｄに流れる負荷電流Ｉは、Ｉ○付き数字４に各々設定される。
【０４１９】
このように、電力系統簡易シミュレーションシステム＃１においては、２端子１区間系統９１、３端子３区間系統９２及び４端子５区間系統９３の送電線路に端子番号及び区間番号を設定して零相循環電流を計算するようになされる。
【０４２０】
図５７は、データ編集・計算実行画面Ｐ５の表示例を示す図である。図５７に示すデータ編集・計算実行画面Ｐ５は、図５に示したメニュー画面Ｐ１で、例えば、「零相循環電流計算」の項目欄で、「編集」ボタンＢＴ９をクリック（オン）することにより、モニタ４９に表示される。
【０４２１】
この実行画面Ｐ５には、「データ編集・計算実行画面（零相循環電流計算）」のタイトルが表示される。タイトル表示領域の下方には、データ検索領域ｗ０が設けられている。データ検索領域ｗ０には、検索データ名、検索区間及び検索コメントを表示する領域が設定されている。この表示領域の右側には、「昇順」のボタンＢＴ２１、「降順」のボタンＢＴ２２、「再表示」のボタンＢＴ２３が各々表示される。これらのボタンＢＴ２１〜ＢＴ２３は、選択中データについて各種処理を実行する際に、いずれもマウス４２でクリックされ、容易にデータを検索できるようになされている。
【０４２２】
このデータ検索表示領域の下方には、明細入力領域ｗ１が設定され、この明細入力領域ｗ１には、選択中データを示す表示領域が設定されている。選択中データの表示領域の隣には、５つのボタンＢＴ２４〜ＢＴ２８が配置されている。「複写」のボタンＢＴ２１は、選択中データを複写する場合にクリックされる。「編集」のボタンＢＴ２５は、選択中データを編集する場合にクリックされる。「計算実行」のボタンＢＴ２６は、選択中データで零相循環電流を計算させる場合にクリックされる。「削除」のボタンＢＴ２７は、確認後、データを削除する場合にクリックされる。「新規作成」のボタンＢＴ２８は、新規にデータを作成する場合にクリックされる。
【０４２３】
これらのボタン領域の下方には、明細入力領域ｗ１が表示される。明細入力領域ｗ１には、データ名、コメント及び端子数の編集項目が表示される。この例で、データ名の記述欄には、「ＡＡＡＡ」が入力される。そのコメントの記述欄には、「ＡＡＡＡ」が入力される。その端子数には「２」が入力される。また、データ名「ＣＡＳＥ１」のコメントの記述欄には、「ＣＡＳＥ１」が入力される。その端子数には「４」が入力される。
【０４２４】
図５８は、零相循環電流データ入力画面Ｐ５１の表示例を示す図である。図５８に示す零相循環電流データ入力画面Ｐ５１は、図５７に示した「新規作成」のボタンＢＴ２８をクリック（オン）することにより、モニタ４９に表示される。このデータ入力画面Ｐ５１には、「零相循環電流計算データ入力画面」のタイトルが表示される。
【０４２５】
タイトル表示領域の下方には、データ検索領域ｗ０が設けられている。この例で、データ検索領域ｗ０において、「データ名」には、「ＣＡＳＥ１」が表示される。端子数には「２」が表示される。この欄には下向き矢印ボタンＢＴ９３が設けられ、端子数に関して算用数字を選択できるようになされている。その他に「コメント」欄が表示される。データ検索領域ｗ０には、サブ区間の編集項目が表示される。この編集項目には、「架空系」の編集を選択するためのボタンＢＴ９１及びケーブル系の編集を選択するためのボタンＢＴ９２が配置されている。
【０４２６】
この例では、データ名、端子数及びコメントの欄の下方に、「端子負荷電流」のサブ項目の入力欄及び端子入力欄が配置されている。この端子負荷電流の入力欄には、送電線路の「赤相」に関して、被誘導回路の負荷電流｜Ｉ｜（Ａ）及びその位相角θ（deg）、「白相」に関しても、被誘導回路の負荷電流｜Ｉ｜（Ａ）及びその位相角θ（deg）、「青相」に関しても、被誘導回路の負荷電流｜Ｉ｜（Ａ）及びその位相角θ（deg）を入力するようになされる。この例で、端子入力欄には「２」が入力され、赤、白、青の各相の被誘導回路の負荷電流｜Ｉ｜（Ａ）及びその位相角θ（deg）には、各々「０．０００」が入力されている。位相角θは、反時計回りを正に採り、０．０°〜３６０°の範囲で入力される。
【０４２７】
また、上述のサブ区間の編集項目で、ボタンＢＴ９１がクリックされると、明細入力領域ｗ２には、例えば、サブ区間１〜３が表示される。この例では、１区間中の線路形態が異線種や、異配置等により計算条件が異なる場合があり、そのような場合には、１零相循環電流に対応する区間をサブ区間として指定するようになされる。更に、サブ区間１の表示欄で「架空系」を選択するための下向き矢印ボタンＢＴ９４が表示される。これに隣接して、例えば、データ名「ＤＩＶＩ−１」を選択するための下向き矢印ボタンＢＴ９５が表示される。
【０４２８】
他のサブ区間２、３の表示欄においても、同様な表示及び選択ができるようになされている。もちろん、架空系の他に、ケーブル系のボタンＢＴ９２をクリック（選択）した場合には、既に登録してあるケーブル系のデータ名を選ぶようになされる。なお、データ検索領域ｗ０の右上には、「保存」のボタンＢＴ９６及び「終了」のボタン９７が配置されている。ボタンＢＴ９６をクリックすると、編集データが保存される。ボタンＢＴ９７がクリックされると、メニュー画面Ｐ１に戻るようになる。
【０４２９】
図５９は、サブ区間（架空系）データ編集画面Ｐ５２の表示例を示す図である。図５９に示すサブ区間（架空系）データ編集画面Ｐ５２は、例えば、図５８に示した「架空系」のボタンＢＴ９１をクリック（オン）することにより、モニタ４９に表示される。このサブ区間（架空系）データ編集画面Ｐ５２には、「データ編集画面（サブ区間）零相循環電流計算・架空系」のタイトルが表示される。サブ区間データは、零相循環電流のデータ入力とほぼ同様に入力するようにされる。
【０４３０】
この例でも、タイトル表示領域の下方のデータ検索領域ｗ０には、図５７に示した検索項目が表示される。データ検索領域ｗ０の下方には明細入力領域ｗ１が表示される。明細入力領域ｗ１には、選択中データを示す表示領域が設定されている。選択中データの表示領域の隣には、４つのボタンＢＴ１０１〜ＢＴ１０４が配置されている。「新規作成」のボタンＢＴ１０１は、新規にデータを作成する場合にクリックされる。「編集」のボタンＢＴ１０２は、選択中データを編集する場合にクリックされる。「削除」のボタンＢＴ１０３は、確認後、データを削除する場合にクリックされる。「複写」のボタンＢＴ１０４は、選択中データを複写する場合にクリックされる。
【０４３１】
この明細入力領域ｗ１には、更に、「データ名」欄、「コメント」欄、「検索区間」、ルート当たり、「ルート数」欄が設けられ、その横に「左側回線」、「右側回線」、「架空地線」、「区間の併架距離（ｋｍ）」などの項目欄が設けられている。ここに、併架距離とは、サブ区間の長さをいい、ユーザはこれを指定するようになされる。
【０４３２】
この例では、データ名欄には、「ＤＩＶ１−１」、「ＤＩＶ１−２−２」、「ＤＩＶ２」・・・が入力され、コメント欄には、「区間１−１」、「区間１−２」、「区間２」・・・が入力される。また、ルート数欄には、「２」、「１」、「１」・・・が入力され、左側回線欄には「２」、「１」、「１」・・・が入力され、右側回線欄には「１」、「１」、「１」・・・が入力される。
【０４３３】
架空地線欄には、「０」、「０」、「０」・・・が入力される。区間の併架距離（ｋｍ）には、「２０．０００」、「５．０００」、「１．０００」・・・・が入力される。他のサブ区間にも共通するルートには、同じ線路名を各サブ区間毎に入力するようになされる。これらのデータ編集が終了したら、他のデータ入力画面に移行するか、「終了」のボタンＢＴ１０５をクリックするようになされる。編集データ入力を終了し、ボタンＢＴ１０５をクリックすると、データ編集・計算実行画面Ｐ５に戻る。編集データは自動的にＨＤＤ５０に保存するようになされる。
【０４３４】
図６０は、サブ区間（ケーブル系）データ編集画面Ｐ５３の表示例を示す図である。図６０に示すサブ区間（ケーブル系）データ編集画面Ｐ５３は、例えば、図５９に示した「サブ区間（架空系）データ編集画面」のボタンＢＴ９２をクリック（オン）することにより、モニタ４９に表示される。この例でも、サブ区間データは、零相循環電流のデータ入力とほぼ同様に入力するようにされる。
【０４３５】
このサブ区間（ケーブル系）データ編集画面Ｐ５３には、「データ編集画面（サブ区間）零相循環電流計算・ケーブル系」のタイトルが表示される。この例でも、タイトル表示領域の下方のデータ検索領域ｗ０には、図５７に示した検索項目が表示される。データ検索領域ｗ０の下方には明細入力領域ｗ１が表示される。明細入力領域ｗ１には、選択中データを示す表示領域が設定されている。選択中データの表示領域の隣には、「架空系」と同様にして、４つのボタンＢＴ１０１〜ＢＴ１０４が配置されている。「新規作成」のボタンＢＴ１０１は、新規にデータを作成する場合にクリックされる。「編集」のボタンＢＴ１０２は、選択中データを編集する場合にクリックされる。「削除」のボタンＢＴ１０３は、確認後、データを削除する場合にクリックされる。「複写」のボタンＢＴ１０４は、選択中データを複写する場合にクリックされる。
【０４３６】
また、データ検索領域ｗ０の下方の明細入力領域ｗ１には、「データ名」欄、「コメント」欄、「区間」、ルート当たり、「ルート数」欄が設けられ、その横に「全回線数」、「区間の併架距離（ｋｍ）」などの項目欄が設けられている。ここに、併架距離とは、サブ区間の長さをいい、これをユーザは設定（指定）する。この例では、データ名欄には、「ＣＡＢＬ１」が表示され、区間には「１」が表示され、全回線数欄には「２」が表示され、区間の併架距離（ｋｍ）には、「５．０００」が表示される。他のサブ区間にも共通するルートには、同じ線路名を各サブ区間毎に入力するようになされる。これらのデータ編集が終了したら、他のデータ入力画面に移行するか、「終了」のボタンＢＴ１０５をクリックするようになされる。編集データ入力を終了し、ボタンＢＴ１０５をクリックすると、データ編集・計算実行画面Ｐ５に戻る。編集データは自動的にＨＤＤ５０に保存するようになされる。
【０４３７】
図６１は、起誘導回線電流入力画面Ｐ５４の表示例を示す図である。図６１に示す起誘導回線電流入力画面Ｐ５４は、例えば、図５８に示した零相循環電流計算データ入力画面
Ｐ５１のボタンＢＴ９８をクリック（オン）することにより、モニタ４９に表示される。
【０４３８】
起誘導回線電流入力画面Ｐ５４には、「零相循環電流計算・起誘導回線電流」のタイトルが表示される。この例では、タイトル表示領域の下方のデータ検索領域ｗ０には、図５８に示した端子負荷電流の入力欄が表示される。この欄には被誘導回路の負荷電流（以下端子負荷電流という）を入力するようになされる。位相角は、反時計回りを正に採り、０．０°〜３６０°の範囲で入力される。
【０４３９】
この例で端子負荷電流の入力欄には、「区間番号」及び端子負荷電流のサブ項目として、送電線路に関して、「赤相」、「白相」、「青相」が表示される。この「赤相」の欄の下方には、端子負荷電流｜Ｉ｜（Ａ）、位相角θ（deg）の入力欄が設けられ、その横の「白相」の欄の下方にも、端子負荷電流｜Ｉ｜（Ａ）、位相角θ（deg）の入力欄が設けられ、その横の「青相」の欄の下方には、端子負荷電流｜Ｉ｜（Ａ）、位相角θ（deg）の入力欄が各々設けられる。
【０４４０】
この例で、Ａルートでは、送電線路の赤相の端子負荷電流には｜Ｉ｜＝５２４．８０（Ａ）が入力され、その位相角には、θ＝０．０００（deg）が入力される。白相の端子負荷電流には｜Ｉ｜＝５２４．８０（Ａ）が入力され、その位相角にはθ＝２４０．０（deg）が入力される。青相の端子負荷電流には｜Ｉ｜＝５２３．８０（Ａ）が入力され、その位相角にはθ＝１２０．０（deg）が入力される。
【０４４１】
図６２は、計算結果出力画面Ｐ５５の表示例を示す図である。図６２に示す計算結果出力画面Ｐ５５は、例えば、図５７に示したデータ編集・計算実行画面Ｐ５で計算実行ボタンＢＴ２６をクリック（オン）することにより、ＣＰＵ４５が零相循環電流計算を実行した後にモニタ４９に表示される。
【０４４２】
この計算結果出力画面Ｐ５５には、「計算結果出力画面」のタイトルが表示される。この例で、タイトル表示領域には、データ名、例えば、「ＣＡＳＥ１（零相循環電流計算）」表示される。タイトル表示領域の右上には、「戻る」のボタンＢＴ５９が設けられている。
【０４４３】
タイトル表示領域の下方にはデータチェック表示領域ｗ３が設けられ、２つのチェックボタンＢＴ１０７及びＢＴ１０８が配置されている。チェック項目として、「入力データ」、「零相循環電流結果」が表示される。例えば、マウス４２で出力したい項目にチェック（レ点）を入力するようになされる。チェックが入力された項目が出力対象となされる。
【０４４４】
この例で、サブ区間ＤＩＶ１−１の計算結果出力画面Ｐ５５で「入力データ」のボタンＢＴ１０７をチェックすると、図５８に示した零相循環電流計算データ入力画面Ｐ５１で入力された、区間１−１の入力データが表示される。表３２は、「零相循環電流計算  入力データ」を示している。表３２で、データ名欄には、ＣＡＳＥ９が記述され、端子数欄には「４」が記述され、サブ区間名欄には、「ＤＩＶ１−１」が記述され、コメント欄には、区間１−１が記述され、ルート当たり回線数欄には、「２」が記述され、ルート数欄には、「２」が記述され、左１Ｌ回線数欄には、「２」が記述され、右２Ｌ回線数欄には「１」が記述され、共架区間の長さには、２０（ｋｍ）が記述され、架空地線の条数欄には「０」が記述される。
【０４４５】
また、サブ区間ＤＩＶ１−２の計算結果出力画面Ｐ５５で「入力データ」のボタンＢＴ１０７をチェックすると、図５８に示した零相循環電流計算データ入力画面Ｐ５１で入力された、区間１−２の入力データが表示される。表３３は、「零相循環電流計算  入力データ」を示している。表３３で、データ名欄には、ＣＡＳＥ９が記述され、端子数欄には「４」が記述され、サブ区間名欄には、「ＤＩＶ１−２」が記述され、コメント欄には、区間１−２が記述され、ルート当たり回線数欄には、「２」が記述され、ルート数欄には、「１」が記述され、左１Ｌ回線数欄には、「１」が記述され、右２Ｌ回線数欄には「１」が記述され、共架区間の長さには、５（ｋｍ）が記述され、架空地線の条数欄には「０」が記述される。
【０４４６】
更に、サブ区間ＤＩＶ２の計算結果出力画面Ｐ５５で「入力データ」のボタンＢＴ１０７をチェックすると、図５８に示した零相循環電流計算データ入力画面Ｐ５１で入力された、区間２の入力データが表示される。表３４は、「零相循環電流計算  入力データ」を示している。表３４で、データ名欄には、ＣＡＳＥ９が記述され、端子数欄には「４」が記述され、サブ区間名欄には、「ＤＩＶ２」が記述され、コメント欄には、区間２が記述され、ルート当たり回線数欄には、「２」が記述され、ルート数欄には、「１」が記述され、左１Ｌ回線数欄には、「１」が記述され、右２Ｌ回線数欄には「１」が記述され、共架区間の長さには、１（ｋｍ）が記述され、架空地線の条数欄には「０」が記述される。
【０４４７】
また、サブ区間ＤＩＶ３−２の計算結果出力画面Ｐ５５で「入力データ」のボタンＢＴ１０７をチェックすると、図５８に示した零相循環電流計算データ入力画面Ｐ５１で入力された、区間３−２の入力データが表示される。表３５は、「零相循環電流計算  入力データ」を示している。表３５で、データ名欄には、ＣＡＳＥ９が記述され、端子数欄には「４」が記述され、サブ区間名欄には、「ＤＩＶ３−２」が記述され、コメント欄には、区間３−２が記述され、ルート当たり回線数欄には、「２」が記述され、ルート数欄には、「１」が記述され、左１Ｌ回線数欄には、「１」が記述され、右２Ｌ回線数欄には「１」が記述され、共架区間の長さには、５（ｋｍ）が記述され、架空地線の条数欄には「０」が記述される。
【０４４８】
更に、サブ区間ＤＩＶ４の計算結果出力画面Ｐ５５で「入力データ」のボタンＢＴ１０７をチェックすると、図５８に示した零相循環電流計算データ入力画面Ｐ５１で入力された、区間４の入力データが表示される。表３６は、「零相循環電流計算  入力データ」を示している。表３６で、データ名欄には、ＣＡＳＥ９が記述され、端子数欄には「４」が記述され、サブ区間名欄には、「ＤＩＶ４」が記述され、コメント欄には、区間４が記述され、ルート当たり回線数欄には、「２」が記述され、ルート数欄には、「１」が記述され、左１Ｌ回線数欄には、「１」が記述され、右２Ｌ回線数欄には「１」が記述され、共架区間の長さには、１（ｋｍ）が記述され、架空地線の条数欄には「０」が記述される。
【０４４９】
また、サブ区間ＤＩＶ５の計算結果出力画面Ｐ５５で「入力データ」のボタンＢＴ１０７をチェックすると、図５８に示した零相循環電流計算データ入力画面Ｐ５１で入力された、区間５の入力データが表示される。表３７は、「零相循環電流計算  入力データ」を示している。表３７で、データ名欄には、ＣＡＳＥ９が記述され、端子数欄には「４」が記述され、サブ区間名欄には、「ＤＩＶ５」が記述され、コメント欄には、区間５が記述され、ルート当たり回線数欄には、「２」が記述され、ルート数欄には、「１」が記述され、左１Ｌ回線数欄には、「１」が記述され、右２Ｌ回線数欄には「１」が記述され、共架区間の長さには、１０（ｋｍ）が記述され、架空地線の条数欄には「０」が記述される。
【０４５０】
【表３２】
2007195318.tif 000034
【０４５１】
【表３３】
2007195318.tif 000035
【０４５２】
【表３４】
2007195318.tif 000036
【０４５３】
【表３５】
2007195318.tif 000037
【０４５４】
【表３６】
2007195318.tif 000038
【０４５５】
【表３７】
2007195318.tif 000039
この例で、計算結果出力画面Ｐ５５で「零相循環電流計算結果」のボタンＢＴ１０８をチェックすると、端子番号別に零相循環電流計算値を表形式にしてモニタ４９に表示される。表３８は、図５６に示した４端子５区間系統の端子番号（○付き数字）「１」における零相循環電流の計算値を示している。表３９は、同様にして、端子番号「２」における零相循環電流の計算値を示している。
【０４５６】
表４０は、同様にして、端子番号「３」における零相循環電流の計算値を示している。表４１は、同様にして、端子番号「４」における零相循環電流の計算値を示している。
【０４５７】
表３８〜表４１には、各相の併架を考える区間、被誘導系１Ｌの電流｜Ｉ｜（Ａ）及びその位相θ（deg）、被誘導系２Ｌ」電流｜Ｉ｜（Ａ）及びその位相θ（deg）や、被誘導系１Ｌの零相循環電流Ｉｏ（Ａ）及びその位相θ（deg）、被誘導系２Ｌの零相循環電流計算電流Ｉｏ（Ａ）及びその位相θ（deg）が記述される。零相循環電流は全区間加算される。また、零相循環電流Ｉｏを３倍した３Ｉｏ値を表示するようになされる。
【０４５８】
表３８において、各相の併架を考える区間「１」は、赤、白及び青相の被誘導系１Ｌの電流｜Ｉ｜（Ａ）及びその位相θ（deg）、被誘導系２Ｌ」電流｜Ｉ｜（Ａ）及びその位相θ（deg）や、被誘導系１Ｌの零相循環電流Ｉｏ（Ａ）及びその位相θ（deg）が区間１の併架による零相循環電流閾値Ｉｏｔｈを示している（このとき、他の区間への併架は想定していない）。他の区間２〜５の併架による零相循環電流閾値Ｉｏｔｈは、いずれも「０」である。
【０４５９】
【表３８】
2007195318.tif 000040
【０４６０】
【表３９】
2007195318.tif 000041
【０４６１】
【表４０】
2007195318.tif 000042
【０４６２】
【表４１】
2007195318.tif 000043
この例では、図６２に示した計算結果出力画面Ｐ５５でデータチェック表示領域ｗ３の下方には「表示」、「表形式出力」及び「印刷」のボタンＢＴ５６〜ＢＴ５８が配置されている。例えば、「入力データ」のボタンＢＴ１０７をチェックして「印刷」のボタンＢＴ５８をクリックすると、表３２に示した区間１−１の入力データ一覧表をプリントアウトできるようになる。同様にして、表３３〜表３７に示した他の区間の入力データ一覧表もプリントアウトできるようになる。
【０４６３】
図６３は、レポート表示画面Ｐ５６の表示例を示す図である。図６３に示すレポート表示画面Ｐ５６は、例えば、図６２に示した計算結果出力画面Ｐ５５で「表示」のボタンＢＴ５６をクリック（オン）することにより、例えば、データ編集計算実行画面Ｐ５上にポップアップ表示される。
【０４６４】
このレポート表示画面Ｐ５６では、下位に表示されているデータ編集計算実行画面Ｐ５の下方に、レポート選択領域が表示される。レポート選択領域には、例えば、３つの「レポート１〜３」のボタンＢＴ７１〜ＢＴ７３が表示される。この例で、「レポート１〜３」は、既に編集し計算された３つの計算結果ファイルであり、ボタンＢＴ７１〜ＢＴ７３は、これらの計算結果ファイルを読み出す際に使用される。これにより、プレビュー画面で参照したいレポートを選択できるようになされる。なお、選択出力項目に関しては、サブ区間に付き１枚の入力データや、零相循環電流集計結果である。
【０４６５】
続いて、本発明に係る零相循環電流計算例について説明する。図６４及び図６５は、電力系統簡易シミュレーションシステム＃１を応用した架空系の零相循環電流計算例（その１、２）を示すフローチャートである。この例では、データ編集・計算実行画面Ｐ５で計算実行ボタンＢＴ２６がクリックされると、零相循環電流計算が実行される。その後、「計算結果出力画面」に遷移するようになされる。
【０４６６】
これらを計算処理条件にして、まず、図６４に示すフローチャートのステップＧ１でメニュー画面Ｐ１を表示する。メニュー画面Ｐ１は、ＣＰＵ４５からモニタ４９へ表示データＤ４９を出力され、この表示データＤ４９に基づいて「技術計算プログラム」等が表示される。ユーザは、このメニュー画面Ｐ１から、各編集項目を選択するようになされる。ここでは、「零相循環電流計算」の編集ボタンＢＴ９をクリックするようになされる。
【０４６７】
この例では、ステップＧ２に移行してＣＰＵ４５は「終了」をチェックする。図５に示したメニュー画面Ｐ１で終了ボタンＢＴ１８が押下されない場合は、零相循環電流計算処理を継続するようになされる。従って、メニュー画面Ｐ１で終了ボタンＢＴ１８が押されることなく、零相循環電流計算に係る編集ボタンＢＴ９が押下されたことが検出されている場合は、ステップＧ３に移行して、データ編集・計算実行画面Ｐ５を表示する。モニタ４９は、表示データＤ４９に基づいてデータ編集・計算実行画面Ｐ５を表示する。
【０４６８】
このとき、ユーザは、図５７に示したデータ編集・計算実行画面Ｐ５において、検索データの絞り込みを実行する。例えば、各検索項目を入力し、昇順又は降順を決めて、再表示をクリックする。検索条件を入力したら、必ず「再表示」のボタンＢＴ２３をクリックする。これは、検索条件の内容がリストに反映されるためである。次に、対象データをマウス４２で選択する。
【０４６９】
この例では、データ編集・計算実行画面Ｐ５で「編集」のボタンＢＴ２５又は「新規作成」のボタンＢＴ２８を選択すると、図５８に示した零相循環電流計算データ入力画面Ｐ５１に遷移するようになされる。なお、削除ボタンＢＴ２７がクリックされると、確認後、編集データを削除するようになされる。また、複写ボタンＢＴ２４がクリックされると、新しいデータ名を入力した後に、複写が実行される。上述したタイトルの右隣り領域には、メニューに「戻る」のボタンＢＴ２９が表示される。
【０４７０】
この例で、計算実行ボタンＢＴ２６のクリックに対応して、ＣＰＵ４５は、ステップＧ４に移行して計算実行か否かを判別する。ＣＰＵ４５は、計算実行ボタンＢＴ２６がオンされた場合は、計算実行と判断し、計算実行ボタンＢＴ２６がオンされない場合は、ステップＧ５に移行してメニューに戻るボタンＢＴ２９又は編集ボタンＢＴ２５の操作に基づいて制御を分岐する。
【０４７１】
編集ボタンＢＴ２５がオンされた場合は、ステップＧ６に移行して、零相循環電流計算データ入力画面Ｐ５１を表示する。このとき、モニタ４９は、表示データＤ４９に基づいて零相循環電流計算データ入力画面Ｐ５１を表示する。このデータ入力画面Ｐ５１では、零相循環電流計算についてのデータを入力する。
【０４７２】
次に、ステップＧ７に移行して、保存、終了又はサブ区間編集の選択操作に基づいて制御を分岐する。零相循環電流計算データ入力画面Ｐ５１において、保存ボタンＢＴ９６及び終了ボタンＢＴ９７がクリックされた場合は、編集データを保存して入力処理を終了する。サブ区間編集が選択された場合は、ステップＧ８でサブ区間の編集項目を表示して入力処理する。このとき、ユーザは、図５８に示した零相循環電流データ入力画面Ｐ５１において、まず、データ名欄にデータ名を入力して指定する。データはこの名前で保存される。次に端子数を入力する。端子数によって区間数が決定する。更に、各区間のサブ区間の種別、データ名を入力する。もしも、そのデータがない場合はサブ区間編集の架空系、ケーブル系のボタンＢＴ９１やＢＴ９２等をクリックして、サブ区間データを作成する。
【０４７３】
そして、ステップＧ９に移行して、ＣＰＵ４５は、サブ区間編集の「架空系」、「ケーブル系」のボタンＢＴ９１、ＢＴ９２又は「誘導」のボタンＢＴ９８のクリック（選択）に応じて制御を分岐する。「架空系」や「ケーブル系」等のサブ区間編集のボタンＢＴ９１又はＢＴ９２がクリックされた場合は、ステップＧ１０に移行する。ステップＧ１０では、更に、「架空系」又は「ケーブル系」の選択に応じて制御を分岐する。
【０４７４】
サブ区間編集で「架空系」のボタンＢＴ９１がクリックされている場合は、ステップＧ１１に移行して、モニタ４９は、サブ区間（架空系）データ編集画面Ｐ５２を表示する。このとき、ユーザは、図５９に示したサブ区間（架空系）データ編集画面Ｐ５２において、まず、「検索」データの絞り込みを実行する。そして、各検索項目を入力して、昇順、降順を決めて、「昇順」のボタンＢＴ２１又は「降順」のボタンＢＴ２２をクリックし、再表示のボタンＢＴ２３をクリックする。この例で、検索条件を入力したら、リストにその内容が反映されるので、必ず「再表示」のボタンＢＴ２３をクリックするようになされる。次に、対象データをマウス４２で選択する。例えば、指定したデータに対して編集・削除を実行する。
【０４７５】
これらのデータ編集が終了したら、他のデータ入力画面に移行するか、「終了」のボタンＢＴ１０５をクリックするようになされる。編集データ入力を終了し、ボタンＢＴ１０５をクリックすると、ステップＧ３に戻って、データ編集・計算実行画面Ｐ５を表示する。編集データは自動的にＨＤＤ５０に保存するようになされる。
【０４７６】
また、ステップＧ１０でサブ区間編集において、「ケーブル系」のボタンＢＴ９２がクリックされている場合は、ステップＧ１２に移行してサブ区間（ケーブル系）データ編集画面Ｐ５３に表示する。このとき、ユーザは、図６０に示したサブ区間（ケーブル系）データ編集画面Ｐ５３において、まず、「検索」データの絞り込みを実行する。そして、各検索項目を入力して、昇順、降順を決めて、「昇順」のボタンＢＴ２１又は「降順」のボタンＢＴ２２をクリックし、再表示のボタンＢＴ２３をクリックする。この例で、検索条件を入力したら、リストにその内容が反映されるので、必ず「再表示」のボタンＢＴ２３をクリックするようになされる。
【０４７７】
次に、対象データをマウス４２で選択する。例えば、指定したデータに対して編集・削除を実行する。これらのデータ編集が終了したら、他のデータ入力画面に移行するか、「終了」のボタンＢＴ１０５をクリックするようになされる。編集データ入力を終了し、ボタンＢＴ１０５をクリックすると、ステップＧ３に戻って、データ編集・計算実行画面Ｐ５を表示する。編集データは自動的にＨＤＤ５０に保存するようになされる。
【０４７８】
なお、上述のステップＧ９で「誘導」のボタンＢＴ９８が選択された場合は、ステップＧ１３に移行する。ステップＧ１３でモニタ４９は、起誘導回線電流入力画面Ｐ５４を表示する。このとき、ユーザは、図６１に示した起誘導回線電流入力画面Ｐ５４において、まず、起誘導回線の母線３相電流をルート毎に入力する。この母線３相電流の入力が終了したら、「戻る」のボタンＢＴ１０６をクリックするようになされる。このクリックによって零相循環電流計算データ入力画面Ｐ５に戻る。編集データは自動的にＨＤＤ５０に保存するようになされる。なお、区間内に複数の起誘導回線のルートが存在する場合は、優先順位を設定するようになされる。優先順位は、例えば、
ａ．平衡２回線＞１回線、
ｂ．サブ区間１＞２＞３、
ｃ．回線番号小＞大
に設定される。全てのデータ入力が終了した場合は、「戻る」のボタンＢＴ１０６をクリックすると、モニタ４９は、ステップＧ３に戻ってデータ編集・計算実行画面Ｐ５を表示するようになされる。
【０４７９】
このデータ編集・計算実行画面Ｐ５では、計算実行のボタンＢＴ２６がクリックされると、ステップＧ４で制御を分岐して、図６５に示すステップＧ１４に移行する。ステップＧ１４では、零相循環電流の計算処理を実行する。ここでの計算式についてはその説明を省略する。その後、ステップＧ１５で計算結果出力画面Ｐ５５を表示する。次に、ステップＧ１７に移行して計算結果出力画面Ｐ５５を表示する。このとき、ユーザは、図６２に示した計算結果出力画面Ｐ５５において、マウス４２等を使用して、出力項目にチェックを入力する。この例では、「入力データ」、「零相循環電流集計結果」の全てにチェックが入力される。
【０４８０】
次に、ステップＧ１６に移行して、表示ボタンＢＴ５６又は戻るボタンＢＴ５９の選択に応じて制御を分岐する。戻るボタンＢＴ５９がクリックされた場合は、ステップＧ１のメニュー画面Ｐ１に戻るようになされる。また、表示ボタンＢＴ５６がクリックされると、ステップＧ１７に移行する。
【０４８１】
ステップＧ１７で、計算結果出力画面Ｐ５５に表示された「表形式出力」のボタンＢＴ５７又は「印刷」のボタンＢＴ５８の選択に基づいて制御を分岐する。ボタンＢＴ５７がクリックされた場合は、例えば、プレビュー形式の計算結果画面をモニタ４９に表示される。計算結果は、例えば、ＥＸＣＥＬ（登録商標）形式の一覧表で出力するようになされる。また、ステップＧ１８に移行して、レポート表示画面Ｐ５６を表示するようになされる。
【０４８２】
このとき、ユーザは、図６３に示したレポート表示画面Ｐ５６において、例えば、過去の集計結果ファイルを読み出す際に、３つの「レポート１〜３」の中から、対応する１つのボタンＢＴ７１、ＢＴ７２又はＢＴ７３を押すように操作される。その後、計算結果出力画面Ｐ５５と同様にして作業を実行する。
【０４８３】
また、ステップＧ１７でボタンＢＴ５８がクリックされた場合は、ステップＧ１９に移行してプリントアウト処理がなされる。このとき、印刷ボタンＢＴ５８のクリックによって、図４に示したＣＰＵ４５からプリンタ８０へ印刷データＤ８０が出力される。プリンタ８０は印刷データＤ８０に基づいて所定の用紙に集計結果をプリントアウトするようになされる。これにより、ユーザは、プリンタ８０から所定の用紙にプリントアウトされた集計結果を得ることができる。その後、ステップＧ１６に戻る。ステップＧ１６で戻るボタンＢＴ５９をクリックすると、プレビュー画面を自動的に閉じてメニュー画面Ｐ１に戻るようになされる。
【０４８４】
このように、電力系統簡易シミュレーションシステム＃１を応用した第７の実施例としての零相循環電流計算例によれば、データベース２０に登録された複数の電力設備情報Ｄ０を共用して、零相循環電流を計算できるので、電力設備更新時の仕様検討や電力系統の事故解析等の色々なシミュレーションを含む情報処理を実行できるようになる。これにより、情報利用者は、自家用電気工作物における保護継電器等の検討処理を容易に実施できるようになる。
【産業上の利用可能性】
【０４８５】
この発明は、電力系統の線路定数、短絡容量及び零相循環電流等の計算処理を支援する対話型の電力系統管理用のコンピュータや、それを応用した電力系統簡易シミュレーションシステムに適用して極めて好適である。
【図面の簡単な説明】
【０４８６】
【図１】本発明に係る実施形態としての電力系統簡易シミュレーションシステム＃１の構成例を示す概念図である。
【図２】実施形態としての電力系統簡易シミュレーションシステム＃１における全体処理例を示すフローチャートである。
【図３】第１の実施例としての情報管理通信装置１００の構成例を示すブロック図である。
【図４】第２の実施例としての情報通信処理装置ＰＣｉの構成例を示すブロック図である。
【図５】第３の実施例としてのシステム起動時のメニュー画面Ｐ１の表示例を示す図である。
【図６】電線マスターデータ登録画面Ｐ１１の表示例を示す図である。
【図７】単心ケーブルマスターデータ登録画面Ｐ１２の表示例を示す図である。
【図８】３心ケーブルマスターデータ登録画面Ｐ１３の表示例を示す図である。
【図９】マスターデータの登録例を示すフローチャートである。
【図１０】第４の実施例としての線路定数計算時の送電線路例（架空系）を示す図である。
【図１１】複数ルート併架用の鉄塔６４における電線の配置例を示す装柱図である。
【図１２】単独ルート懸架用の鉄塔６５における電線の配置例を示す装柱図である。
【図１３】データ編集・計算実行画面Ｐ２の表示例を示す図である。
【図１４】線路定数（架空系）データ入力画面Ｐ２１の表示例を示す図である。
【図１５】ルート入力画面Ｐ２２の表示例を示す図である。
【図１６】線路定数入力画面Ｐ２３の表示例を示す図である。
【図１７】線路定数入力画面Ｐ２４の表示例を示す図である。
【図１８】架空地線入力画面Ｐ２５の表示例を示す図である。
【図１９】計算結果出力画面Ｐ２６の表示例を示す図である。
【図２０】レポート表示画面Ｐ２７の表示例を示す図である。
【図２１】架空系の線路定数計算例（その１）を示すフローチャートである。
【図２２】架空系の線路定数計算例（その２）を示すフローチャートである。
【図２３】（Ａ）〜（Ｃ）は、第５の実施例としての線路定数（ケーブル系）計算例を示す構成図である。
【図２４】地中送電線路１Ｌの赤相基準時の他のケーブル配置例を示す図である。
【図２５】データ編集・計算実行画面Ｐ２’の表示例を示す図である。
【図２６】線路定数（ケーブル系）データ入力画面Ｐ２１’の表示例を示す図である。
【図２７】ルート入力画面Ｐ２２’の表示例を示す図である。
【図２８】線路定数入力画面Ｐ２３’の表示例を示す図である。
【図２９】線路定数入力画面Ｐ２４’の表示例を示す図である。
【図３０】計算結果出力画面Ｐ２６’の表示例を示す図である。
【図３１】レポート表示画面Ｐ２７’の表示例を示す図である。
【図３２】ケーブル系の線路定数計算例（その１）を示すフローチャートである。
【図３３】ケーブル系の線路定数計算例（その２）を示すフローチャートである。
【図３４】集計対象区間設定画面Ｐ３１の表示例を示す図である。
【図３５】集計結果出力画面Ｐ３２の表示例を示す図である。
【図３６】レポート表示画面Ｐ３３の表示例を示す図である。
【図３７】電力系統簡易シミュレーションシステム＃１を応用した架空系のデータ集計例を示すフローチャートである。
【図３８】第６の実施例としての短絡容量計算時の電力系統９０の構成例を示す構成図である。
【図３９】データ編集・計算実行画面Ｐ４の表示例を示す図である。
【図４０】短絡容量データ入力画面Ｐ４１の表示例を示す図である。
【図４１】ブランチデータ入力画面Ｐ４２の表示例を示す図である。
【図４２】電源データ入力画面Ｐ４３の表示例を示す図である。
【図４３】負荷データ入力画面Ｐ４４の表示例を示す図である。
【図４４】データエラー確認画面Ｐ４５の表示例を示す図である。
【図４５】計算結果出力画面Ｐ４６の表示例を示す図である。
【図４６】レポート表示画面Ｐ４７の表示例を示す図である。
【図４７】短絡容量計算例（その１）を示すフローチャートである。
【図４８】短絡容量計算例（その２）を示すフローチャートである。
【図４９】短絡容量計算例（その３）を示すフローチャートである。
【図５０】電力系統図再生画面Ｐ４８の表示例を示す図である。
【図５１】短絡容量計算結果画面Ｐ４９の表示例を示す図である。
【図５２】短絡容量計算結果画面Ｐ４９’の表示例を示す図である。
【図５３】表形式による短絡容量計算結果画面Ｐ４１０の表示例を示す図である。
【図５４】表形式による短絡容量計算結果画面Ｐ４１１の表示例を示す図である。
【図５５】第７の実施例としての零相循環電流計算時の架空系の４端子５区間系統９３の構成例を示す図である。
【図５６】（Ａ）〜（Ｃ）は、各端子各区間の送電系統における被誘導回線の負荷電流Ｉの流出例を示す回路図である。
【図５７】データ編集・計算実行画面Ｐ５の表示例を示す図である。
【図５８】零相循環電流データ入力画面Ｐ５１の表示例を示す図である。
【図５９】サブ区間（架空系）データ編集画面Ｐ５２の表示例を示す図である。
【図６０】サブ区間（ケーブル系）データ編集画面Ｐ５３の表示例を示す図である。
【図６１】起誘導回線電流入力画面Ｐ５４の表示例を示す図である。
【図６２】計算結果出力画面Ｐ５５の表示例を示す図である。
【図６３】レポート表示画面Ｐ５６の表示例を示す図である。
【図６４】電力系統簡易シミュレーションシステム＃１を応用した架空系の零相循環電流計算例（その１）を示すフローチャートである。
【図６５】電力系統簡易シミュレーションシステム＃１を応用した架空系の零相循環電流計算例（その２）を示すフローチャートである。
【符号の説明】
【０４８７】
＃１・・・電力系統簡易シミュレーションシステム（電力設備情報処理システム）、１０・・・更新管理手段（コンピュータ）、１１，４１・・キーボード（入力手段）、１２，４２・・・マウス（入力手段）、１３，４３・・ＲＯＭ、１４，４４・・・ＲＡＭ、１５，４５・・・ＣＰＵ、１９，４９・・・モニタ、２０，５０・・・ハードディスク（データベース）、３０・・・通信モデム、１００・・・情報管理通信装置、ＰＣｉ・・・情報通信処理装置
【図１】
2007195318.tif 000044
【図２】
2007195318.tif 000045
【図３】
2007195318.tif 000046
【図４】
2007195318.tif 000047
【図５】
2007195318.tif 000048
【図６】
2007195318.tif 000049
【図７】
2007195318.tif 000050
【図８】
2007195318.tif 000051
【図９】
2007195318.tif 000052
【図１０】
2007195318.tif 000053
【図１１】
2007195318.tif 000054
【図１２】
2007195318.tif 000055
【図１３】
2007195318.tif 000056
【図１４】
2007195318.tif 000057
【図１５】
2007195318.tif 000058
【図１６】
2007195318.tif 000059
【図１７】
2007195318.tif 000060
【図１８】
2007195318.tif 000061
【図１９】
2007195318.tif 000062
【図２０】
2007195318.tif 000063
【図２１】
2007195318.tif 000064
【図２２】
2007195318.tif 000065
【図２３】
2007195318.tif 000066
【図２４】
2007195318.tif 000067
【図２５】
2007195318.tif 000068
【図２６】
2007195318.tif 000069
【図２７】
2007195318.tif 000070
【図２８】
2007195318.tif 000071
【図２９】
2007195318.tif 000072
【図３０】
2007195318.tif 000073
【図３１】
2007195318.tif 000074
【図３２】
2007195318.tif 000075
【図３３】
2007195318.tif 000076
【図３４】
2007195318.tif 000077
【図３５】
2007195318.tif 000078
【図３６】
2007195318.tif 000079
【図３７】
2007195318.tif 000080
【図３８】
2007195318.tif 000081
【図３９】
2007195318.tif 000082
【図４０】
2007195318.tif 000083
【図４１】
2007195318.tif 000084
【図４２】
2007195318.tif 000085
【図４３】
2007195318.tif 000086
【図４４】
2007195318.tif 000087
【図４５】
2007195318.tif 000088
【図４６】
2007195318.tif 000089
【図４７】
2007195318.tif 000090
【図４８】
2007195318.tif 000091
【図４９】
2007195318.tif 000092
【図５０】
2007195318.tif 000093
【図５１】
2007195318.tif 000094
【図５２】
2007195318.tif 000095
【図５３】
2007195318.tif 000096
【図５４】
2007195318.tif 000097
【図５５】
2007195318.tif 000098
【図５６】
2007195318.tif 000099
【図５７】
2007195318.tif 000100
【図５８】
2007195318.tif 000101
【図５９】
2007195318.tif 000102
【図６０】
2007195318.tif 000103
【図６１】
2007195318.tif 000104
【図６２】
2007195318.tif 000105
【図６３】
2007195318.tif 000106
【図６４】
2007195318.tif 000107
【図６５】
2007195318.tif 000108